(57)【要約】  相互接続システムは、係合位置と係合解除位置との間を移動可能であるさまざまなバックアウト防止ラッチを含む。係合位置にあるとき、バックアウト防止ラッチは、光学トランシーバーなどの相互接続モジュールが、ホストモジュールから分離されるのを防ぐように構成され得る。係合解除位置にあるとき、バックアウト防止ラッチは、相互接続モジュールがホストモジュールから分離されるのを可能にする。ヒートシンクを相互接続モジュールのモジュールハウジングに固定する固定部材も開示される。
2019525429.tif 000002
【特許請求の範囲】
【請求項１】
相互接続システムにおいて、
ホストモジュールの第１および第２の電気コネクタと嵌合するように構成された相互接続モジュールであって、前記第２の電気コネクタは、前記第１の電気コネクタから後方向に離間し、前記第１の電気コネクタは、前記第２の電気コネクタより速いデータ転送速度で動作するように構成され、前記相互接続モジュールは、モジュール基板、および前記モジュール基板によって支持された光学エンジンと、前記モジュール基板に装着され、前記光学エンジンを少なくとも部分的に取り囲むモジュールハウジングと、を含む、相互接続モジュールと、
バックアウト防止ラッチであって、前記モジュールハウジングに旋回可能に取り付けられるように構成された少なくとも１つの旋回部材を画定し、係合解除位置と係合位置との間を、旋回軸を中心として前記モジュールハウジングに対して旋回可能である、バックアウト防止ラッチと、
を含み、
前記バックアウト防止ラッチが前記係合位置にあるとき、１）前記バックアウト防止ラッチと前記モジュールハウジングとの間の第１の機械的干渉が、前記後方向の前記バックアウト防止ラッチに対する前記後方向への前記相互接続モジュールの移動を制限し、２）前記ラッチと前記ホストモジュールとの間の第２の機械的干渉が、前記第１および第２の電気コネクタに対する前記後方向への前記ラッチの移動を制限し、３）前記後方向への移動が制限されることにより、前記相互接続モジュールが、前記相互接続モジュールを前記第１および第２の電気コネクタから分離するのに十分であろう距離だけ、前記第１および第２の電気コネクタに対して前記後方向に移動するのを防ぎ、
前記バックアウト防止ラッチが前記係合解除位置にあるとき、前記第２の機械的干渉は、除去され、前記相互接続モジュールは、前記相互接続モジュールを前記第１および第２の電気コネクタのうちの少なくとも１つから分離するように十分な距離だけ、前記第１および第２の電気コネクタに対して前記後方向に移動可能となり、
前記バックアウト防止ラッチは、前記ラッチが前記係合位置にあるときに前記ホストモジュールと共に前記第２の機械的干渉を定めるフィンガーを含み、
前記フィンガーは、前記第１の電気コネクタより上に配されている、相互接続システム。
【請求項２】
請求項１に記載の相互接続システムにおいて、
前記相互接続モジュールは、光学トランシーバーを含む、相互接続システム。
【請求項３】
請求項１に記載の相互接続システムにおいて、
前記モジュール基板は、第１の側面、および前記後方向に垂直な横断方向に沿って前記第１の側面の反対側にある第２の側面を含み、前記第２の側面は、前記第２の電気コネクタのそれぞれの電気接点と嵌合するように構成された導電性ランドを有し、前記旋回軸は、前記後方向および前記横断方向のそれぞれに垂直である横方向に沿って向きを定められている、相互接続システム。
【請求項４】
請求項１〜３のいずれか一項に記載の相互接続システムにおいて、
前記ラッチは、前記第１および第２の電気コネクタが装着されるホスト基板に装着された前記ホストモジュールの固定部材と共に前記第２の機械的干渉を定めるように構成されている、相互接続システム。
【請求項５】
請求項４に記載の相互接続システムにおいて、
前記ラッチは、前記第１の電気コネクタの電気接点から上方にオフセットし、かつ前記横断方向に沿って前記第１の電気コネクタの前記電気接点と整列した、前記固定部材の上方プレートに係合するように構成されている、相互接続システム。
【請求項６】
請求項５に記載の相互接続システムにおいて、
前記上方プレートは、前記第２の機械的干渉を定めるよう、前記フィンガーを受容するように構成されている、相互接続システム。
【請求項７】
請求項１に記載の相互接続システムにおいて、
前記旋回軸は、前記第２の電気コネクタから、前記後方向とは反対の前方向に離間し、前記フィンガーは、前記バックアウト防止ラッチが前記係合位置にあるとき前記旋回軸から前記前方向に離間している、相互接続システム。
【請求項８】
請求項１に記載の相互接続システムにおいて、
前記モジュールハウジングに当接し、前記バックアウト防止ラッチに対する付勢力を提供する、付勢部材をさらに含む、相互接続システム。
【請求項９】
請求項１に記載の相互接続システムにおいて、
前記ラッチのどの部分も、前記ラッチが前記係合位置にあるとき、および前記ラッチが前記係合解除位置にあるときの両方において、前記第１および第２の電気コネクタが装着されるホスト基板内に延びない、相互接続システム。
【請求項１０】
相互接続システムにおいて、
基板、前記基板に装着された光学エンジン、および前記基板に装着され、かつ前記光学エンジンを少なくとも部分的に取り囲む、トランシーバーハウジングを含む、トランシーバーと、
前記トランシーバーハウジングに対して旋回軸を中心として旋回可能となるよう、前記トランシーバーハウジングに旋回可能に取り付けられたバックアウト防止ラッチであって、前記バックアウト防止ラッチは、前記旋回軸から、前記トランシーバーが前方向において嵌合されるように構成された第１の電気コネクタを含むホストモジュールに当接するよう前記トランシーバーハウジングの最も前方の端部から前記前方向に離間した係合部材まで、延びる、バックアウト防止ラッチと、
を含み、
前記バックアウト防止ラッチは、係合位置と係合解除位置との間を、前記旋回軸を中心として旋回可能であり、前記係合位置では、前記係合部材と前記ホストモジュールとの間のアバットメントにより、前記トランシーバーが前記前方向とは反対の後方向に前記第１の電気コネクタから分離されるのを防ぎ、前記係合解除位置では、前記アバットメントが除去され、前記トランシーバーは、前記トランシーバーを前記第１の電気コネクタから分離するよう十分な距離だけ、前記第１の電気コネクタに対して前記後方向に移動可能となる、相互接続システム。
【請求項１１】
請求項１０に記載の相互接続システムにおいて、
前記基板は、前記トランシーバーを前記第１の電気コネクタに嵌合させるよう、前記第１の電気コネクタに受容されるように構成された電気接触パッドを、前記基板の前端部に含み、前記係合部材は、前記電気接触パッドから前記前方向に離間している、相互接続システム。
【請求項１２】
請求項１１に記載の相互接続システムにおいて、
前記接触パッドは、前記前方向に垂直である横方向に沿って向きを定められた列をなして配列されており、前記係合部材は、前記横方向および前記前方向のそれぞれに垂直である横断方向に沿って前記第１の電気コネクタと整列されるように構成されている、相互接続システム。
【請求項１３】
請求項１０〜１２のいずれか一項に記載の相互接続システムにおいて、
前記トランシーバーハウジングに当接し、前記バックアウト防止ラッチに対する付勢力を提供する付勢部材をさらに含む、相互接続システム。
【請求項１４】
請求項１３に記載の相互接続システムにおいて、
前記ラッチのどの部分も、前記ラッチが前記係合位置にあるとき、および前記ラッチが前記係合解除位置にあるときの両方において、前記第１の電気コネクタが装着されるホスト基板内に延びない、相互接続システム。
【請求項１５】
相互接続システムにおいて、
ホストモジュールの第１および第２の電気コネクタと嵌合するように構成された相互接続モジュールであって、前記第１の電気コネクタは、前記第２の電気コネクタから前方向に離間し、前記第１の電気コネクタは、前記第２の電気コネクタより速いデータ転送速度で動作するように構成され、前記相互接続モジュールは、モジュール基板、前記モジュール基板によって支持された光学エンジン、および前記モジュール基板に装着され、前記光学エンジンを少なくとも部分的に取り囲むモジュールハウジング、を含む、相互接続モジュールと、
バックアウト防止ラッチであって、前記モジュールハウジングに旋回可能に取り付けられるように構成された少なくとも１つの旋回部材を画定し、前記バックアウト防止ラッチは、旋回軸を中心として、係合解除位置と係合位置との間を、前記モジュールハウジングに対して旋回可能であり、前記旋回軸は、前記トランシーバーモジュールが前記第１および第２の電気コネクタと嵌合すると、前記第２の電気コネクタから前記前方向に離間するように構成され、前記バックアウト防止ラッチは、前記旋回部材から前記前方向にフィンガーまで延びる、バックアウト防止ラッチと、
を含み、
前記バックアウト防止ラッチが前記係合位置にあるとき、１）前記バックアウト防止ラッチと前記モジュールハウジングとの間の第１の機械的干渉が、後方向の前記バックアウト防止ラッチに対する前記後方向への前記相互接続モジュールの移動を制限し、２）前記フィンガーと前記ホストモジュールとの間の第２の機械的干渉が、前記第１および第２の電気コネクタに対する前記後方向への前記ラッチの移動を制限し、３）前記後方向への移動が制限されることにより、前記相互接続モジュールが、前記相互接続モジュールを前記第１および第２の電気コネクタから分離するのに十分であろう距離だけ、前記第１および第２の電気コネクタに対して前記後方向に移動するのを防ぎ、
前記バックアウト防止ラッチが前記係合解除位置にあるとき、前記第２の機械的干渉は、除去され、前記相互接続モジュールは、前記相互接続モジュールを前記第１および第２の電気コネクタのうちの少なくとも１つから分離するように十分な距離だけ、前記第１および第２の電気コネクタに対して前記後方向に移動可能となる、相互接続システム。
【請求項１６】
請求項１５に記載の相互接続システムにおいて、
前記フィンガーは、前記ラッチが前記係合位置にあるときに、前記ホストモジュールによって受容されるように構成されている、相互接続システム。
【請求項１７】
請求項１６に記載の相互接続システムにおいて、
前記モジュール基板は、前記前方向に垂直である横断方向に沿って互いに相対する第１および第２の表面を画定し、前記第２の表面は、前記第２の電気コネクタと嵌合するように構成された接触パッドを画定し、
前記フィンガーは、前記ラッチが前記係合位置にあるときに上方プレートによって受容されるように構成され、
前記上方プレートは、前記第１の電気コネクタの電気接点より上に配され、前記横断方向に沿って前記第１の電気コネクタの前記電気接点とさらに整列されている、相互接続システム。
【請求項１８】
請求項１５〜１７のいずれか一項に記載の相互接続システムにおいて、
前記モジュールハウジングに当接し、前記バックアウト防止ラッチが前記係合位置にあるときに前記バックアウト防止ラッチに対して付勢力を提供する、付勢部材をさらに含む、相互接続システム。
【請求項１９】
請求項１８に記載の相互接続システムにおいて、
前記モジュール基板は、前記ホストモジュールに対する前記前方向への前記相互接続モジュールの移動を防ぐように、前記ホストモジュールに当接するように構成されている、相互接続システム。
【請求項２０】
相互接続システムにおいて、
ホスト基材上に装着されたホストモジュールの第１および第２の電気コネクタと嵌合するように構成された相互接続モジュールであって、前記第１の電気コネクタは、前記第２の電気コネクタから前方向に離間し、前記第１の電気コネクタは、前記第２の電気コネクタより速いデータ転送速度で動作するように構成され、前記相互接続モジュールは、モジュール基板、前記モジュール基板によって支持された光学エンジン、モジュールハウジングを少なくとも部分的に取り囲むモジュールハウジング、を含む、相互接続モジュールと、
バックアウト防止ラッチであって、前記バックアウト防止ラッチに対する前記前方向とは反対の後方向への前記相互接続モジュールの後方移動を制限する、前記バックアウト防止ラッチと前記相互接続モジュールとの間の第１の機械的干渉を定めるよう、前記相互接続モジュールと機械的に連絡させられるように構成され、前記第２の電気コネクタを支持しかつ前記ホスト基材に装着される固定部材の前向き外側支持表面に当接するように構成された、少なくとも１つのフィンガーを含む、バックアウト防止ラッチと、
を含み、
前記バックアウト防止ラッチは、前記相互接続モジュールが前記第１および第２の電気コネクタと嵌合されると、係合位置と係合解除位置との間を移動可能となるように構成され、
前記バックアウト防止ラッチが前記係合位置にあるとき、前記少なくとも１つのフィンガーは、前記相互接続モジュールが、前記相互接続モジュールを前記第１および第２の電気コネクタのうちの少なくとも１つから分離するのに十分であろう距離だけ、前記ホストモジュールに対して前記後方向に移動するのを防ぐよう、前記支持表面と共に第２の機械的干渉を定め、
前記バックアウト防止ラッチが前記係合解除位置にあるとき、少なくとも前記第２の機械的干渉が除去され、前記相互接続モジュールは、前記相互接続モジュールを少なくとも１つの前記電気コネクタから分離するよう十分な距離だけ、前記少なくとも１つの電気コネクタに対して前記後方向に移動可能となる、相互接続システム。
【請求項２１】
請求項２０に記載の相互接続システムにおいて、
前記バックアウト防止ラッチは、前記第１の機械的干渉を定めるよう、前記相互接続モジュールと機械的に連絡させられるように構成された支持部材を含み、前記少なくとも１つのフィンガーは、前記支持部材から延びる、相互接続システム。
【請求項２２】
請求項２１に記載の相互接続システムにおいて、
前記少なくとも１つのフィンガーは、前記前方向に垂直である横断方向に沿って前記支持部材に対して延出する、一対のフィンガーを含み、前記フィンガーは、前記第２の電気コネクタを支持しかつそれぞれが前記ホスト基材に装着されている第１および第２の固定部材のそれぞれの前向き外側支持表面に当接するように構成されている、相互接続システム。
【請求項２３】
請求項２０に記載の相互接続システムにおいて、
前記ラッチは、前記係合解除位置と前記係合位置との間を、前記相互接続モジュールに対して前記横断方向に沿って並進運動可能である、相互接続システム。
【請求項２４】
請求項２０〜２３のいずれか一項に記載の相互接続システムにおいて、
前記相互接続モジュールは、前記モジュールハウジングによって支持され、かつ前記横方向に沿って互いから離間した複数のフィンを画定する、ヒートシンクをさらに含み、前記ヒートシンクは、前記ラッチが前記係合位置にあるときに前記ラッチを受容するように構成されたラッチ受容凹部を画定する、相互接続システム。
【請求項２５】
請求項２４に記載の相互接続システムにおいて、
前記ヒートシンクは、前記フィンの中へと延びる少なくとも１つの固定凹部をさらに画定し、前記相互接続システムは、前記ヒートシンクを前記モジュールハウジングに固定するよう、それぞれの前記少なくとも１つの固定凹部内に配され、かつ前記モジュールハウジングに取り付けられるように構成された、少なくとも１つの固定部材をさらに含む、相互接続システム。
【発明の詳細な説明】
【開示の内容】
【０００１】
〔関連出願の相互参照〕
本出願は、２０１６年８月１５日出願の米国特許出願第６２／３７５，０５０号、２０１７年１月２７日出願の米国特許出願第６２／４５１，５６６号、および２０１７年４月１０日出願の米国特許出願第６２／４８３，９３２号の優先権を主張し、これらそれぞれの開示は、全体が本明細書に記載されているかのように、参照により本明細書に組み込まれる。
【０００２】
〔背景〕
米国特許第９，３７４，１６５号は、複数の相互接続システムについて記載しており、米国特許第９，３７４，１６５号の図５Ａ〜図７Ｂに関して、光学エンジンを含み得るトランシーバー１１５および光学エンジンに接続されたケーブル１１６のいくつかの実施形態のうちの１つの例を記載している。米国特許第９，３７４，１６５号は、全体が本明細書に記載されているかのように、参照により本明細書に組み込まれる。光学エンジンの例は、米国特許第７，３２９，０５４号、米国特許第７，６４８，２８７号、米国特許第７，７６６，５５９号、米国特許第７，８２４，１１２号、米国特許出願公開第２００８／０２２２３５１号、米国特許出願公開第２０１１／０１２３１５０号、および米国特許出願公開第２０１１／０１２３１５１号に開示されており、これらそれぞれの全体は、全体が本明細書に記載されているかのように、参照により本明細書に組み込まれる。
【０００３】
米国特許第９，３７４，１６５号の図９Ｃを参照すると、ケーブル１１６は、ただ１つまたはそれ以上の光ファイバーケーブルを単独で、または１つ以上の銅ケーブルと組み合わせて、含み得る。トランシーバー１１５は、第１の基板１１３と、第１の基板１１３上に装着され得る光学エンジンと、を含み得る。第１の基板１１３は第１のプリント回路基板として構成され得る。光学エンジンは、ケーブル１１６から光信号を受信し、光信号を電気信号に変換するように構成される。さらに、光学エンジンは、電気信号を受信し、電気信号を光信号に変換し、光信号をケーブルに沿って送信するように構成されている。回路基板１１３は、プロトコルに特化したデータ転送のために電気信号を調整することを含め、トランシーバーに、かつトランシーバーから送信された電気信号を送り、かつ／または修正するように構成された、ＩＣチップ１１５ｆ（図６Ｄ）を含み得る
【０００４】
図１０Ａに示すように、相互接続システムは、少なくとも１つの第２の基板１１８、例えば第２のプリント回路基板上に装着された、第１の電気コネクタ１５２および第２の電気コネクタ１５４をさらに含む。図９Ｃのトランシーバーは、図１０Ｃに示すように、第１の電気コネクタおよび第２の電気コネクタの両方と嵌合するように構成される。動作中、ケーブル１１６から、図９Ｃのトランシーバーによって受信された光信号は、電気信号へと変換される。電気信号のうちの１つは、第１の電気コネクタへと送られ、電気信号のうちの他のものは、第２の電気コネクタへと送られる。例えば、高速電気信号は第１の電気コネクタへと送られ得、低速電気信号は第２の電気コネクタへと送られ得る。例えば、第１の電気コネクタは、少なくとも１０ギガビット／秒のデータ転送速度で電気信号を送信するように構成され得る。電力もまた第２の電気コネクタへと送られ得る。逆に、第１および第２の電気コネクタから図９Ｃのトランシーバーによって受信された電気信号は、光信号へと変換されて、ケーブル１１６の光ケーブルに沿って出力される。当然、ケーブルが導電性ケーブルを含む実施形態では、トランシーバーは、導電性ケーブルから電気信号を受信し、電気信号をケーブル１１６に送信するように構成されている。電気信号のうちのさまざまなものが、第１の電気コネクタへと送られ、電気信号のうちのさまざまな他のものが、第２の電気コネクタへと送られる。当然、ケーブル１１６が電気ケーブルのみを含む場合、トランシーバーは、光学エンジンなしで設けられ得る。
【０００５】
第１の電気コネクタ１５２は、第２の電気コネクタ１５４が第２のプリント回路基板１１８に装着される場所から前方向に離間した場所において、第２のプリント回路基板１１８に装着され得る。同様に、第２の電気コネクタ１５４は、第１の電気コネクタ１５２から、前方向とは反対の後方向に離間する。よって、第１の電気コネクタ１５２は前方電気コネクタと呼ばれ得、第２の電気コネクタ１５４は後方電気コネクタと呼ばれ得る。米国特許第９，３７４，１６５号の図１０Ｃに例示する一実施例では、トランシーバー回路基板１１３は、前方向において第１の電気コネクタ１５２に嵌合され、それによって、第１の電気コネクタの電気接点と第１の回路基板１１３の導電性ランド（electrically conductive lands）との間に電気接続を確立させる。第１の電気コネクタ１５２は、直角電気コネクタとして構成され得る。次に、回路基板１１３は、第１の回路基板１１３の底部側の導電性ランドを、垂直コネクタとして構成され得る第２の電気コネクタ１５４の垂直圧迫電気接点上に持ってくることによって、第２の電気コネクタ１５４と嵌合され得る。
【０００６】
〔概要〕
本開示の一態様によると、相互接続システムは、ホストモジュールの第１および第２の電気コネクタと嵌合するように構成された相互接続モジュールを含み得、第２の電気コネクタは、第１の電気コネクタから後方向に離間し、第１の電気コネクタは、第２の電気コネクタよりも速いデータ転送速度で動作するように構成されている。相互接続モジュールは、モジュール基板、およびモジュール基板によって支持された光学エンジンと、モジュール基板に装着され、光学エンジンを少なくとも部分的に取り囲むモジュールハウジングと、を含み得る。相互接続システムは、バックアウト防止ラッチをさらに含み得、バックアウト防止ラッチは、モジュールハウジングに旋回可能に取り付けられるように構成された少なくとも１つの旋回部材を画定し、バックアウト防止ラッチは、旋回軸を中心として、係合解除位置と係合位置との間を、モジュールハウジングに対して旋回可能である。バックアウト防止ラッチが係合位置にあるとき、１）バックアウト防止ラッチとモジュールハウジングとの間の第１の機械的干渉は、後方向のバックアウト防止ラッチに対する後方向への相互接続モジュールの移動を制限し得、２）ラッチとホストモジュールとの間の第２の機械的干渉は、第１および第２の電気コネクタに対して後方向へのラッチの移動を制限し得、かつ３）後方向への移動が制限されることにより、相互接続モジュールを第１および第２の電気コネクタから分離するのに十分であろう距離だけ、相互接続モジュールが第１および第２の電気コネクタに対して後方向に動くのを防ぐことができる。バックアウト防止ラッチが係合解除位置にあるとき、第２の機械的干渉は除去され得、相互接続モジュールは、相互接続モジュールを第１および第２の電気コネクタのうちの少なくとも１つから分離するように十分な距離だけ、第１および第２の電気コネクタに対して後方向に動くことができる。バックアウト防止ラッチは、ラッチが係合位置にあるときにホストモジュールと共に第２の機械的干渉を定めるフィンガーを含み得る。フィンガーは、ラッチが係合位置にあるときに第１の電気コネクタより上に配され得る。
【０００７】
以下の詳細な説明は、添付図面と併せて読むとより良く理解されるであろう。図面では、例示目的で、例としての実施形態が示されている。しかしながら、本開示は図示される厳密な配列および手段に制限されるものではないことを、理解されたい。
【０００８】
〔詳細な説明〕
本開示は、第３の電気コネクタ、例えばトランシーバーなどの相互接続モジュールが、第１および第２のコネクタに対して後方向に移動するのを防ぐのが望ましいことを認識しており、このような移動は、相互接続モジュールを第１および第２の電気コネクタのうちの一方または両方から分離させるものである。したがって、トランシーバー１１５を第１および第２の電気コネクタのうちの一方または両方から分離させるのに十分な距離だけ後方向に相互接続モジュールが動くのをラッチが防ぐ係合位置まで、動くように構成された、さまざまなラッチが開示される。
【０００９】
最初に図１Ａを参照すると、第１のプリント回路基板として構成され得る、第１の基板または相互接続基板１１３が、第１の端部１１９ａと、第１の端部１１９ａの反対側の第２の端部１１９ｂと、を画定している。具体的には、第１の端部１１９ａは、第２の端部１１９ｂから前方向に離間していてよい。同様に、第２の端部１１９ｂは、第１の端部１１９ａから後方向に離間していると言える。よって、第１の端部１１９ａは前端部と呼ぶことができ、第２の端部１１９ｂは後端部と呼ぶことができる。
【００１０】
前方向および後方向は、長さ方向Ｌに沿って延びていると言える。第１のプリント回路基板１１３は、第１の側面１２０ａと、第１の側面１２０ａの反対側の第２の側面１２０ｂと、をさらに画定する。第１の側面１２０ａおよび第２の側面１２０ｂは、横断方向Ｔに沿って互いから離間している。横断方向Ｔは、長さ方向Ｌに実質的に垂直な向きである。第１の側面１２０ａは、第２の側面１２０ｂから上方向に離間していると言える。同様に、第２の側面１２０ｂは、第１の側面１２０ａから、上方向の反対側の下方向に離間していると言える。上方向および下方向はいずれも、横断方向Ｔに沿って延びていると言える。用語「上向き」、「上方」、「上」、「上位」、およびそれらの派生語が、上方向に関して本明細書で使用される。用語「下向き」、「下方」、「下」、「下位」、およびそれらの派生語が、下方向に関して本明細書で使用される。当然、トランシーバー１１５の実際の向きが使用中に変わり得ること、また、上向き、下向きという用語、およびそれらそれぞれの派生語が、使用中のトランシーバー１１５の向きに関わらず本明細書に記載されるように一貫して使用され得ることを、認識されたい。
【００１１】
第１のプリント回路基板１１３は、第１の側面１２０ａ上における第１の列の導電性ランド、および第２の側面１２０ｂ上における第２の列の導電性ランドをさらに画定する。第１の列のランドは、横断方向Ｔおよび長さ方向Ｌのそれぞれに対して実質的に垂直な向きの横方向Ａに沿って、互いから離間している。同様に、第２の列のランドは、横方向Ａに沿って互いから離間している。
【００１２】
第２のプリント回路基板として構成され得る、第２の基板またはホスト基板１１８は、第１の端部１２１ａと、第１の端部の反対側の第２の端部１２１ｂと、を画定する。具体的には、第１の端部１２１ａは、第２の端部１２１ｂから前方向に離間していてよい。同様に、第２の端部１２１ｂは、第１の端部１２１ａから後方向に離間していると言える。よって、第１の端部１２１ａは前端部と呼ぶことができ、第２の端部１２１ｂは後端部と呼ぶことができる。
【００１３】
前述したように、トランシーバー１１５は、第１の電気コネクタ１５２および第２の電気コネクタ１５４と嵌合するように構成される。例えば、トランシーバー１１５は、第１のプリント回路基板１１３の第１の端部１１９ａが第１の電気コネクタ１５２と嵌合されるまでトランシーバー１１５を前方向に挿入することによって、第１の電気コネクタ１５２に嵌合されるように構成される。第１のプリント回路基板１１３は、第２のプリント回路基板１１８に対して角度をなして向けられ得る。例えば、第１の端部１１９ａは、横断方向Ｔに沿って第２のプリント回路基板１１８から第１の距離だけ離間してよく、第２の端部１１９ｂは、第２のプリント回路基板１１８から、第１の距離より大きい第２の距離だけ離間してよい。いったんトランシーバー１１５が第１の電気コネクタ１５２と嵌合されると、第１のプリント回路基板１１３の第２の端部１１９ｂは次に、第２の電気コネクタ１５４上へと下ろされてよく、プリント回路基板１１３の第２の側面１２０ｂ上の電気的ランドが、第２の電気コネクタ１５４の電気接点と接触して置かれる。あるいは、第１のプリント回路基板１１３は、第１の電気コネクタ１５２に嵌合されている間、第２のプリント回路基板１１８に平行な向きであってもよく、この場合、第１のプリント回路基板１１３は、第１の電気コネクタ１５２に嵌合するのと実質的に同時に、第２の電気コネクタ１５４に嵌合され得る。
【００１４】
第１の電気コネクタ１５２は高速電気信号を受信するように構成され得、第２の電気コネクタ１５４は低速電気信号、パワー信号（power signals）、またはその両方を受信するように構成され得るが、第１の電気コネクタ１５２および第２の電気コネクタ１５４が代わりに所望のとおり構成されてもよいことを認識されたい。さらに、相互接続モジュール１０２は一実施形態によるとトランシーバー１１５として構成されるが、相互接続モジュール１０２は、代わりに、所望のとおりに、第１の電気コネクタ１５２および第２の電気コネクタ１５４のそれぞれと電気通信させられるように構成された電気的構成要素として構成され得る。相互接続モジュール１０２は、相互接続モジュール１０２の１つ以上の構成要素を少なくとも部分的に取り囲み得るモジュールハウジング１４６をさらに含み得る。例えば、図１Ｂに示すように、相互接続モジュール１０２が光学エンジンおよび光ケーブル１１６Ａを含むトランシーバーとして構成された場合、モジュールハウジングは金属ハウジングであってよい。モジュールハウジング１４６は、光学エンジンに電気的遮蔽を提供し得る。代わりに、またはさらに、モジュールハウジング１４６は、光学エンジンから熱を運び去ることができる。図１Ｃに示すように、ケーブル１１６が導電性ケーブルのみを含む場合、モジュールハウジング１４６は、光学エンジンなどのトランシーバーの１つ以上の構成要素を少なくとも部分的に取り囲むプラスチックハウジングであってよい。モジュールハウジング１４６は、第１のプリント回路基板１１３に装着されるか、または別様に第１のプリント回路基板１１３によって支持され得る。一実施例では、例えば相互接続モジュール１０２が光学トランシーバーを含む場合、モジュールハウジング１４６は、ヒートシンクとして構成され得る。よって、図１Ｂに示すように、モジュールハウジング１４６は、金属、熱伝導性プラスチック、または任意の代替的な適切な熱伝導性材料であってよい。図１Ｃなどの他の実施形態では、例えば、ケーブル１１６が導電性ケーブルのみを含む場合、モジュールハウジング１４６は、プラスチックなどの電気絶縁性材料として構成され得る。モジュールハウジング１４６は、使用されるケーブル１１６、１１６Ａの種類に関わらず、導電性または非導電性であってよい。
【００１５】
次に概して図１Ａ、図２Ａ、図３Ａ、図４Ａ、図４Ｄ、図５Ａ、図６Ａ、図７Ａ、図８Ａ、図８Ｂ、図９Ａ、図１０Ａ、図１１Ａ、および図１２Ａを参照すると、相互接続モジュール１０２が、第１の電気コネクタ１５２および第２の電気コネクタ１５４それぞれの一方または両方から不注意に分離するのを防ぐことが望ましいと認識される。したがって、相互接続システム１００は、前述したようなトランシーバー１１５などの相互接続モジュール１０２と、後方向への相互接続システム１００のバックアウトを防ぐように構成されたバックアウト防止ラッチと、を含み得る。よって、モジュールハウジング１４６は、いくつかの実施例では、トランシーバーハウジングと呼ばれることもできる。相互接続システム１００が第１の電気コネクタ１５２および第２の電気コネクタ１５４の一方または両方をさらに含み得ることを、さらに認識されたい。相互接続システム１００は、第２のプリント回路基板１１８を、単独で、または、第１の電気コネクタ１５２および第２の電気コネクタ１５４の一方もしくは両方と組み合わせて、さらに含み得る。さらに、第１の電気コネクタ１５２および第２の電気コネクタ１５４の一方または両方は、前述したように、第２のプリント回路基板１１８上に装着され得る。第１の電気コネクタ１５２および第２の電気コネクタ１５４の少なくとも一方または両方が装着された第２のプリント回路基板１１８は、ホストモジュール１０４と呼ぶことができる。ラッチは、図２Ａ〜図１０Ｃを参照して以下でさらに詳細に説明するものを含め、所望のとおりに任意の適切な実施形態に従って構成され得る。ラッチは、金属またはプラスチックなどの任意の適切な材料で作ることができる。
【００１６】
以下でさらに説明するように、第１の電気コネクタ１５２および第２の電気コネクタ１５４が、下にあるホスト基板１１８に頑強に固定されることを確実にすることも望ましい。よって、相互接続システム１００は、第１の電気コネクタ１５２および第２の電気コネクタ１５４を下にあるホスト基板１１８にさらに固定するように構成された、固定部材を含み得る。
【００１７】
図２Ａを参照すると、相互接続システム１００は、前述したように、相互接続モジュール１０２およびホストモジュール１０４を含み得る。ホストモジュール１０４は、ホスト基板１１８を含み得る。代わりに、またはさらに、ホストモジュール１０４は、少なくとも１つのホスト電気コネクタを含み得る。少なくとも１つのホスト電気コネクタは、第１の電気コネクタ１５２および第２の電気コネクタ１５４を含み得る。第１の電気コネクタ１５２および第２の電気コネクタ１５４は、ホスト基板１１８に装着されるように構成され得る。あるいは、第１の電気コネクタ１５２および第２の電気コネクタ１５４は、ホスト基板１１８に装着され得る。
【００１８】
第１の電気コネクタ１５２は、第１の電気絶縁性コネクタハウジング１４８と、このコネクタハウジングによって支持される第１の複数の電気接点１５０と、を含む。例えば、第１の複数の電気接点１５０は、横方向Ａに沿って向きを定められた列をなして配列され得る。第１のコネクタハウジング１４８は、相互接続モジュール１０２を第１の電気コネクタ１５２と嵌合させるようにモジュール基板１１３の第１の端部を受容するように構成されたレセプタクルを画定する。具体的には、モジュール基板１１３の第１の端部は、第１のコネクタハウジング１４８のレセプタクル内へと前方向に挿入されて、モジュール基板１１３の導電性ランドを第１の電気コネクタ１５２の第１の複数の電気接点１５０のそれぞれと嵌合させるように構成されている。
【００１９】
第２の電気コネクタ１５４は、第２の電気絶縁性コネクタハウジング１５３と、このコネクタハウジングによって支持される第２の複数の電気接点１５５と、を含む。例えば、第２の複数の電気接点１５５は、横方向Ａに沿って向きを定められた少なくとも１つの列をなして配列され得る。第２の複数の電気接点１５５は、ホスト基板１１８から離れて横断方向に沿って第２のコネクタハウジング１５３から延出し得る。よって、モジュール基板１１３の第２の端部の下方表面上の導電性ランドは、第２の複数の電気接点１５５のそれぞれの上へと下ろされて、相互接続モジュール１０２を第２の電気コネクタ１５４と嵌合させ得る。
【００２０】
相互接続システム１００は、相互接続モジュール１０２がホストモジュール１０４から不注意に分離するのを防ぐように設計された、バックアウト防止ラッチ１６０を含み得る。ラッチ１６０は、相互接続モジュール１０２と機械的に連絡させられるように構成された支持部材１６２と、支持部材１６２から外にまたは垂直に延び、ホストモジュール１０４と機械的に連絡させられるように構成された少なくとも１つのフィンガー１６４と、を含み得る。例えば、少なくとも１つのフィンガー１６４は、支持部材１６２から横断方向Ｔに沿って下に延びることができる。相互接続モジュール１０２がホストモジュール１０４の少なくとも１つの電気コネクタと嵌合すると、ラッチ１６０は、係合解除位置と係合位置との間を移動可能になり得る。具体的には、ラッチ１６０は、横断方向Ｔに沿って、係合解除位置と係合位置との間を並進運動可能になり得る。例えば、ラッチ１６０は、ラッチ１６０を係合解除位置から係合位置へと移動させるように下方向に、また、ラッチ１６０を係合位置から係合解除位置へと移動させるように上方向に、並進運動可能であってよい。ラッチ１６０が係合位置にあるとき、第１の機械的干渉が、ラッチ１６０と相互接続モジュール１０２との間に定められ、これは、ラッチ１６０に対する後方向への相互接続モジュール１０２の後方移動を制限する。第１の機械的干渉は、バックアウト防止ラッチ１６０と相互接続モジュール１０２との間のアバットメントを含み得る。
【００２１】
さらに、ラッチ１６０が係合位置にあるとき、第２の機械的干渉が、フィンガー１６４とホストモジュール１０４との間に定められ、これは、ホストモジュール１０４の少なくとも１つの電気コネクタに対するラッチ１６０の後方移動を制限する。第２の機械的干渉は、バックアウト防止ラッチ１６０とホストモジュール１０４との間のアバットメントを含み得る。後方移動が制限されると、相互接続モジュール１０２が、相互接続モジュール１０２をホストモジュール１０４の少なくとも１つの電気コネクタから分離するのに十分であろう距離だけ、ホストモジュール１０４の少なくとも１つの電気コネクタに対して後方向に移動するのを防ぐことができる。例えば、第１および第２の機械的干渉は、バックアウト防止ラッチ１６０に対する相互接続モジュール１０２の後方移動、およびホストモジュール１０４の少なくとも１つの電気コネクタに対するラッチ１６０の後方移動をそれぞれ実質的に防ぐことができる。ラッチ１６０が係合解除位置にあるとき、少なくとも第２の機械的干渉が除去され、相互接続モジュール１０２は、相互接続モジュール１０２をホストモジュール１０４の少なくとも１つの電気コネクタから分離するように十分な距離だけ、ホストモジュール１０４の少なくとも１つの電気コネクタに対して後方向に移動可能となる。
【００２２】
ラッチ１６０は、一対の第１および第２のフィンガー１６４を含み得、これらは、互いから離間され、互いに平行な向きであり、かつ支持部材１６２から延びることができる。よって、支持部材１６２は、フィンガー１６４間に接続され得る。例えば、支持部材１６２は、横方向Ａに沿ってフィンガー１６４間に接続され得る。支持部材１６２およびフィンガー１６４は、互いとモノリシックであってよい。あるいは、支持部材１６２およびフィンガー１６４は、所望のとおりに任意の適切な方法で互いに取り付けられ得る。支持部材１６２は、横方向Ａに沿って細長い上方クロスバーとして構成され得る。フィンガー１６４は、支持部材１６２の横方向に相対する端部から下に延びることができる。例えば、フィンガー１６４は、横断方向Ｔに沿って細長くてよい。相互接続モジュール１０２は、モジュールハウジング１４６の上端部内へと延びる凹部１６６を含み得る。凹部１６６は、横断方向Ｔに沿ってモジュールハウジング１４６の上端部内へと下に延びることができる。凹部は、横方向Ａに沿ってモジュールハウジング１４６の上端部を通って延びることができる。凹部１６６は、支持部材１６２を受容するようなサイズであってよい。相互接続モジュール１０２は、凹部１６６から横断方向Ｔに沿ってモジュールハウジング１４６を通って延びる、一対のチャネル１６８などの少なくとも１つのチャネル１６８をさらに含み得る。ホストモジュール１０４は、同様にチャネル１７０（図２Ｂおよび図２Ｅ）を画定することができ、これらはそれぞれ、少なくとも第２のコネクタハウジング１５３のそれぞれの横方向外側端部の中へ、またはそれを通って延びる。チャネル１７０は、横断方向Ｔに沿って少なくとも１つのチャネル１６８（図２Ａおよび図２Ｂ）と整列され得る。
【００２３】
動作中、ラッチ１６０は、係合位置（図２Ｂ）と係合解除位置（図２Ａ）との間を並進運動可能であってよい。例えば、ラッチ１６０は、後方向に対して角度がオフセットした方向に沿って係合位置と係合解除位置との間を並進運動可能であってよい。角度がオフセットした方向は、横断方向Ｔであってよい。具体的には、図２Ａおよび図２Ｂに示すように、ラッチ１６０は、横断方向Ｔに沿って相互接続システム１００（図２Ａ）に挿入され得、１）支持部材１６２は凹部１６６内に嵌まり、フィンガー１６４は、少なくとも１つのチャネル１６８およびチャネル１７０それぞれを通って延びる。支持部材１６２とモジュールハウジング１４６との間のアバットメントは、第１の機械的干渉を定め得る。フィンガー１６４と第２のコネクタハウジング１５３との間のアバットメントは、第２の機械的干渉を定め得る。具体的には、フィンガーと第２のコネクタハウジング１５３の横方向に相対する端部との間のアバットメントが、第２の機械的干渉を定め得る。以下でさらに詳細に説明するように、コネクタハウジングの横方向に相対する端部は、固定部材に取り付けられるように構成され、固定部材は、ホスト基板１１８に取り付けられるように構成される。具体的には、コネクタハウジングの横方向に相対する端部は、それぞれの固定部材によって受容されるように構成される。
【００２４】
図２Ａ〜図２Ｃに示すように、支持部材１６２は、支持部材１６２が凹部１６６内に嵌まったときにモジュールハウジング１４６の相補的突出部１６５（図２Ａおよび図２Ｂ）を受容するように構成された、少なくとも１つの凹部１６３をさらに画定し得る。少なくとも１つの凹部１６３は、支持部材１６２の前端部内へと後方向に延びることができる。例えば、支持部材１６２は、横方向Ａに沿って互いから離間している一対の凹部１６３を含み得る。凹部１６３は、横断方向に沿って支持部材１６２を通って延びることができる。凹部１６３および相補的突出部１６５は実質的に同じサイズおよび形状を有してよく、突出部１６５が凹部１６３に噛み合うと、支持部材１６２とモジュールハウジング１４６との間の干渉が、横方向Ａに沿ったラッチ１６０と相互接続モジュール１０２（図２Ａ）との間の相対運動を防ぐ。
【００２５】
図２Ａおよび図２Ｂに示すように、ラッチ１６０は、ホストモジュール１０４から横断方向Ｔに沿って上方向に除去されてよく、これにより、第２の干渉が除去される。具体的には、ラッチフィンガー１６４は、第２の干渉を除去するようにチャネル１７０から除去され得る。よって、ラッチ１６０は、相互接続モジュール１０２が、相互接続モジュール１０２を第１の電気コネクタ１５２および第２の電気コネクタ１５４の少なくとも一方または両方から分離させるように十分な距離だけ、ホストモジュール１０４に対して後方向に並進運動するのを妨げない。ラッチ１６０は、ラッチ１６０を相互接続モジュール１０２から除去するように上方向にさらに並進運動することができ、これによって第１の機械的干渉を除去する。
【００２６】
次に図２Ｄ〜図２Ｅも参照すると、前述したように、相互接続システム１００（図２Ａ）は、第１の電気コネクタ１５２および第２の電気コネクタ１５４のうちの一方に連結されるように構成され、かつホスト基板１１８（図２Ａ）に固定されるようにさらに構成された、少なくとも１つの固定部材をさらに含み得る。よって、少なくとも１つの固定部材１７２、１８８は、第１の電気コネクタ１５２および第２の電気コネクタ１５４のうちの対応する少なくとも一方をホスト基板１１８に取り付けるように構成されている。固定部材は、下にあるホスト基板１１８のアパーチャ内に固定されるように構成された、固定タブを含み得る。例えば、固定タブは、金属材料でめっきされた貫通孔として構成され得る、ホスト基板１１８のアパーチャ内に溶接され得る。あるいは、本明細書に記載するすべての固定部材の固定タブは、ホスト基板１１８のアパーチャ内に、圧入されるか、掛け金をかけられるか、１つ以上のファスナを用いて留められるか、もしくは固定されるか、または、別様に、所望のとおり任意の適切な方法でホスト基板１１８に固定され得る。固定部材は、対応するコネクタハウジングに取り付けられるようにさらに構成され、それによって、コネクタハウジングを下にあるホスト基板１１８にさらに固定する。固定部材は電気接点ではなく、対応する電気コネクタの電気接点とはサイズおよび形状が異なることが認識されるであろう。例えば、固定タブは、ホスト基板１１８に装着される電気接点の装着端部よりも、横方向および長さ方向において向きを定められた平面に沿って厚くてよい。
【００２７】
図２Ｄに示すように、ホストモジュール１０４（図２Ａ）、よって、相互接続システム１００（図２Ａ）は、第１の電気コネクタ１５２をホスト基板１１８（図２Ａ）にさらに固定するように構成された、固定部材１７２を含み得る。例えば、固定部材１７２は、直立壁１７６と、直立壁１７６の下端部から後方向に延びる下方壁１７８と、を有する固定本体１７４を含み得る。固定本体１７４は、直立壁１７６の上端部から後方向に延びる上方壁１８０をさらに含み得る。上方壁１８０は、下方壁１７８の反対側にあってよく、横断方向Ｔに沿って下方壁１７８から離間して、これらの間に開口部を画定し得る。下方壁１７８は、上方壁１８０に対して後方向にオフセットした場所まで延び得る。直立壁１７６、上方壁１８０、および下方壁１７８はすべて、横断方向Ｔおよび長さ方向Ｌによって定められる平面に沿って、互いに同一平面上であってよい。さらに、直立壁１７６、上方壁１８０、および下方壁１７８はすべて、その平面に垂直である横方向Ａよりも、その平面において大きい寸法であってよい。
【００２８】
固定部材１７２は、固定本体１７４から下に延びる固定タブ１８２をさらに含み得る。例えば、固定タブ１８２は、下方壁１７８から延び得る。固定タブ１８２は、下にあるホスト基板１１８のアパーチャ内に固定されるように構成される。例えば、固定タブ１８２は、ホスト基板１１８のアパーチャ内に溶接され得る。固定部材１７２は、固定部材１７２を第１の電気コネクタ１５２に取り付けるように、第１のコネクタハウジング１４８のスロット１７５に受容されるように構成され得る。例えば、直立壁１７６は、スロット１７５内に挿入されるように構成される。
【００２９】
固定本体１７４は、固定部材１７２を第１の電気コネクタ１５２に固定するように第１のコネクタハウジング１４８に係合するように構成された保持隆起１８４を含み得る。例えば、保持隆起１８４は、上方壁１８０から延びることができる。一実施例では、保持隆起１８４は、上方壁１８０から下方壁１７８に向かって延びることができる。よって、保持隆起１８４は、固定本体１７４から開口部内へ延びることができる。固定本体１７４は、直立壁１７６から前方向に延びる少なくとも１つの突出部１８６をさらに含み得る。よって、突出部１８６は、直立壁１７６から離れて、固定部材１７２の開口部から離れる方向に延びることができる。突出部１８６は、横断方向Ｔおよび長さ方向Ｌによって定められる同じ平面内に位置し得る。一実施例では、固定本体１７４は、横断方向に沿って互いから離間した、突出部１８６のうちの第１および第２の突出部を含み得る。
【００３０】
固定部材１７２が所望のとおりに任意の数の固定本体１７４を含み得ることを認識されたい。例えば、固定部材１７２は、前述したように、ホスト基板１１８と第１の電気コネクタ１５２との間に連結されるように構成された、単一の固定本体１７４を含み得る。あるいは、固定部材１７２は、前述したようにホスト基板１１８と第１の電気コネクタ１５２との間に連結されるようにそれぞれが構成された、第１および第２の固定本体１７４を含み得る。例えば、第１および第２の固定本体１７４は、第１のコネクタハウジング１４８の横方向外側端部に取り付けられ得る。一実施例では、第１の複数の電気接点１５０は、第１の固定本体１７４と第２の固定本体１７４との間に配され得る。
【００３１】
次に図２Ｅを参照すると、ホストモジュール１０４（図２Ａ）、よって、相互接続システム１００（図２Ａ）は、第２の電気コネクタ１５４をホスト基板１１８にさらに固定するように構成された、第２の固定部材１８８を含み得る。この点について、第１の電気コネクタ１５２をホスト基板１１８に固定するように構成された固定部材１７２は、第１の固定部材と呼ぶことができる。第２の電気コネクタ１５４をホスト基板１１８に固定するように構成された第２の固定部材１８８は、第２の固定部材と呼ぶことができる。
【００３２】
第２の固定部材１８８は、第２の固定部材１８８を第２の電気コネクタ１５４に取り付けるように、第２のコネクタハウジング１５３の一部を取り囲むように構成された、上方部分１９０を有する第２の固定本体１８９を含み得る。この点について、上方部分１９０は、サドルと呼ぶことができる。例えば、第２の固定部材１８８は、開口部１９２を画定することができ、これは、少なくとも上方部分１９０内へ、または上方部分１９０を通って延び、第２のコネクタハウジング１５３の一部を受容するようなサイズである。開口部１９２は、例えば、横方向Ａに沿って、上方部分１９０内へ、または上方部分１９０を通って延びることができる。例えば、開口部１９２は、第２のコネクタハウジング１５３の一部に相補的である形状を有し得る。
【００３３】
第２の固定本体１８９は、上方部分１９０から延出する固定タブ１９４をさらに含み得る。固定タブ１９４は、例えば、横断方向Ｔに沿って上方部分１９０から下に延びることができる。第２の固定部材１８８は、第２の複数の電気接点１５５とは異なるサイズおよび形状である。例えば、第２の固定部材１８８が第２のコネクタハウジング１５３に取り付けられると、上方部分１９０は、電気接点１５５のそれぞれの嵌合端部から上向きにオフセットする。
【００３４】
第２の固定部材１８８が、所望のとおりに任意の数の第２の固定本体１８９を含み得ることを認識されたい。例えば、第２の固定部材１８８は、前述したようにホスト基板１１８と第２の電気コネクタ１５４との間に連結されるように構成された、単一の固定本体１８９を含み得る。あるいは、第２の固定部材１８８は、前述したように、ホスト基板１１８と第２の電気コネクタ１５４との間に連結されるようにそれぞれが構成された、第１および第２の固定本体１８９を含み得る。例えば、第１および第２の固定本体１８９は、第２のコネクタハウジング１５３の横方向外側端部に取り付けられ得る。一実施例では、第２の複数の電気接点１５５は、第１の固定本体１８９と第２の固定本体１８９との間に配され得る。
【００３５】
図３Ａ〜図１２Ｉを概して参照すると、相互接続システム１００が、前述したように係合位置まで移動可能である、所望のとおり任意の実施形態による、任意の適切に構成されたラッチを含み得ることが認識される。さらに、図３Ａ〜図１２Ｉを参照して以下で説明するような相互接続システム１００は、別段の指示がない限り、前述したように、相互接続モジュール１０２と、ホストモジュール１０４と、第１の固定部材１７２および第２の固定部材１８８と、を含み得る。
【００３６】
次に図３Ａ〜図３Ｃを参照すると、相互接続システム１００は、相互接続モジュール１０２と、ホストモジュール１０４と、を含み得る。ホストモジュール１０４は、ホスト基板１１８を含み得る。代わりに、またはさらに、ホストモジュール１０４は、少なくとも１つのホスト電気コネクタを含み得る。少なくとも１つのホスト電気コネクタは、第１の電気コネクタ１５２および第２の電気コネクタ１５４のうちの一方または両方を含み得る。第１の電気コネクタ１５２および第２の電気コネクタ１５４は、ホスト基板１１８に装着されるように構成され得る。あるいは、第１の電気コネクタ１５２および第２の電気コネクタ１５４は、ホスト基板１１８に装着され得る。
【００３７】
第１の電気コネクタ１５２は、第１の電気絶縁性コネクタハウジングと、このコネクタハウジングによって支持された第１の複数の電気接点と、を含む。第１のコネクタハウジングは、プラスチックで作られてよい。例えば、第１の複数の電気接点は、横方向Ａに沿って向きを定められた列をなして配列され得る。第１のコネクタハウジングは、相互接続モジュール１０２を第１の電気コネクタ１５２と嵌合させるように、モジュール基板１１３の第１の端部を受容するように構成された、レセプタクルを画定する。具体的には、モジュール基板１１３の第１の端部は、第１のコネクタハウジングのレセプタクル内へと前方向に挿入されて、モジュール基板１１３の導電性ランドを、第１の電気コネクタ１５２の第１の複数の電気接点のうちのそれぞれと嵌合させるように構成されている。前方向は、長さ方向Ｌに沿って向きを定められ得る。長さ方向Ｌは、前方向の反対側である後方向をさらに定める。
【００３８】
第２の電気コネクタ１５４は、第２の電気絶縁性コネクタハウジング１５３と、このコネクタハウジングによって支持された第２の複数の電気接点１５５と、を含む。第２のコネクタハウジング１５３は、プラスチックで作られてよい。第２の複数の電気接点１５５は、ホスト基板１１８から離れて横断方向Ｔに沿って第２のコネクタハウジング１５３から延出し得る。よって、モジュール基板１１３の第２の端部の下方表面上の導電性ランドは、第２の複数の電気接点１５５のうちのそれぞれと接触させられて、相互接続モジュール１０２を第２の電気コネクタ１５４と嵌合させることができる。電気接点１５５が、モジュール基板１１３との接触に応じて、下にあるホスト基板１１８に向けて圧迫される、圧迫接点として構成され得ることが、認識される。具体的には、電気接点１５５は、モジュール基板１１３に接触して電気接点１５５をモジュール基板１１３と電気通信させるように構成された、接触位置１５８を定める。例えば、接触位置１５８は、横断方向Ｔに沿った電気接点１５５の最上位置であってよい。一実施例では、電気接点１５５は、湾曲した嵌合端部を画定することができ、その頂点が接触位置１５８を定める。第２の複数の電気接点１５５は、横方向Ａに沿って向きを定められた少なくとも１つの列１５６をなして、配列され得る。例えば、電気接点１５５は、長さ方向Ｌに沿って互いから離間した第１および第２の列１５６をなして配列され得る。接触位置１５８は、列１５６と整列され得る。
【００３９】
相互接続システム１００は、相互接続モジュール１０２がホストモジュール１０４から不注意に分離するのを防ぐように設計された、バックアウト防止ラッチ４４４を含み得る。ラッチ４４４は、相互接続モジュール１０２と機械的に連絡させられるように構成された支持部材４４６と、支持部材４４６から、またはこれに対して垂直に延びており、ホストモジュール１０４と機械的に連絡させられるように構成された、少なくとも１つのフィンガー４４８と、を含み得る。例えば、少なくとも１つのフィンガー４４８は、横断方向Ｔに沿って支持部材４４６から下に延びることができる。あるいは、ラッチ４４４は、支持部材４４６から下に延びる少なくとも１つのアーム４５０を含んでよく、少なくとも１つのフィンガー４４８は、少なくとも１つのアーム４５０から下に延びることができる。少なくとも１つのフィンガー４４８はそれぞれ、アーム４５０の長さより短い、長さ方向Ｌに沿った長さを定めることができる。
【００４０】
相互接続モジュール１０２がホストモジュール１０４の少なくとも１つの電気コネクタと嵌合すると、ラッチ４４４は、係合解除位置と係合位置との間を移動可能になり得る。具体的には、ラッチ４４４は、係合解除位置と係合位置との間を、相互接続モジュール１０２に対して横断方向Ｔに沿って並進運動可能であってよい。例えば、ラッチ４４４は、ラッチ４４４を係合解除位置から係合位置まで移動させるように下方向に、また、ラッチ４４４を係合位置から係合解除位置まで移動させるように上方向に、並進運動可能であってよい。ラッチ４４４が係合位置にあるとき、第１の機械的干渉がラッチ４４４と相互接続モジュール１０２との間に定められ、これは、ラッチ４４４に対する後方向への相互接続モジュール１０２の後方移動を制限する。第１の機械的干渉は、バックアウト防止ラッチ４４４と相互接続モジュール１０２との間のアバットメントを含み得る。あるいは、ラッチ４４４は、第１の機械的干渉を定めるように、相互接続モジュール１０２とモノリシックであってよい。
【００４１】
さらに、ラッチ４４４が係合位置にあるとき、第２の機械的干渉がラッチ４４４とホストモジュール１０４との間に定められ、これは、ホストモジュール１０４の少なくとも１つの電気コネクタに対するラッチ４４４の後方移動を制限する。具体的には、第２の機械的干渉は、ラッチフィンガー４４８とホストモジュール１０４との間に定められ得る。第２の機械的干渉は、バックアウト防止ラッチ４４４とホストモジュール１０４との間のアバットメントを含み得る。後方移動が制限されると、相互接続モジュール１０２が、相互接続モジュール１０２をホストモジュール１０４の少なくとも１つの電気コネクタから分離するのに十分であろう距離だけ、ホストモジュール１０４の少なくとも１つの電気コネクタに対して後方向に移動するのを防ぐことができる。例えば、第１および第２の機械的干渉は、バックアウト防止ラッチ４４４に対する相互接続モジュール１０２の後方移動、およびホストモジュール１０４の少なくとも１つの電気コネクタに対するラッチ４４４の後方移動をそれぞれ実質的に防ぐことができる。ラッチ４４４が係合解除位置にあるとき、少なくとも第２の機械的干渉が除去され、相互接続モジュール１０２は、相互接続モジュール１０２をホストモジュール１０４の少なくとも１つの電気コネクタから分離するように十分な距離だけ、ホストモジュール１０４の少なくとも１つの電気コネクタに対して後方向に移動可能となる。
【００４２】
ラッチ４４４は、横方向Ａに沿って互いから離間していてよい一対の第１および第２のフィンガー４４８を含み得る。第１および第２のフィンガー４４８は、互いに平行な向きであってよい。支持部材４４６は、フィンガー４４８間に接続され得る。例えば、支持部材４４６は、横方向Ａに沿ってフィンガー４４８間に接続され得る。支持部材４４６およびフィンガー４４８は、互いとモノリシックであってよい。あるいは、支持部材４４６およびフィンガー４４８は、所望のとおりに任意の適切な方法で互いに取り付けられ得る。支持部材４４６は、横方向Ａに沿って細長い上方クロスバーとして構成され得る。フィンガー４４８は、支持部材４４６の横方向に相対する端部に対して下に延びることができる。例えば、フィンガー４４８は、横断方向Ｔに沿って細長くてよい。ラッチ４４４は、支持部材４４６の相対する端部から下に延びる第１および第２のアーム４５０と、アーム４５０の下端部から下に延びるフィンガー４４８と、をそれぞれ含み得る。フィンガー４４８は、それぞれのアーム４５０に対して揺り動かされることができる。
【００４３】
相互接続システム１００、特にホストモジュール１０４は、ラッチが係合位置にあるときにラッチ４４４に係合するように構成された少なくとも１つの固定部材５００を含み得る。例えば、第２の電気コネクタ１５４は、少なくとも１つの固定部材５００を含み得る。代わりに、またはさらに、固定部材５００は、モジュール基板１１３を第２の電気コネクタ１５４の電気接点に接して保持するように構成され得る。固定部材５００は、横断方向Ｔに沿った分離に関して、モジュール基板１１３を第２の電気コネクタ１５４に固定するように構成され得る。
【００４４】
固定部材５００は、第２のコネクタハウジング１５３によって支持され得る。例えば、固定部材５００は、第２のコネクタハウジング１５３に取り付けられ得る。代わりに、固定部材５００は、ホスト基板１１８に取り付けられ得、第２のコネクタハウジングは、固定部材５００に対して支持され、取り付けられ得る。さらに代わりに、第２の電気コネクタおよび固定部材５００の両方が、互いに、また、ホスト基板１１８に、取り付けられ得る。さらに代わりに、固定部材５００は、第２のコネクタハウジング１５３とモノリシックであってよい。この点について、固定部材５００が、第２のコネクタハウジング１５３と同じ材料で、または、第２のコネクタハウジング１５３とは異なる材料で、作られ得ることを認識されたい。例えば、固定部材５００は、プラスチックで作られてよい。代わりに、またはさらに、固定部材５００は、金属で作られてよい。一実施例では、相互接続モジュール１０２は、横方向Ａに沿って互いから離間した位置でコネクタハウジング１５３によって支持された第１および第２の固定部材５００を含み得る。例えば、第１および第２の固定部材５００は、コネクタハウジング１５３の横方向に相対する端部によって支持され得る。よって、第１および第２の固定部材５００は、横方向Ａに沿って互いと整列され得る。
【００４５】
固定部材５００は、基部５０１と、横断方向Ｔに沿って基部５０１から上に延びる固定壁５０２と、を含む。固定部材５００は、基部５０１から下に延びる複数の装着突出部５３５をさらに含み得る。装着突出部５３５は、ホスト基板１１８のそれぞれの装着アパーチャに受容されて、固定部材５００をホスト基板１１８に装着するように構成されている。固定壁５０２は、固定表面５０４を画定する。固定表面５０４は、固定部材５００の外側表面であってよい。固定表面５０４は前方向を向いていてよい。固定壁５０２は、アバットメント表面５０５をさらに画定し得る。アバットメント表面５０５は後方向を向いていてよい。固定部材５００は、基板保持アーム５０６として構成され得る基板保持部材をさらに含み得る。基板保持アーム５０６は、横断方向Ｔに沿ったモジュール基板１１３の厚さに少なくとも等しい距離だけ、横断方向Ｔに沿って基部５０１から離間している。よって、固定部材５００は、モジュール基板１１３の一部を受容するようなサイズの基板受容間隙５０８を画定し得る。よって、モジュール基板１１３のその一部は、固定部材の基板受容間隙５０８に挿入されるように構成され、位置づけられ得る。基板受容間隙５０８は、横断方向Ｔに沿って保持アーム５０６と基部５０１との間に画定され得る。
【００４６】
基板受容間隙５０８は、後方向では開口しており、前方向ではアバットメント表面５０５によって閉鎖されている。よって、モジュール基板１１３は、モジュール基板１１３が固定部材５００に当接するまで、特に固定壁５０２に当接するまで、間隙５０８内へと前方向に挿入され得る。よって、モジュール基板１１３は、モジュール基板１１３が固定部材５００に当接するまで、特に固定壁５０２に当接するまで、基板受容間隙５０８内に挿入され得る。例えば、モジュール基板１１３は、アバットメント表面５０５に当接し得る。モジュール基板１１３と固定部材５００との間のアバットメントにより、相互接続モジュール１０２がホストモジュール１０４に対して前方向に移動するのを防ぐことができる。よって、モジュール基板１１３とホストモジュール１０４との間のアバットメントにより、相互接続モジュール１０２がホストモジュール１０４に対して前方向に移動するのを防ぐことができると言える。さらに、固定部材５００それぞれの固定壁が長さ方向Ｌに沿ってモジュール基板１１３とそれぞれのフィンガー４４８との間に捕捉され得ることを認識されたい。保持アーム５０６は、モジュール基板１１３を間隙５０８内へとガイドするように構成された、斜めの導入表面５１４（図３Ｄを参照）を画定し得る。斜めの導入表面５１４は、固定壁５０２に向かって前方向に延びるにつれて、基部５０１に向かって勾配がついている。
【００４７】
固定部材５００は、第２のコネクタハウジング１５３に取り付けられるように構成され得る。例えば、固定部材５００は、固定開口部５１０を画定することができ、これは、固定部材５００を第２のコネクタハウジング１５３に固定するように、第２のコネクタハウジング１５３の突出部５１２を受容するようなサイズである。固定開口部５１０は、基部５０１によって画定されてよく、横方向Ａに沿って基部５０１内へ、または基部５０１を通って延びることができる。突出部５１２は横方向Ａに延出することができる。突出部５１２は、固定開口部５１０に圧入されるようなサイズであってよい。突出部５１２および固定開口部５１０はそれぞれ、非円形の形状を定め、固定部材５００が横方向Ａに沿って向きを定められた軸を中心として第２のコネクタハウジング１５３に対して回転するのを防ぐことができる。代わりに、またはさらに、固定部材５００は、コネクタハウジング１５３の受容アパーチャ内へ横方向Ａに沿って延びる１つ以上の突出部を含み得る。よって、突出部は、所望のとおりに円形または非円形の形状であってよい。
【００４８】
次に図３Ｂを参照すると、コネクタの中心線ＣＬは、横方向Ａに沿って向きを定められてよく、第２の電気コネクタ１５４を、長さ方向Ｌに沿って等しい半分に分割することができる。一実施例では、固定表面５０４および列１５６のうちの第１の列は、列１５６のうちの第２の列に対してコネクタ中心線ＣＬの同じ側に配され得る。列１５６のうちの第１の列は、長さ方向Ｌに対してコネクタ中心線ＣＬと固定表面５０４との間に配され得る。保持アーム５０６は、固定壁５０２から自由端部まで延びていてよく、この自由端部は、列１５６のうちの第２の列が、その自由端部とコネクタ中心線ＣＬとの間に配されるように配されており、列１５６のうちの第２の列は、接触位置１５８が圧迫されていないときに接触位置１５８によって定められる。基部５０１は前端部を画定し、前端部は、列１５６のうちの第１の列が基部５０１の前端部と中心線ＣＬとの間に配されるように配されている。
【００４９】
次に図３Ｅを参照すると、モジュール基板１１３は、横方向Ａに沿って互いから離間している、相対する第１の横方向側面１１７ａおよび第２の横方向側面１１７ｂを画定する。モジュール基板１１３は、第１の横方向側面１１７ａおよび第２の横方向側面１１７ｂそれぞれの中に延びる第１のノッチ１２５ａおよび第２のノッチ１２５ｂをそれぞれ画定する。ノッチ１２５ａおよび１２５ｂは、モジュール基板１１３が第１の電気コネクタ１５２および第２の電気コネクタ１５４それぞれと嵌合されるように整列したときに、基板保持アーム５０６が横断方向Ｔに沿ってそれらのノッチを通過することができるように位置づけられ、サイズ決めされている。例えば、ノッチ１２５ａおよび１２５ｂは、保持アーム５０６の長さより長い、長さ方向Ｌに沿った長さを有し得る。モジュール基板１１３は、固定部材５００の基板受容間隙５０８に受容されるように構成された、第１の保持領域１２７ａおよび第２の保持領域１２７ｂをさらに画定し得る。さらに、第１の保持領域１２７ａおよび第２の保持領域１２７ｂは、固定部材５００のアバットメント表面５０５に当接するように構成された、モジュール基板１１３のそれぞれのアバットメント表面を画定する。第１の保持領域１２７ａおよび第２の保持領域１２７ｂは、第１のノッチ１２５ａおよび第２のノッチ１２５ｂそれぞれから、後方向に延びる。よって、第１の保持領域１２７ａおよび第２の保持領域１２７ｂのそれぞれのアバットメント表面は、第１のノッチ１２５ａおよび第２のノッチ１２５ｂをそれぞれ部分的に画定し得る。さらに、第１の保持領域１２７ａおよび第２の保持領域１２７ｂは、長さ方向Ｌに沿って、第１のノッチ１２５ａおよび第２のノッチ１２５ｂとそれぞれ整列され得る。よって、ノッチ１２５ａ〜１２５ｂは、長さ方向に関して、保持領域１２７ａ〜１２７ｂと前端部１１９ａにおける電気接触パッドとの間に配される。前端部１１９ａにおける電気接触パッドは、前端部１１９ａが第１の電気コネクタ１５２に受容されると、第１の電気コネクタ１５２の電気接点と嵌合するように構成されている。
【００５０】
次に図３Ｆを参照すると、動作中、相互接続モジュール１０２は、第１の電気コネクタ１５２および第２の電気コネクタ１５４と嵌合されるよう、整列されるように構成される。具体的には、モジュール基板１１３は、少なくとも１つのノッチが横断方向Ｔに沿って、対応する固定部材５００の保持アーム５０６と整列されるように、位置づけられる。よって、少なくとも１つのノッチと整列される保持領域は、保持アーム５０６に対して後方向にオフセットしている。一実施例では、第１のノッチ１２５ａおよび第２のノッチ１２５ｂは、それぞれ、第１および第２の固定部材５００の保持アーム５０６と、横断方向Ｔに沿って整列している。よって、少なくとも１つのノッチと整列される保持領域は、保持アーム５０６に対して後方向にオフセットしている。図３Ｆでは、相互接続モジュール１０２は、モジュール基板１１３および固定部材５００を示すためにトランシーバーが除去された状態で図示されている。実際、トランシーバーハウジング１４６を含め、トランシーバーは、モジュール基板１１３を第１の電気コネクタ１５２および第２の電気コネクタ１５４に嵌合させる間、モジュール基板１１３に装着され得る。
【００５１】
モジュール基板１１３は次に、モジュール基板１１３が長さ方向Ｌに沿って固定部材５００の基板受容間隙５０８と整列するまで、第２の電気コネクタ１５４に向かって、よってホスト基板１１８に向かって、横断方向Ｔに沿って下方に並進運動する。具体的には、保持領域１２７ａおよび１２７ｂは、長さ方向Ｌに沿って固定部材５００の基板受容間隙５０８と整列する。例えば、保持領域１２７ａおよび１２７ｂは、長さ方向Ｌに沿って斜めの導入表面５１４（図３Ｄを参照）と整列し得る。この位置では、モジュール基板１１３の前端部１１９ａは、長さ方向に沿って、第１の電気コネクタ１５２のレセプタクルと整列する。図３Ｇおよび図２Ｈに示すように、モジュール基板１１３は次に、モジュール基板１１３が第１の電気コネクタ１５２および第２の電気コネクタ１５４と嵌合するまで、ホストモジュール１０４に対して前方向に並進運動する。さらに、モジュール基板１１３が第１および第２の電気コネクタと嵌合すると、モジュール基板１１３の保持領域１２７ａおよび１２７ｂが、固定部材５００の基板受容間隙５０８に受容される。図３Ｇでは、相互接続モジュール１０２は、モジュール基板１１３および固定部材５００を示すためにトランシーバーが除去された状態で図示されている。実際、トランシーバーハウジング１４６を含め、トランシーバーは、モジュール基板１１３を第１の電気コネクタ１５２および第２の電気コネクタ１５４に嵌合させる間、モジュール基板１１３に装着され得る。
【００５２】
前述したように、電気接点１５５は、モジュール基板１１３が特に接触位置１５８において、電気接点１５５と接触させられたときに、下にあるホスト基板１１８に向かって圧迫されるように構成される。よって、電気接点は、横断方向に沿って、第１の位置から圧迫位置まで圧迫される。基板保持アーム５０６は、電気接点１５５が第１の位置にあるときに横断方向Ｔに沿ってある距離だけ接触位置１５８からオフセットし得る。この距離は、モジュール基板１１３の厚さより小さい。よって、モジュール基板１１３が基板受容間隙５０８に挿入されると、固定部材５００は、電気接点１５５を圧迫位置に保持する位置に、モジュール基板１１３を維持することができる。したがって、基板保持アーム５０６は、横断方向Ｔにおいて電気接点１５５に抗してモジュール基板１１３に圧迫力を加えるように構成された圧迫部材と呼ぶことができる。この点について、固定部材５００は、モジュール基板１１３が横断方向Ｔに沿って電気接点１５５から分離されるのを防ぐことができる。
【００５３】
次に図３Ｉを参照すると、いったんモジュール基板１１３が第１の電気コネクタ１５２および第２の電気コネクタ１５４と嵌合すると、ラッチ４４４は、係合解除位置（図３Ｉ）から係合位置（図３Ａ）まで移動することができる。例えば、ラッチ４４４は、後方向に対して角度がオフセットした方向に沿って、係合解除位置と係合位置との間を並進運動するように構成される。角度がオフセットした方向は、横断方向Ｔであってよい。具体的には、ラッチ４４４は、横断方向Ｔに沿って相互接続システム１００に挿入され得、フィンガー４４８は、それぞれの固定部材５００の固定壁５０４の前方の位置まで挿入される。一実施例では、フィンガー４４８は、固定表面５０４に当接し得る。
【００５４】
ラッチ４４４と相互接続モジュール１０２との間のアバットメントは、ラッチ４４４が相互接続モジュール１０２に対して後方向に移動するのを防ぐ、第１の機械的干渉を定め得る。例えば、相互接続モジュール１０２と支持部材４４６およびフィンガー４４８のうちの一方または両方との間のアバットメントは、ラッチ４４４が相互接続モジュール１０２に対して後方向に移動するのを防ぐ、第１の機械的干渉を定め得る。フィンガー４４８と固定部材５００との間のアバットメントは、第２の機械的干渉を定め得る。具体的には、フィンガー４４８と固定表面５０４との間のアバットメントは、第２の機械的干渉を定め得る。よって、フィンガー４４８および固定表面５０４が、ラッチ４４４を第２の電気コネクタ１５４に取り付けるように係合するよう構成された、それぞれの相補的な係合部材を画定することを認識されたい。さらに、ラッチ４４４の係合部材は、相互接続モジュール１０２をホストモジュール１０４に取り付けるように、相補的な係合部材と嵌合するよう構成されていると言える。
【００５５】
一実施例では、相互接続モジュール１０２は、モジュールハウジング１４６に取り付け可能なヒートシンク４２０を含み得る。あるいは、ヒートシンク４２０は、モジュールハウジング１４６とモノリシックであってよい。ラッチ４４４とヒートシンク４２０との間のアバットメントは、第１の機械的干渉を定めることができる。図３Ａ〜図３Ｃを参照すると、ヒートシンク４２０は、熱を放散させるように構成された複数のフィン４３０を含む。一実施例では、フィン４３０は、横方向Ａに沿って互いから離間し得る。ヒートシンク４２０は、フィン４３０内へと延びる複数の固定凹部４３２など、少なくとも１つの固定凹部４３２をさらに含み得る。少なくとも１つの固定凹部４３２はそれぞれ、横断方向Ｔに沿って、モジュールハウジング１４６に向かって、フィン４３０の上端部内へと延びる固定ノッチを含み得る。固定ノッチは、横方向Ａに沿ってフィン４３０を通ってさらに延びることができる。少なくとも１つの固定凹部４３２はそれぞれ、横方向に沿ってヒートシンク４２０内に延びる一対の固定チャネルをさらに含み得る。固定チャネルは、ヒートシンク４２０の一対の相対する壁のそれぞれの中へと延びることができる。相対する壁は、横方向に相対する壁であってよい。例えば、相対する壁は、横方向Ａに沿ってフィン４３０のうち最も外側のフィンによって画定され得る。固定チャネルは、横方向Ａに沿ってフィン４３０のうち最も外側のフィンの横方向外側表面内に延びることができる。固定チャネルそれぞれの少なくとも一部から全体に至るまでが、横方向Ａに沿ってフィン４３０のうちそれぞれの最も外側のフィンを通って延びない。固定チャネルは、横断方向に沿ってフィン４３０のうち最も外側のフィンを通って延びることができる。
【００５６】
相互接続モジュール１０２は、ヒートシンク４３０をモジュールハウジング１４６に固定するように構成された、対応する少なくとももう１つの固定バンド４３４を含み得る。例えば、少なくとも１つの固定バンド４３４は、少なくとも１つの固定凹部４３２のうちの対応する１つに挿入され、モジュールハウジング１４６に固定されるように構成され、それにより、ヒートシンク４２０をモジュールハウジング１４６に固定することができる。具体的には、固定バンド４３４はそれぞれ、それぞれの相対する端部４３８を画定し得る。固定バンドはそれぞれ、相対する端部４３８間に延びる中間セクション４３５をさらに含み得る。中間セクションは、固定ノッチのそれぞれに受容されるように構成される。相対する端部４３８は、横断方向Ｔに沿って、固定チャネルそれぞれを通って延びるように構成され得る。固定バンド４３４は、アパーチャ４４０を画定し、これは、固定バンド４３４をモジュールハウジング１４６に取り付けるため、モジュールハウジング１４６の相補的な（complimentary）突出部４４２を受容するように構成されている。突出部４４２は、横方向Ａに沿って、モジュールハウジング１４６から延出し得る。突出部４４２は、モジュールハウジング１４６の相対する横方向外側表面から延出し得る。アパーチャ４４０は、相対する端部４３８それぞれを通って延びることができる。一対の突出部４４２は、長さ方向Ｌに沿って、別の対の突出部４４２より幅が狭くてよい。その一対の突出部４４２のうちの１つは、その一対の突出部４４２のもう一方から、後方向に離間していてよい。あるいは、これらの対の突出部４４２は、互いに同じサイズおよび形状を有し得る。
【００５７】
固定バンド４２２のうちの１つの端部４３８は、長さ方向Ｌに沿って固定バンド４２２のうちの別の１つの端部４３８より幅が狭くてよい。固定バンド４２２のうちの１つは、固定バンド４２２のうちの別の１つから、後方向に離間していてよい。あるいは、固定バンド４２２の端部４３８は、互いに同じサイズおよび形状を有し得る。固定バンド４２２がそれぞれの固定凹部４３２に挿入され、モジュールハウジング１４６に固定されると、ヒートシンク４２０は、モジュールハウジング１４６に装着されたと言える。例えば、ヒートシンク４２０は、モジュールハウジング１４６の上方表面に装着され得る。
【００５８】
ヒートシンク４２０は、ラッチ４４４が係合位置にあるときにラッチ４４４を受容するように構成された、ラッチ受容凹部４３６をさらに画定し得る。具体的には、ラッチ受容凹部４３６は、横方向Ａに沿ってフィン４３０のうちの少なくとも１つの中に延びてよく、横断方向Ｔに沿ってフィン４３０の少なくとも１つに沿って延びてよい。具体的には、ラッチ受容凹部４３６は、横方向に沿ってヒートシンク４２０の中に延びる一対のチャネルと、横断方向Ｔに沿ってヒートシンク４２０の上端部の中へと下に延びるノッチと、を含み得る。具体的には、ノッチは、フィン４３０の上方表面の中に延びることができる。ノッチは、横方向Ａに沿ってフィン４３０を通ってさらに延びることができる。チャネルは、ヒートシンク４２０の一対の相対する壁のうちのそれぞれの中に延びることができる。相対する壁は、横方向に相対する壁であってよい。例えば、相対する壁は、横方向Ａに沿ってフィン４３０のうちの最も外側のフィンによって画定され得る。チャネルは、横方向Ａに沿ってフィン４３０のうちの最も外側のフィンの横方向外側表面の中に延びることができる。チャネルそれぞれの少なくとも一部から全体までは、横方向Ａに沿ってフィン４３０のうちのそれぞれの最も外側のフィンを通って延びない。チャネルは、横断方向に沿ってフィン４３０のうちの最も外側のフィンを通って延びることができる。ラッチ４４４のそれぞれの一部は、ラッチが横断方向Ｔに沿って係合位置と係合解除位置との間を並進運動する際に、チャネルに入ることができる。
【００５９】
ラッチ受容凹部４３６の少なくとも一部は、固定凹部４３２のうちの１つに対して開口していてよい。当然、ラッチ４４４が、固定バンドを受容しないヒートシンク４２０の凹部によって受容され得ることを認識されたい。一実施例によると、ラッチ、特に支持部材４４６は、ラッチ受容凹部４３６においてフィン４３０にもたれるように構成されている。よって、支持部材４４６は、横断方向Ｔに沿って固定バンド４３４から上方に離間し得る。支持部材４４６がラッチ受容固定凹部４３６に配されると、フィンガー４４８は、長さ方向に沿って対応する固定部材５００と整列する位置まで延びる。例えば、フィンガー４４８は、固定表面５０４と当接していてよい。ラッチ４４４は第１の係合部を画定するようにヒートシンク４２０に当接し得るが、ラッチ４４４が、第１の係合部を画定するように、代わりに、モジュールハウジング１４６によって画定された凹部に収容されてもよいことを、認識されたい。ラッチ４４４がヒートシンク４２０と当接しているか、モジュールハウジング１４６と当接しているかに関わらず、ヒートシンク４２０と相互接続モジュール１０２との間のアバットメントが第１の機械的干渉を定め得ると言える。
【００６０】
図３Ｇ〜図３Ｉに示すように、ヒートシンク４２０は、モジュール基板１１３が第１の電気コネクタ１５２および第２の電気コネクタ１５４と嵌合された後で、モジュールハウジング１４６に取り付けられ得る。あるいは、図３Ｊに示すように、ヒートシンク４２０は、モジュール基板１１３を第１の電気コネクタ１５２および第２の電気コネクタ１５４と嵌合させる前に、モジュールハウジング１４６に取り付けられ得る。
【００６１】
図３Ｉに示すように、ラッチ４４４は、ホストモジュール１０４から横断方向Ｔに沿って上方向へと係合解除位置まで動かされ、それによって、第２の干渉を除去することができる。具体的には、ラッチフィンガー４４８は、固定部材５００と、特に固定壁５０２との整列から外され、第２の干渉を除去することができる。よって、ラッチ４４４が係合解除位置にあるとき、ラッチ４４４は、相互接続モジュール１０２が、相互接続モジュール１０２を第１の電気コネクタ１５２および第２の電気コネクタ１５４のうちの少なくとも一方または両方から分離するように十分な距離だけ、ホストモジュール１０４に対して後方向に並進運動するのを妨げない。ラッチ４４４は、ラッチ４４４をヒートシンク４２０のラッチ受容固定凹部４３２から除去するように上方向にさらに並進運動されて、それによって、第１の機械的干渉を除去することができる。
【００６２】
次に図３Ｋも参照すると、相互接続システム１００は、付勢力を前方向にラッチ４４４に対して加えるように構成された、付勢部材４３７を含み得る。したがって、付勢力は、相互接続モジュール１０２を第１の電気コネクタ１５２と嵌合された状態に維持することができる。具体的には、付勢力は、モジュール基板１１３の前端部を第１の電気コネクタ１５２内に維持することができる。付勢部材４３７は、ラッチが係合位置にあるときにラッチ４４４に接触するように構成され得る。例えば、付勢部材４３７は、ラッチが係合位置にあるときにのみ、ラッチ４４４に接触するように構成され得る。付勢部材４３７は、ホストモジュール１０４によって支持され得る。一実施例では、付勢部材４３７は、第２の電気コネクタ１５４によって支持され得る。例えば、付勢部材４３７は、固定部材１８８から延出し得る。あるいは、付勢部材４３７は、第２のコネクタハウジングから延出し得る。ラッチ４４４は、片持ち脚部４３９を含み得、これは、ラッチ４４４の残部に対して、特にラッチ４４４のアーム４５０に対して、長さ方向Ｌに沿った偏向に対するばね定数を有する。片持ち脚部４３９は、長さ方向Ｌに沿ってフィンガー４４８から離間していてよい。あるいは、フィンガー４４８は、片持ち脚部４３９を画定することができる。片持ち脚部４３９は、ラッチ４４４が係合位置まで移動すると、付勢部材４３７に接触し得る。具体的には、片持ち脚部４３９の一部は、ラッチ４４４が係合解除位置において固定凹部４３２に受容されると、横断方向Ｔに沿って付勢部材４３７と整列され得る。よって、ラッチ４４４が係合位置まで移動するにつれて、付勢部材４３７は片持ち脚部４３９に当接し得る。付勢力により、片持ち脚部４３９は前方向に偏向することができ、これにより、相互接続モジュールを付勢して、ホストモジュールに対して前方向に動かす。ラッチ４４４は、停止部材４４１を含み得、これは、片持ち脚部４３９が前方向にさらに偏向するのを防ぐために片持ち脚部４３９に当接するように構成されている。例えば、停止部材４４１は、アーム４５０から後方向に延びることができる。
【００６３】
図３Ｌを参照して、別の実施例では、固定凹部４３２のチャネルは、第１のセクション４４３ａと、第１のセクション４４３ａの下端部から延びる、角度のついたセクション４４３ｂと、を有し得る。第１のセクション４４３ａは、横断方向Ｔに沿って延びることができる。角度のついたセクション４４３ｂは、第１のセクション４４３ａから下に延びるにつれて、後方向に延びることができる。ラッチ４４４は、前方表面４４５を画定することができ、これは、角度のついたセクション４４３ｂを画定する、ヒートシンク４２０の相補的表面４４７に沿って進むように構成されている。具体的には、前方表面４４５は、片持ち脚部４３９によって画定され得る。さらに、前方表面４４５は、ヒートシンク４２０の相補的表面４４７と表面接触していてよい。よって、前方表面４４５は、横断方向Ｔに沿って下に延びるにつれて、後方向に延びることができる。ラッチ４４４が固定凹部に沿って係合位置まで下に移動すると、ヒートシンク４２０の前方表面相補的表面４４７は、片持ち脚部４３９を付勢部材４３７に抗して後方向に偏向させる。よって、付勢部材４３７は、前向きの付勢力を片持ち脚部４３９に加え、これにより、相互接続モジュール１０２がホストモジュール１０４に対して前方向に付勢される。
【００６４】
次に図４Ａ〜図４Ｃを参照すると、相互接続システム１００（図４Ａ）は、相互接続モジュール１０２（図４Ａおよび図４Ｂ）がホストモジュール１０４（図４Ａ）から不注意に分離されるのを防ぐように設計された、バックアウト防止ラッチ１９６を含み得る。ラッチ１９６は、相互接続モジュール１０２と機械的に連絡させられるように構成された支持部材１９８と、支持部材１９８から延出し、ホストモジュール１０４と機械的に連絡させられるように構成された、少なくとも１つのフィンガー２００と、を含み得る。例えば、少なくとも１つのフィンガー２００は、横断方向Ｔに沿って支持部材１９８から下に延びることができる。相互接続モジュール１０２がホストモジュール１０４の少なくとも１つの電気コネクタと嵌合すると、ラッチ１９６は、係合解除位置と係合位置との間を移動可能となり得る。例えば、ラッチ１９６は、横断方向Ｔに沿って、係合解除位置と係合位置との間を並進運動可能となり得る。例えば、ラッチ１９６は、ラッチ１６０を係合解除位置から係合位置に動かすために下方向に、また、ラッチ１６０を係合位置から係合解除位置に動かすために上方向に、並進運動可能となり得る。ラッチ１９６が係合位置にあるとき、第１の機械的干渉がラッチ１９６と相互接続モジュール１０２との間に定められ、これは、ラッチ１９６に対する後方向への相互接続モジュール１０２の後方移動を制限する。第１の機械的干渉は、バックアウト防止ラッチ１９６と相互接続モジュール１０２との間のアバットメントを含み得る。
【００６５】
さらに、ラッチ１９６が係合位置にあるとき、第２の機械的干渉がフィンガー２００とホストモジュール１０４との間に定められ、これは、ホストモジュール１０４の少なくとも１つの電気コネクタに対するラッチ１９６の後方移動を制限する。第２の機械的干渉は、バックアウト防止ラッチ１９６とホストモジュール１０４との間のアバットメントを含み得る。後方移動が制限されると、相互接続モジュール１０２が、相互接続モジュール１０２をホストモジュール１０４の少なくとも１つの電気コネクタから分離するのに十分であろう距離だけ、ホストモジュール１０４の少なくとも１つの電気コネクタに対して後方向に移動するのを防ぐことができる。例えば、第１および第２の機械的干渉は、バックアウト防止ラッチ１９６に対する相互接続モジュール１０２の後方移動、およびホストモジュール１０４の少なくとも１つの電気コネクタに対するラッチ１９６の後方移動をそれぞれ実質的に防ぐことができる。ラッチ１９６が係合解除位置にあるとき、少なくとも第２の機械的干渉が除去され、相互接続モジュール１０２は、相互接続モジュール１０２をホストモジュール１０４の少なくとも１つの電気コネクタから分離するように十分な距離だけ、ホストモジュール１０４の少なくとも１つの電気コネクタに対して後方向に移動可能となる。
【００６６】
ラッチ１９６の少なくとも１つのフィンガー２００は、支持部材１９８から延びる、第１の対の第１および第２のフィンガー２００を含み得る。よって、支持部材１９８は、フィンガー２００間に接続され得る。具体的には、支持部材１９８は、横方向Ａに沿ってフィンガー２００間に接続され得る。支持部材１９８およびフィンガー２００は、互いとモノリシックであってよい。あるいは、支持部材１９８およびフィンガー２００は、所望のとおりに任意の適切な方法で互いに取り付けられ得る。支持部材１９８は、横方向Ａに沿って細長い上方クロスバーとして構成され得る。フィンガー２００は、支持部材１９８の横方向に相対する端部から下に延びることができる。例えば、フィンガー２００は、横断方向Ｔに沿って細長くてよい。
【００６７】
ラッチ１９６は、支持部材１９８から延びる、第２の少なくとも１つのフィンガー２０２をさらに含み得る。少なくとも１つのフィンガー２０２は、第１の少なくとも１つのフィンガーと呼ぶことができる。第２の少なくとも１つのフィンガー２０２は、ラッチ１９６を係合位置に解放可能に固定するように構成され得る。具体的には、第２の少なくとも１つのフィンガー２０２は、ラッチが係合位置にあるとき、モジュールハウジング１４６（図４Ａおよび図４Ｂ）に係合するように構成される。第２の少なくとも１つのフィンガー２０２は、長さ方向に沿って第１の少なくとも１つのフィンガー２０２から離間していてよい。具体的には、第２の少なくとも１つのフィンガー２０２は、第１の少なくとも１つのフィンガー２０２から後方向に離間していてよい。よって、第１の少なくとも１つのフィンガー２００および第２の少なくとも１つのフィンガー２０２は、相互接続モジュール１０２の一部をそれらの間に捕捉するように位置づけられ得る。相互接続モジュール１０２の捕捉される部分は、モジュールハウジング１４６によって画定され得る。
【００６８】
図４Ａおよび図４Ｂを参照すると、第２の少なくとも１つのフィンガー２０２は、モジュールハウジング１４６の後端部２０４に接して位置するように構成され得る。具体的には、第２の少なくとも１つのフィンガー２０２は、モジュールハウジング１４６の外表面に接して位置するように構成され得る。一実施例では、モジュールハウジング１４６の後端部２０４は、壁２０６と、壁２０６より下に配された凹部２０８と、を画定し得る。第２の少なくとも１つのフィンガー２０２は、キャッチ部材２１０（図４Ａ〜図４Ｃ）を画定することができ、これは、壁２０６より下に位置するように構成され、キャッチ部材２１０の一部は、横断方向Ｔに沿って壁２０６と整列される。キャッチ部材２１０は、壁２０６より下の位置まで、前方向に延びることができる。第２の少なくとも１つのフィンガー２０２は弾性であってよく、キャッチ部材２１０は、ラッチが係合位置まで下方向に移動すると、壁２０６上でカム動作するように構成されている。さらに、第２の少なくとも１つのフィンガー２０２は、ラッチ１９６が係合位置から係合解除位置まで上方向に移動すると、壁２０６上でカム動作するように構成され得る。したがって、第２の少なくとも１つのフィンガー２０２が壁２０６とホスト基板１１８との間の凹部に配されると、バックアウト防止ラッチは、係合位置に解放可能に固定されたと言える。
【００６９】
図４Ａ〜図４Ｃに示すように、第２の少なくとも１つのフィンガー２０２は、横方向Ａに沿って互いから離間している第１および第２のフィンガー２０２として構成され得る。第１および第２のフィンガー２０２は、長さ方向Ｌに沿って第１および第２のフィンガー２００のそれぞれと整列され得る。あるいは、第１および第２のフィンガー２０２は、横方向Ａに沿って第１および第２のフィンガー２００のそれぞれに対してオフセットしていてよい。
【００７０】
図４Ａおよび図４Ｂに示すように、モジュールハウジング１４６は、チャネル２１２を画定することができ、これは、モジュールハウジング１４６の上方表面１４７の中に延び、かつ、長さ方向Ｌに沿ってモジュールハウジング１４６を通って延びる。チャネル２１２は、少なくとも１つのケーブル１１６を受容するようなサイズである。したがって、相互接続モジュール１０２が、動作中、別の相互接続システム１００（図４Ａ）の相互接続モジュール１０２から後方に離間すると、他の相互接続システム１００の少なくとも１つのケーブル１１６は、チャネル２１２を通って延びるように構成される。図４Ａ〜図４Ｃに示すように、ラッチ１９６は、横断方向Ｔに沿って支持部材１９８の上端部の中に延びるチャネル１９７を含み得る。チャネル１９７は、長さ方向Ｌに沿って支持部材１９８を通って延びることができる。チャネル１９７は、少なくとも１つのケーブルを他の相互接続システムから受容するように、長さ方向Ｌに沿ってチャネル２１２（図４Ａおよび図４Ｂ）と整列され得る。
【００７１】
動作中、ラッチ１９６は、係合位置と係合解除位置との間を並進運動可能であってよい。例えば、ラッチ１９６は、後方向に対して角度がオフセットした方向に沿って、係合位置（図４Ｂ）と係合解除位置（図４Ａ）との間を、並進運動可能であってよい。角度がオフセットした方向は、横断方向Ｔであってよい。具体的には、ラッチ１９６は、横断方向Ｔに沿って相互接続システム１００（図４Ａ）に挿入され得、１）支持部材１９８は、凹部１６６（図４Ａおよび図４Ｂ）に位置し、第１のフィンガー２００は、少なくとも１つのチャネル１６８およびチャネル１７０をそれぞれ通って延びる。さらに、第２のフィンガー２０２は、ラッチ１９６を係合位置に解放可能に固定するように、モジュールハウジング１４６の壁２０６上でカム動作する。支持部材１９８とモジュールハウジング１４６との間のアバットメントは、第１の機械的干渉を少なくとも部分的に定め得る。さらに、第１のフィンガー２００とモジュールハウジング１４６との間のアバットメントは、第１の機械的干渉を少なくとも部分的に定め得る。フィンガー２００と第２のコネクタハウジング１５３との間のアバットメントは、第２の機械的干渉を定め得る。具体的には、第１のフィンガー２００と第２のコネクタハウジング１５３の横方向に相対する端部との間のアバットメントは、第２の機械的干渉を定め得る。
【００７２】
ラッチ１９６は、横断方向Ｔに沿って上方向にホストモジュール１０４（図４Ａ）から除去されて、それによって、第２の干渉を除去することができる。具体的には、図４Ａおよび図４Ｂに示すように、ラッチ１９６が上方向に移動すると、キャッチ部材２１０は、モジュールハウジング１４６の壁２０６上でカム動作する。キャッチ部材２１０と壁２０６との間の干渉により、ラッチ１９６が係合位置から係合解除位置へと不注意に移動するのを防ぐ。ラッチがホストモジュール１０４から除去されると、第１のラッチフィンガー２００は、第２の干渉を除去するように、チャネル１７０から除去され得る。よって、ラッチ１９６は、相互接続モジュール１０２が、相互接続モジュール１０２を第１の電気コネクタ１５２および第２の電気コネクタ１５４（図４Ａ）のうちの少なくとも一方または両方から分離するように十分な距離だけ、ホストモジュール１０４に対して後方向に並進運動するのを妨げない。ラッチ１９６は、ラッチ１９６を相互接続モジュール１０２から除去するように上方向にさらに並進運動され、それによって、第１の機械的干渉を除去し得る。
【００７３】
次に図５Ａ、図５Ｂ、および図５Ｄを参照すると、相互接続システム１００（図５Ａおよび図５Ｄ）は、相互接続モジュール１０２に取り付けられるように構成された、バックアウト防止ラッチ２１４を含み得る。相互接続モジュールは、モジュールハウジング１４６によって支持されるヒートシンク４２０を含み得る。具体的には、ヒートシンク４２０は、モジュールハウジング１４６に固定され得る。あるいは、ヒートシンク４２０は、モジュールハウジング１４６とモノリシックであってよい。よって、ヒートシンク４２０はモジュールハウジング１４６を画定し得ると言える。モジュールハウジング１４６はヒートシンク４２０を画定するとも言える。ヒートシンク４２０は、基部２１８と、基部２１８から延びる複数の直立フィン２１７と、を含み得る。フィン２１７は、フィン２１７のうちそれぞれ隣接するものの間に配された複数の凹部２１９を画定するように、互いから離間し得る。具体的には、フィン２１７は、長さ方向Ｌに沿って互いから離間し得る。フィン２１７は、横断方向Ｔおよび横方向Ａに沿って向きを定められたそれぞれの平面に沿って延びることができる。よって、凹部２１９はヒートシンク４２０の上方表面からフィン２１７間の位置まで下に延びると言える。凹部の底端部が、基部２１８によって画定され得る。図５Ａおよび図５Ｂを参照すると、ホストモジュール１０４（図５Ａ）は、間隙２２０を間に画定するように配列された、モジュールハウジング１４６のうちの第１および第２のモジュールハウジングを含み得る。間隙２２０は、モジュールハウジング１４６のうちの第１のモジュールハウジングと第２のモジュールハウジングとの間を、横方向Ａに沿って延びることができる。あるいは、相互接続モジュール１０２は、横断方向Ｔに沿って基部２１８を通って延びる間隙を画定する、単一のモジュールハウジング１４６を含み得る。モジュールハウジング１４６は、横断方向Ｔおよび長さ方向Ｌを含む平面において第１の電気コネクタ１５２のうちの第１および第２の電気コネクタと整列され得る。本明細書に記載するすべてのモジュールハウジング１４６が所望のとおりに一体的な構造体または複数の別個の構造体であってよいことを認識されたい。本明細書に記載するすべてのホストモジュール１０４が所望のとおりに複数の第１の電気コネクタ１５２および第２の電気コネクタ１５４を含み得ることをさらに認識されたい。
【００７４】
図５Ａ〜図５Ｃに示すように、ラッチ２１４は、相互接続モジュール１０２（図５Ａ）と機械的に連絡させられるように構成された支持部材２１６と、支持部材２１６から延出し、ホストモジュール１０４と機械的に連絡させられるように構成されたフィンガー２２１（図５Ａ、図５Ｃ、および図５Ｄ）と、を含み得る。例えば、フィンガー２２１は、横断方向Ｔに沿って支持部材２１６から下に延びることができる。フィンガー２２１は、長さ方向Ｌおよび横断方向Ｔによって定められる平面に沿って向きを定められ得る。よって、フィンガー２２１は、横方向Ａに沿って幅広いというより、長さ方向Ｌに沿って長くすることができる。さらに、フィンガー２２１は、長さ方向Ｌに沿って長いというより、横断方向Ｔに沿って高さが高い。ラッチ２１４は、支持部材２１６から延びる少なくとも１つの外側フィンガー２２２をさらに含む。例えば、少なくとも１つの外側フィンガー２２２は、横断方向Ｔに沿って支持部材２１６から下に延びることができる。少なくとも１つの外側フィンガー２２２は、一対の外側フィンガー２２２を含み得、フィンガー２２１は、横方向Ａに沿って外側フィンガー２２２間に配される。よって、フィンガー２２１は、中間フィンガーと呼ぶことができる。フィンガー２２１は、外側フィンガー２２２のそれぞれより、支持部材２１６からさらに下に延びることができる。さらに、少なくとも１つのフィンガー２２１は、横方向Ａに沿って外側フィンガー２２２のそれぞれと整列され得る。
【００７５】
図５Ａに示すように、相互接続モジュール１０２がホストモジュール１０４の少なくとも１つの電気コネクタと嵌合されると、ラッチ２１４は、係合解除位置（図５Ａ）と係合位置（図５Ｂおよび図５Ｄ）との間を移動可能となり得る。例えば、ラッチ２１４は、横断方向に沿って、係合解除位置と係合位置との間を並進運動可能であってよい。例えば、ラッチ２１４は、ラッチ１６０を係合解除位置から係合位置まで移動させるために下方向に、また、ラッチ１６０を係合位置から係合解除位置まで移動させるために上方向に、並進運動可能であってよい。ラッチ２１４が係合位置にあるとき、第１の機械的干渉がラッチ２１４と相互接続モジュール１０２との間に定められ、これは、ラッチ２１４に対する後方向への相互接続モジュール１０２の後方移動を制限する。第１の機械的干渉は、バックアウト防止ラッチ２１４と相互接続モジュール１０２との間のアバットメントを含み得る。具体的には、第１の機械的干渉は、モジュールハウジング１４６およびラッチ２１４によって定められ得る。
【００７６】
さらに、ラッチ２１４が係合位置にあるとき、第２の機械的干渉がフィンガー２２１とホストモジュール１０４との間に定められ、これは、ホストモジュール１０４の少なくとも１つの電気コネクタに対するラッチ２１４の後方移動を制限する。第２の機械的干渉は、バックアウト防止ラッチ２１４とホストモジュール１０４との間のアバットメントを含み得る。後方移動が制限されると、相互接続モジュール１０２が、相互接続モジュール１０２をホストモジュール１０４の少なくとも１つの電気コネクタから分離するのに十分であろう距離だけ、ホストモジュール１０４の少なくとも１つの電気コネクタに対して後方向に移動するのを防ぐことができる。例えば、第１および第２の機械的干渉は、バックアウト防止ラッチ２１４に対する相互接続モジュール１０２の後方移動、およびホストモジュール１０４の少なくとも１つの電気コネクタに対するラッチ２１４の後方移動をそれぞれ実質的に防ぐことができる。ラッチ２１４が係合解除位置にあるとき、少なくとも第２の機械的干渉が除去され、相互接続モジュール１０２は、相互接続モジュール１０２をホストモジュール１０４の少なくとも１つの電気コネクタから分離するように十分な距離だけ、ホストモジュール１０４の少なくとも１つの電気コネクタに対して後方向に移動可能となる。ラッチ２１４が係合解除位置にあるとき、この実施形態および図２Ａ〜図７Ｃに例示されるすべての他の実施形態において、第１の機械的干渉も除去され得る。前述したように、ホストモジュール１０４の少なくとも１つのコネクタは、第１の電気コネクタ１５２および第２の電気コネクタ１５４の一方または両方を含み得る。
【００７７】
図５Ａ、図５Ｂ、および図５Ｄに示すように、ラッチ２１４は、ラッチ２１４を係合解除位置から係合位置まで移動させるように、モジュールハウジング１４６の凹部２１９のそれぞれに受容されるように構成される。具体的には、支持部材２１６は、凹部のそれぞれに受容されるようなサイズである。よって、第１の機械的干渉は、モジュールハウジング１４６およびラッチ２１４によって定められ得る。具体的には、第１の機械的干渉は、フィン２１７のそれぞれおよび支持部材２１６によって定められ得る。支持部材２１６が凹部２１９のそれぞれに配されると、フィンガー２２１は、少なくとも１つのモジュールハウジング１４６の間隙２２０を通って、少なくとも１つのモジュールハウジング１４６の下の、ホストモジュール１０４に入る位置まで、延びることができる。
【００７８】
具体的には、フィンガーは、長さ方向Ｌに沿って第２の電気コネクタ１５４と整列される位置まで延びることができる。例えば、フィンガー２２１は、前方向において第２の電気コネクタ１５４に隣接して配され得る。例えば、フィンガー２２１は、第２のコネクタハウジング１５３に隣接して配され得る。具体的には、フィンガー２２１は、第２の電気コネクタ１５４、特に第２のコネクタハウジング１５３に当接し、第２の機械的干渉を定め得る。フィンガー２２１は、ラッチ２１４が係合位置にあるとき、ホスト基板１１８と接触する位置まで延びることができる。あるいは、フィンガー２２１は、ラッチが係合位置にあるとき、横断方向Ｔに沿ってホスト基板１１８より上に離間していてよい。
【００７９】
外側フィンガー２２２は、少なくとも１つのモジュールハウジング１４６のそれぞれの横方向側面の上を延びるように構成され得る。横方向側面は、モジュールハウジング１４６の外部の横方向に最も外側の側面であってよい。外側フィンガー２２２は、モジュールハウジング１４６のそれぞれの横方向側面上にクリップ留めされるように構成され得る。モジュールハウジング１４６の横方向側面は、モジュールハウジング１４６の基部２１８によって画定され得る。外側フィンガー２２２は、モジュールハウジング１４６のそれぞれの横方向側面上にクリップ留めされるように構成され得る。よって、外側フィンガー２２２は、ラッチが係合位置まで下方向に移動するときにモジュールハウジング１４６の横方向側面上でカム動作するように構成された、クリップ部材を画定し得る。外側フィンガー２２２は弾性であってよく、外側フィンガーは、ラッチが係合位置まで下方向に移動するときにモジュールハウジング１４６の横方向側面上でカム動作するように構成される。よって、外側フィンガー２２２の遠位端部は、基部２１８とホスト基板１１８との間に配され得る。したがって、外側フィンガー２２２が基部２１８と係合されると、外側フィンガーは、係合位置において相互接続モジュール１０２に解放可能に固定されたと言える。よって、ラッチ２１４は、係合位置で解放可能に固定される。外側フィンガー２２２は、ラッチ２１４が係合位置から係合解除位置に向かって移動すると、上方向に基部２１８上でカム動作することができる。
【００８０】
次に図６Ａ〜図６Ｂを参照すると、相互接続システム１００（図６Ａ）は、相互接続モジュール１０２（図６Ａおよび図６Ｂ）に取り付けられるように構成された、バックアウト防止ラッチ２３０を含み得る。相互接続モジュール１０２は、モジュールハウジング１４６によって支持されたヒートシンク４２０を含み得る。具体的には、ヒートシンク４２０は、モジュールハウジング１４６に固定され得る。あるいは、ヒートシンク４２０は、モジュールハウジング１４６とモノリシックであってよい。よって、ヒートシンク４２０はモジュールハウジング１４６を画定し得ると言える。モジュールハウジング１４６はヒートシンク４２０を画定するとも言える。ヒートシンク４２０は、基部２３３と、基部２３３（図６Ａ）から延びる複数の直立フィン２３２と、を含み得る。フィン２３２は、フィン２３２のうちのそれぞれの隣接するものの間に配された複数の凹部２３４を画定するように、互いから離間していてよい。具体的には、フィン２３２は、横方向Ａに沿って互いから離間していてよい。フィン２３２は、横断方向Ｔおよび長さ方向Ｌに沿って向きを定められたそれぞれの平面に沿って延びることができる。よって、凹部２３４は、ヒートシンク４２０の上方表面からフィン２３２のうちの隣接するものの間の位置まで延びると言える。凹部２３４の底端部は、基部２３３（図６Ａ）によって画定され得る。フィン２３２は、フィン２３２のうちの第１および第２の最も外側のフィンを含み得、これらは、モジュールハウジング１４６の中心から外方に向く外側表面２３６を画定する。外側表面２３６は、横方向Ａに沿ってヒートシンク４２０の中心から外方に向くことができる。さらに、外側表面２３６は、横方向Ａに沿って互いから外方に向くことができる。
【００８１】
ヒートシンク４２０は、ラッチ２３０を受容するように構成された、ラッチ受容凹部２３７を画定し得る。具体的には、ラッチ受容凹部２３７は、横方向に沿ってヒートシンク４２０内へと延びる一対のチャネル２４０と、横断方向Ｔに沿ってヒートシンク４２０の上端部内へと下に延びるノッチ２３８と、を含み得る。具体的には、ノッチ２３８は、フィン２３２の上方表面内へと延びることができる。ノッチ２３８は、横方向Ａに沿ってフィン２３２を通ってさらに延びることができる。さらに、チャネル２４０は、ヒートシンク４２０の一対の相対する壁のそれぞれの中に延びることができる。相対する壁は、横方向に相対する壁であってよい。例えば、相対する壁は、横方向Ａに沿ってフィン２３２のうちの最も外側のフィンによって画定され得る。チャネル２４０は、横方向Ａに沿ってフィン２３２の横方向外側表面内へと延びることができる。チャネル２４０それぞれの少なくとも一部から全体までは、横方向に沿ってフィン２３２のそれぞれを通って延びない。チャネル２４０は、横断方向Ｔに沿ってフィン２３２を通って延びることができる。チャネル２４０およびノッチ２３８は、横方向Ａおよび横断方向Ｔによって定められる平面に沿って、互いと整列され得る。
【００８２】
図６Ａ〜図６Ｃに示すように、ラッチ２３０は、相互接続モジュール１０２（図６Ａ）と機械的に連絡させられるように構成された、支持部材２４２を含み得る。図６Ａおよび図６Ｂに示すように、支持部材２４２は、ノッチ２３８内においてフィン２３２の上端部に接して位置するようなサイズである。ラッチ２３０は、一対のフィンガー２４４をさらに含み得、これらは、支持部材２４２から延出し、かつホストモジュール１０４（図６Ａ）と機械的に連絡して設置されるように構成されている。例えば、フィンガー２４４は、横断方向Ｔに沿って支持部材２４２から下に延びることができる。フィンガー２４４は、横方向Ａに沿って互いから離間していてよい。フィンガー２４４は、長さ方向Ｌおよび横断方向Ｔによって画定されたそれぞれの平面に沿って向きを定められ得る。よって、フィンガー２４４はそれぞれ、横方向Ａに沿って幅が広いというより、長さ方向Ｌに沿って、より長くすることができる。さらに、フィンガー２４４はそれぞれ、長さ方向Ｌに沿って長いというより、横断方向Ｔに沿って高さがより高い。フィンガー２４４は、支持部材２４２によって弾性的に支持され、互いから離れるように付勢されたときに互いに向かうばね力を定めることができる。さらに、フィンガー２４４はそれぞれ、突出部２４６を画定する遠位端部を画定することができる。突出部２４６は、互いの方を向くように向きを定められ得る。具体的には、突出部２４６は、横方向Ａに沿って互いの方を向くことができる。説明するように、フィンガー２４４は弾性であってよく、突出部２４６は、ラッチ２３０が係合位置にあるとき、ラッチ２３０をヒートシンク４２０に、特にヒートシンク４２０の基部２３３に、解放可能に固定するクリップとして構成される。さらに、突出部２４６は、ラッチ２３０が係合解除位置においてチャネル２４０内に配されると、ラッチ２３０をヒートシンク４２０に解放可能に固定することができる。
【００８３】
図６Ａに示すように、相互接続モジュール１０２がホストモジュール１０４の少なくとも１つの電気コネクタと嵌合されると、ラッチ２３０は、係合解除位置と係合位置（図６Ｂ）との間を移動可能となり得る。例えば、ラッチ２３０は、横断方向に沿って係合解除位置と係合位置との間を並進運動可能であってよい。例えば、ラッチ２３０は、ラッチ２３０を係合解除位置から係合位置まで移動させるために下方向に、また、ラッチ２３０を係合位置から係合解除位置まで移動させるために上方向に、並進運動可能であってよい。ラッチ２３０が係合位置にあるとき、第１の機械的干渉がラッチ２３０と相互接続モジュール１０２との間に定められ、これは、ラッチ２３０に対する後方向への相互接続モジュール１０２の後方移動を制限する。第１の機械的干渉は、バックアウト防止ラッチ２３０と相互接続モジュール１０２との間のアバットメントを含み得る。具体的には、フィンガー２４４は、チャネル２４０のうちのそれぞれの中に位置するように構成され、チャネル２４０を部分的に画定するフィン２３２の前方端部もまた、第１の機械的干渉を少なくとも部分的に定めることができる。さらに、支持部材２４２は、ノッチ２３８に受容されるようなサイズであり、ノッチ２３８および支持部材２４２を部分的に画定するモジュールハウジング１４６の上端部の前方端部もまた、第１の機械的干渉を少なくとも部分的に定める。
【００８４】
ラッチ２３０およびヒートシンク４２０は、ラッチ２３０を係合位置に解放可能にロックするように互いに係合する相補的なロック部材を含み得る。例えば、ラッチ２３０は、フィンガー２４４の一方または両方から、フィンガー２４４のうちの他方に向かって横方向に沿って延びるロック突出部２２７を含み得る。ヒートシンク４２０は、ラッチ２３０が係合位置にあるときにロック突出部２２７を受容するようにサイズ決めされ構成された、相補的なロック凹部２２９を画定し得る。ロック凹部２２９は、ヒートシンク４２０の中に、またはヒートシンク４２０を通って延びることができる。あるいは、ヒートシンク４２０は、ロック突出部を含み得、ラッチ２３０はロック凹部を含み得る。さらに、ロック突出部は、長さ方向Ｌに沿ってヒートシンク４２０およびラッチ２３０のうちの一方から延出してよく、ロック凹部は、長さ方向Ｌに沿ってヒートシンク４２０およびラッチ２３０のうちの他方の中に、またはそれを通って延びることができる（図３Ｌを参照）。代わりに、またはさらに、ロック突出部およびロック凹部は、ラッチ２３０が係合位置まで不注意に移動するのを防ぐために、ラッチ２３０が係合解除位置にあるときに互いに係合するように構成され得る。ロック突出部は、ラッチ２３０をそれぞれの係合解除位置または係合位置から動かすことが望ましいとき、ロック凹部から除去され得る。よって、ラッチ２３０およびヒートシンク４２０のうちの一方はロック突出部を含み得、ラッチ２３０およびヒートシンク４２０のうちの他方は、ロック突出部を受容するロック凹部を含み得、それにより、ラッチ２３０を係合位置および係合解除位置のうちの少なくとも一方に維持すると言える。あるいは、ラッチ２３０は、それぞれのロック部材がなくてもよい（図６Ｃを参照）。
【００８５】
さらに、図６Ｂに示すように、ラッチ２３０が係合位置にあるとき、第２の機械的干渉がフィンガー２４４とホストモジュール１０４との間に定められ、これは、ホストモジュール１０４の少なくとも１つの電気コネクタに対するラッチ２３０の後方移動を制限する。第２の機械的干渉は、バックアウト防止ラッチ２３０とホストモジュール１０４との間のアバットメントを含み得る。後方移動が制限されると、相互接続モジュール１０２が、相互接続モジュール１０２（図６Ａ）をホストモジュール１０４の少なくとも１つの電気コネクタから分離するのに十分であろう距離だけ、ホストモジュール１０４の少なくとも１つの電気コネクタに対して後方向に移動するのを防ぐことができる。例えば、第１および第２の機械的干渉は、バックアウト防止ラッチ２３０に対する相互接続モジュール１０２の後方移動、およびホストモジュール１０４の少なくとも１つの電気コネクタに対するラッチ２３０の後方移動のそれぞれを実質的に防ぐことができる。一実施例では、第２の機械的干渉は、フィンガー２４４および第２の電気コネクタ１５４によって定められ得る。具体的には、ラッチ２３０が係合位置にあるとき、フィンガー２４４は、第２の電気コネクタ１５４に隣接した位置まで前方向に延びる。具体的には、フィンガー２４４は、第２の電気コネクタ１５４、例えば第２のコネクタハウジング１５３に当接し得る。
【００８６】
前述したように、フィンガー２４４はそれぞれ、突出部２４６を画定し得る。突出部２４６は、ラッチが係合位置にあるときにラッチ２３０をモジュールハウジング１４６に、特にヒートシンク４２０に固定するクリップとして構成され得る。具体的には、ラッチ２３０が横断方向Ｔに沿って係合位置まで並進運動すると、フィンガー２４４は、突出部２４６がチャネル２４０を画定するフィン２３２の表面に沿ってスライドする（side）につれて、互いから弾性的に遠ざかるように構成されている。突出部２４６は、突出部２４６が下方向にフィン２３２の表面および基部２３３を通り過ぎてスライドするまで、チャネルに沿って進む。フィンガー２４４は次に、突出部２４６の少なくとも一部が横断方向に沿ってモジュールハウジング１４６と整列するように、横方向に沿って互いに向かって移動する。よって、突出部２４６とモジュールハウジング１４６との間の機械的干渉は、係合位置から係合解除位置までのラッチ２３０の移動に抵抗する。突出部２４６とモジュールハウジング１４６との間の機械的干渉は、ラッチ２３０が係合位置から係合解除位置まで上方に移動するときに、第１の力によって克服され得る。さらに、突出部２４６は、ラッチ２３０が係合解除位置にあるときに基部２３３から上方に離間した位置においてチャネル内に配されたそれぞれのポケットに突出部２４６が入るまで、チャネルに沿って進むことができる。突出部２４６がポケットに配されたときの突出部２４６とヒートシンク４２０との間の干渉は、係合解除位置から係合位置までのラッチ２３０の移動に抵抗する。この機械的干渉は、ラッチが係合解除位置から係合位置まで下に移動するときに、第２の力によって克服され得る。一実施例では、第１および第２の力は、実質的に等しくてよい（例えば、互いの１０％）。別の実施例では、第１の力は、第２の力より大きくてもよい（例えば、第２の力の１０％超）。さらに別の実施例では、第２の力は第１の力より大きくてもよい（例えば、第２の力の１０％超）。さらに別の実施例では、第１および第２の力のうちの一方が、横断方向Ｔに沿って向けられ得る。代わりに、またはさらに、第１の力は、機械的干渉を除去するために横方向Ａに沿ってヒートシンクから（また互いから）フィンガー２４４を分離するものを含み得る（突出部２２７および凹部２２９を参照）。代わりに、またはさらになお、第２の力は、機械的干渉を除去するために横方向Ａに沿ってヒートシンクから（また互いから）フィンガー２４４を分離するものを含み得る（突出部２２７および凹部２２９を参照）。
【００８７】
図６Ａに示すように、ラッチ２３０が係合解除位置にあるとき、少なくとも第２の機械的干渉が除去され、相互接続モジュール１０２は、相互接続モジュール１０２をホストモジュール１０４の少なくとも１つの電気コネクタから分離するように十分な距離だけ、ホストモジュール１０４の少なくとも１つの電気コネクタに対して後方向に移動可能となる。ラッチ２３０が係合解除位置にあるとき、第１の機械的干渉も除去され得る。
【００８８】
次に図７Ａおよび図７Ｂを参照すると、相互接続システム１００（図７Ａ）は、相互接続モジュール１０２がホストモジュール１０４から不注意に分離されるのを防ぐように設計された、バックアウト防止ラッチ２５０を含み得る。ラッチ２５０は、相互接続モジュール１０２と機械的に連絡させられるように構成された支持部材２５２を含み得る。ラッチ２５０は、少なくとも１つのフィンガー２５４をさらに含み得、これは、支持部材２５２から延出し、ホストモジュール１０４と機械的に連絡させられるように構成されている。例えば、少なくとも１つのフィンガー２５４は、横断方向Ｔに沿って支持部材２５２から下に延びることができる。相互接続モジュール１０２がホストモジュール１０４の少なくとも１つの電気コネクタと嵌合すると、ラッチ２５０は、横断方向Ｔに沿って係合解除位置と係合位置との間を移動可能となり得る。例えば、ラッチ２５０は、横断方向Ｔに沿って係合解除位置と係合位置との間を並進運動可能であってよい。例えば、ラッチ２５０は、ラッチ２５０を係合解除位置（図７Ａ）から係合位置（図７Ｂ）まで移動させるために下方向に、また、ラッチ２５０を係合位置から係合解除位置まで移動させるために上方向に、並進運動可能であってよい。ラッチ２５０が係合位置にあるとき、第１の機械的干渉がラッチ２５０と相互接続モジュール１０２との間に定められ、これは、ラッチ２５０に対する後方向への相互接続モジュール１０２の後方移動を制限する。第１の機械的干渉は、バックアウト防止ラッチ２５０と相互接続モジュール１０２との間のアバットメントを含み得る。
【００８９】
さらに、ラッチ２５０が係合位置にあるとき、第２の機械的干渉がフィンガー２５４とホストモジュール１０４との間に定められ、これは、ホストモジュール１０４の少なくとも１つの電気コネクタに対するラッチ２５０の後方移動を制限する。第２の機械的干渉は、バックアウト防止ラッチ２５０とホストモジュール１０４との間のアバットメントを含み得る。後方移動が制限されると、相互接続モジュール１０２が、相互接続モジュール１０２をホストモジュール１０４の少なくとも１つの電気コネクタから分離するのに十分であろう距離だけ、ホストモジュール１０４の少なくとも１つの電気コネクタに対して後方向に移動するのを防ぐことができる。例えば、第１および第２の機械的干渉は、バックアウト防止ラッチ２５０に対する相互接続モジュール１０２の後方移動、およびホストモジュール１０４の少なくとも１つの電気コネクタに対するラッチ２５０の後方移動をそれぞれ実質的に防ぐことができる。ラッチ２５０が係合解除位置にあるとき、少なくとも第２の機械的干渉が除去され、相互接続モジュール１０２は、相互接続モジュール１０２をホストモジュール１０４の少なくとも１つの電気コネクタから分離するように十分な距離だけ、ホストモジュール１０４の少なくとも１つの電気コネクタに対して後方向に移動可能となる。
【００９０】
支持部材２５２は、フレーム２５６を画定することができ、これは、互いに垂直である、モジュールハウジング１４６の少なくとも３つの側面を取り囲むように構成される。例えば、フレーム２５６は、互いに相対する第１および第２の壁と、第１の壁と第２の壁との間に接続された第３の壁と、を含む。一実施例では、フレーム２５６は、長さ方向Ｌに沿って互いに相対する、第１および第２の端壁２５８を含む。フレーム２５６は、横方向Ａに沿って互いに相対する、第１および第２の側壁２６０をさらに含む。側壁２６０は、端壁２５８間に接続されている。ラッチ２５０は、横断方向Ｔに沿って支持部材２５２を通って延びるアパーチャ２６２をさらに画定する。アパーチャ２６２は、端壁２５８および側壁２６０によって画定され得る。フレーム２５６は、所望のとおりに任意のサイズおよび形状を定めることができ、アパーチャ２６２は、その中にモジュールハウジング１４６を受容するようなサイズである。一実施例では、支持部材２５２は、横方向Ａに沿って幅広いというより、長さ方向Ｌに沿って、より長くすることができる。
【００９１】
モジュールハウジング１４６は、少なくとも支持部材２５２の相対する壁の中に延びる第１および第２のチャネル２６８（図７Ａ）をさらに含み得る。一実施例では、チャネル２６８は、側壁２６０内へと延びる。チャネル２６８は、横方向Ａに沿って外側の横方向に相対する側面内へと内方へ延びることができる。チャネル２６８の少なくとも一部から全体までは、それらの側面内へ延びることができるが、横方向Ａに沿って側壁を通って延びてはいない。チャネル２６８は、横断方向Ｔに沿って側面を通って延びることができる。チャネル２６８は、互いから外方に向く側面の横方向外側表面内に延びることができる。
【００９２】
フィンガー２５４は、横断方向Ｔに沿って支持部材２５２から延出する。さらに、フィンガー２５４は、横断方向Ｔに対して垂直な方向に沿って、互いに相対することができる。例えば、フィンガー２５４は、横方向Ａに沿って互いに相対することができる。フィンガー２５４は、横方向Ａに沿って幅広いというより、長さ方向Ｌに沿って、より長くすることができる。さらに、フィンガー２５４は、長さ方向Ｌに沿って長いというより、横断方向Ｔに沿って、より高くすることができる。フィンガー２５４は、支持部材２５２のそれぞれの壁から下に延びる。例えば、フィンガー２５４は、横断方向Ｔに沿って側壁２６０から下に延び得る。一実施例では、フィンガー２５４は、側壁２６０のそれぞれの内側表面に沿って延びるそれぞれの上方部分２６４を画定し得る。フィンガー２５４は、上方部分２６４から下に延び、よって、前述したように側壁２６０から下に延びる、それぞれの下方部分２６６を画定し得る。
【００９３】
動作中、ラッチ２５０は、係合位置と係合解除位置との間を並進運動可能であってよい。例えば、ラッチ２５０は、後方向に対して角度がオフセットした方向に沿って係合位置と係合解除位置との間を並進運動可能であってよい。角度がオフセットした方向は、横断方向Ｔであってよい。具体的には、ラッチ２５０は、係合位置に向かって横断方向Ｔに沿って下方に相互接続システム１００（図７Ａ）内へと挿入され得、１）支持部材２５２は、モジュールハウジング１４６をアパーチャ２６２に受容し、２）フィンガー２５４は、チャネル２６８に沿って進む。支持部材２５２の端壁２５８は、フィンガー２５４が横断方向Ｔに沿ってチャネル２６８に沿って並進運動する間、モジュールハウジング１４６の長さ方向端部に沿って進むことができる。よって、支持部材２５２は、長さ方向Ｌおよび横方向Ａによって定められる平面に沿ってモジュールハウジング１４６の少なくとも３つの側面を実質的に取り囲むことができ、モジュールハウジング１４６および支持部材２５２は第１の干渉を定める。具体的には、支持部材２５２は、長さ方向Ｌおよび横方向Ａを含む平面に沿ってモジュールハウジング１４６の全体を少なくとも実質的に取り囲み得る。支持部材２５２の端壁２５８のうち後方のものとモジュールハウジング１４６との間のアバットメントは、相互接続モジュール１０２がラッチ２５０に対して後方向に並進運動するのを防ぐ、第１の干渉を定めることができる。
【００９４】
ラッチ２５０は、横断方向Ｔに沿って支持部材２５２から下に延びる第１および第２の後方フィンガー２６５を含み得る。後方フィンガー２６５は、横方向に沿って互いから離間し得る。さらに、後方フィンガー２６５は、長さ方向Ｌに沿ってフィンガー２５４のそれぞれと整列していてよい。ラッチ２５０は、フィンガー２６５から前方向に延びる突出部２６７をさらに含み得る。ラッチ２５０が係合位置にあるとき、フィンガー２６５は、モジュールハウジング１４６に隣接して後方向に配され得る。さらに、突出部２６７は、ラッチ２５０が係合位置にあるとき、モジュールハウジング１４６の対応する凹部内へと延び、それによって、ラッチ２５０をモジュールハウジング１４６に解放可能に固定することができる。ラッチ２５０が係合位置から係合解除位置まで移動すると、突出部２６７は、対応する凹部から除去され得る。
【００９５】
ラッチ２５０が係合位置にあるとき、フィンガー２５４の上方部分２６４は、チャネル２６８内にあり、フィンガー２５４の下方部分２６６は、第２の電気コネクタ１５４に、特に第２のコネクタハウジング１５３、または第２の電気コネクタをホスト基板１１８に固定する固定部材１８８、に隣接して前方向に配される。フィンガー２５４は、長さ方向Ｌに沿って第２の電気コネクタ１５４とさらに整列している。よって、フィンガー２５４および第２の電気コネクタ１５４は、第２の機械的干渉を定めることができる。例えば、フィンガー２５４は、第２の機械的干渉を定めるように、第２の電気コネクタ１５４に当接し得る。具体的には、フィンガー２５４と第２のコネクタハウジング１５３との間のアバットメントが、第２の機械的干渉を定め得る。ラッチ２５０は、フィンガー２５４が長さ方向Ｌに沿って第２の電気コネクタ１５４と整列した状態から動かされるまで横断方向に沿ってラッチ２５０を上方に並進運動させることによって係合位置から係合解除位置まで移動され、それによって第２の機械的干渉を除去することができる。支持部材２５２は、さらに、相互接続モジュール１０２から除去され、それによって第１の機械的干渉を除去することができる。ラッチ２５０は、ラッチ２５０を係合位置に解放可能に固定することが望ましい場合に、前述したタイプの任意の適切なキャッチまたはクランプをさらに画定し得ることが認識される。さらに、相互接続モジュール１０２をホストモジュール１０４に嵌合させる前にラッチ２５０が係合位置にある場合、相互接続モジュール１０２がホストモジュール１０４と嵌合される際の、第２の電気コネクタ１５４、例えば第２のコネクタハウジングまたは固定部材１８８との間のアバットメントは、ラッチ２５０を係合解除位置まで上方に押しやることができると認識される。いったん相互接続モジュール１０２がホストモジュール１０４と嵌合されると、ラッチ２５０は、本明細書に記載するように、係合位置まで下に移動し得る。
【００９６】
図２Ａ〜図７Ｃを参照して前述したように、ラッチは、横断方向Ｔに沿って係合位置と係合解除位置との間を並進運動可能とするのに適切な、所望のとおりの任意の実施形態に従って構築され得る。あるいは、図８Ａ〜図１２Ｉを参照して説明するように、本開示は、相互接続システム１００が、係合位置と係合解除位置との間を旋回可能であってよいラッチをさらに含み得ると認める。具体的には、ラッチは、相互接続モジュール１０２に旋回可能に取り付けられるように構成された少なくとも１つの旋回部材を含み得、ラッチは、係合解除位置と係合位置との間を、旋回軸を中心として相互接続モジュール１０２に対して旋回可能である。ラッチは、係合解除位置から係合位置まで第１の方向の周りを、また係合位置から係合解除位置まで第１の方向とは反対の第２の方向の周りを、相互接続モジュール１０２に対して旋回可能であってよい。旋回軸は、長さ方向Ｌに垂直に向きを定められてよい。例えば、図８Ａ〜図１０Ｄに示すように、旋回軸は、横方向Ａに沿って向きを定められてよい。あるいは、図１１Ａ〜図１２Ｉに示すように、旋回軸は横断方向Ｔに沿って向きを定められてよい。ラッチは、ラッチが係合解除位置にあるとき、モジュールハウジング１４６に旋回可能に取り付けられたままであるので、第１の機械的干渉は、ラッチ２７０係合解除位置にあるとき、可能である。別の実施形態は、嵌合した第１および第２のコネクタのためのラッチを含み得る。ラッチは、第１の壁、第２の壁、第３の壁、および第４の壁を有する、ヒンジで取り付けられていないハウジングを含み得、第１および第３の壁は互いに向かい合い、第２および第４の壁は互いに向かい合い、第１、第２、第３、および第４の壁は開口部を画定し、相対するラッチアームが、第２および第４の壁によって画定され、相対するラッチアームはそれぞれ、第２および第４の壁から延びる片持ちラッチを有し、第１、第２、第３、および第４の壁は、第１のコネクタの対応する側壁のうち４つ（またはすべて）を少なくとも部分的に包囲する。
【００９７】
次に図８Ａ〜図８Ｃを参照すると、相互接続システム１００（図８Ａ）は、相互接続モジュール１０２（図８Ａ）がホストモジュール１０４（図８Ａ）から不注意に分離されるのを防ぐように設計された、バックアウト防止ラッチ２７０を含み得る。ラッチ２７０は、相互接続モジュール１０２と機械的に連絡させられるように構成された支持部材２７２と、支持部材２７２から延出し、ホストモジュール１０４と機械的に連絡させられるように構成された少なくとも１つのフィンガー２７４と、を含み得る。図８Ａおよび図８Ｂに示すように、ラッチ２７０は、モジュールハウジング１４６によって旋回可能に支持される。例えば、ラッチ２７０は、モジュールハウジング１４６に旋回可能に取り付けられ得る。具体的には、支持部材２７２は、モジュールハウジング１４６によって旋回可能に支持され、例えばこれに取り付けられ得る。
【００９８】
相互接続モジュール１０２がホストモジュール１０４の少なくとも１つの電気コネクタと嵌合されると、ラッチ２７０は、係合解除位置と係合位置との間を移動可能となり得る。具体的には、ラッチ２７０は、係合解除位置と係合位置との間を、旋回軸を中心として旋回可能であってよい。例えば、ラッチ２７０は、ラッチ２７０を係合解除位置から係合位置まで移動させるために旋回軸を中心として第１の方向に、また、ラッチ２７０を係合位置から係合解除位置まで移動させるために旋回軸を中心として第１の方向とは反対の第２の方向に、旋回可能であってよい。旋回軸は、第１の電気コネクタ１５２（図８Ａ）から後方向に離間していてよい。少なくとも１つのフィンガー２７４は、ラッチ２７０が係合位置にあるとき、横断方向Ｔに沿って支持部材２７２から下に延びることができる。少なくとも１つのフィンガー２７４およびクリップ２８６は第２の電気コネクタ１５４にまたがる。
【００９９】
ラッチ２７０が係合位置にあるとき（図８Ｂ）、第１の機械的干渉がラッチ２７０と相互接続モジュール１０２との間に定められ、これは、ラッチ２７０に対する後方向への相互接続モジュール１０２の後方移動を制限する。第１の機械的干渉は、相互接続モジュール１０２へのラッチ２７０の旋回可能な取り付けによって定められ得る。さらに、ラッチ２７０が係合位置にあるとき、第２の機械的干渉がフィンガー２７４とホストモジュール１０４との間に定められ、これは、ホストモジュール１０４の少なくとも１つの電気コネクタに対するラッチ２７０の後方移動を制限する。第２の機械的干渉は、バックアウト防止ラッチ２７０とホストモジュール１０４との間のアバットメントを含み得る。後方移動が制限されると、相互接続モジュール１０２が、相互接続モジュール１０２をホストモジュール１０４の少なくとも１つの電気コネクタから分離するのに十分であろう距離だけ、ホストモジュール１０４の少なくとも１つの電気コネクタに対して後方向に移動するのを防ぐことができる。例えば、第１および第２の機械的干渉は、バックアウト防止ラッチ２７０に対する相互接続モジュール１０２の後方移動、およびホストモジュール１０４の少なくとも１つの電気コネクタに対するラッチ２７０の後方移動をそれぞれ実質的に防ぐことができる。ラッチ２７０が係合解除位置にあるとき、第２の機械的干渉は除去され、相互接続モジュール１０２は、相互接続モジュール１０２をホストモジュール１０４の少なくとも１つの電気コネクタから分離するように十分な距離だけ、ホストモジュール１０４の少なくとも１つの電気コネクタに対して後方向に移動可能となる。
【０１００】
支持部材２７２は、モジュールハウジング１４６に旋回可能に取り付けられた第１および第２の旋回部材２７６を含み得る。具体的には、支持部材２７２は、モジュールハウジング１４６に旋回可能に取り付けられた第１および第２の支持壁２８０を含み得る。第１および第２の支持壁２８０は、横方向Ａに沿って互いから離間し得る。よって、支持壁２８０は、支持壁のそれぞれの内側表面が互いの方を向き、モジュールハウジング１４６に旋回可能に取り付けられるとさらにモジュールハウジング１４６の方を向くように、位置づけられ得る。旋回部材２７６は、横方向Ａに沿って支持部材２７２を通って延びるアパーチャとして構成され得る。アパーチャは、支持部材２７２をモジュールハウジング１４６に旋回可能に取り付けるように、モジュールハウジング１４６に取り付けられたそれぞれの旋回ピン２７８（図８Ａおよび図８Ｂ）を受容するようなサイズである。よって、旋回ピン２７８は旋回軸を定めることができる。旋回部材２７６が旋回ピン２７８を所望のとおりに含み得ることを認識されたい。
【０１０１】
ラッチ２７０は、バックアウト防止ラッチ２７０が係合位置にあるとき、支持部材２７２が旋回軸から後方向に延びるように、モジュールハウジング１４６に装着され得る。さらに、ラッチ２７０が係合位置にあるとき、旋回軸は、少なくとも１つのフィンガー２７４から前方向に離間していてよい。支持部材２７２は、支持壁２８０間に接続されたクロスビーム２８２をさらに含み得る。よって、クロスビーム２８２は、第１の支持壁２８０から第２の支持壁２８０まで横方向Ａに沿って延びることができる。支持壁２８０は、旋回軸からクロスビーム２８２まで後方向に延びることができる。支持壁２８０は、側壁と呼ぶこともでき、クロスビーム２８２は、側壁間に接続された端壁と呼ぶことができる。ラッチ２７０は、クロスビーム２８２から延出するハンドル２８４を含み得る。ハンドル２８４は、ラッチを係合位置と係合解除位置との間で移動させる力を受け取るように構成されている。
【０１０２】
ラッチ２７０は、支持部材２７２から延びる第１および第２のフィンガー２７４を含み得る。具体的には、第１および第２のフィンガー２７４は、第１および第２の支持壁２８０からそれぞれ延びる。よって、第１および第２のフィンガー２７４は、横方向Ａに沿って互いから離間し得る。さらに、第１および第２のフィンガー２７４は、横方向Ａに沿って互いと整列し得る。第１および第２のフィンガー２７４は、ラッチ２７０が係合位置にあるとき、旋回軸から後方向に離間していてよい。さらに、クロスビーム２８２は、ラッチ２７０が係合位置にあるとき、第１および第２のフィンガー２７４から後方向に離間していてよい。よって、フィンガー２７４は、ラッチ２７０が係合位置にあるとき、旋回軸とクロスビーム２８２との間に配され得る。
【０１０３】
ラッチ２７０は、支持部材２７２から延出する少なくとも１つのクリップ２８６をさらに含み得る。クリップ２８６は、ラッチ２７０を係合位置に解放可能に固定するように構成されている。具体的には、クリップ２８６は、ラッチ２７０が係合位置にあるとき、相互接続モジュール１０２に解放可能に取り付けられるように構成されている。一実施例では、クリップ２８６は、ラッチ２７０が係合位置にあるとき、モジュールハウジング１４６に解放可能に取り付けられるように構成されている。少なくとも１つのクリップ２８６は、第１および第２の支持壁２８０のそれぞれから延びる第１および第２のクリップ２８６を含み得る。よって、クリップ２８６は、横方向Ａに沿って互いから離間し得る。さらに、クリップ２８６は、長さ方向Ｌに関してフィンガー２７４とクロスビーム２８２との間に配され得る。よって、クリップ２８６は、フィンガー２７４から後方向に離間していてよい。
【０１０４】
クリップ２８６は、ラッチ２７０が係合位置にあるときにモジュールハウジング１４６のそれぞれの壁の上で弾性的にカム動作して、壁の下に配された凹部の中に入るように、互いに向かって横方向内側に延びる、突起を画定し得る。クリップ２８６は、これらがモジュールハウジング１４６のそれぞれの壁の下に配されると、クリップ２８６の一部が横断方向Ｔに沿ってそれぞれの壁と整列するように、弾性であってよい。よって、クリップ２８６とそれぞれの壁との間の機械的干渉により、ラッチが係合位置から係合解除位置まで不注意に移動するのを防ぐことができる。クリップ２８６とモジュールハウジング１４６との間の機械的干渉は、係合位置から係合解除位置まで移動するようラッチ２７０を作動させると、克服され得る。したがって、ラッチ２７０が係合位置にあるとき、ラッチ２７０は、係合位置に解放可能に固定されていると言える。
【０１０５】
図８Ｂに示すように、ラッチ２７０が係合位置にあるとき、フィンガー２７４は、前方向において第２の電気コネクタ１５４、特に第２のコネクタハウジング１５３に隣接する位置まで、延びることができる。さらに、フィンガー２７４は、長さ方向Ｌに沿って、第２の電気コネクタ１５４と整列され、特に第２のコネクタハウジング１５３と整列され得る。よって、フィンガー２７４および第２の電気コネクタ１５４は第２の機械的干渉を定めることができる。具体的には、フィンガー２７４と第２の電気コネクタ１５４との間のアバットメントは、ラッチ２７０が係合位置にあるとき、第２の機械的干渉を定めることができる。さらに、ラッチ２７０が係合位置にあるとき、第２のコネクタハウジング１５３は、長さ方向Ｌに関してフィンガー２７４とクリップ２８６との間に配され得る。ラッチ２７０の底部表面は、ラッチ２７０が係合位置にあるとき、第２のコネクタハウジング１５３の上方表面の方を向くかまたはこれにもたれるように構成され得る。クロスビーム２８２は、ラッチ２７０が係合位置にあるとき、モジュールハウジング１４６に隣接して配され得る。
【０１０６】
図８Ａに示すように、ラッチ２７０が係合位置から係合解除位置まで旋回すると、フィンガー２７４は、第２の電気コネクタ１５４と長さ方向に整列した状態から動かされ、相互接続モジュールは、第１の電気コネクタ１５２および第２の電気コネクタ１５４から分離され得る。さらに、ラッチ２７０が係合位置から係合解除位置まで旋回するにつれて、クリップ２８６は、モジュールハウジングのそれぞれの壁から係合解除され、モジュールハウジング１４６に沿って進むことができる。
【０１０７】
次に図９Ａ〜図９Ｃを参照すると、相互接続システム１００（図９Ａ）は、相互接続モジュール１０２（図９Ａ）がホストモジュール１０４（図９Ａ）から不注意に分離されるのを防ぐように設計された、バックアウト防止ラッチ２９０を含み得る。ラッチ２９０は、相互接続モジュール１０２と機械的に連絡させられるように構成された支持部材２９２と、支持部材２９２から延出し、ホストモジュール１０４と機械的に連絡させられるように構成された、少なくとも１つのフィンガー２９４と、を含み得る。一実施例では、ラッチ２９０はモジュールハウジング１４６によって旋回可能に支持されている。例えば、ラッチ２９０は、モジュールハウジング１４６に旋回可能に取り付けられ得る。具体的には、支持部材２９２は、モジュールハウジング１４６によって旋回可能に支持され、例えばこれに取り付けられ得る。
【０１０８】
図９Ａに示すように、相互接続モジュール１０２がホストモジュール１０４の少なくとも１つの電気コネクタに嵌合されると、ラッチ２９０は、係合解除位置と係合位置（図９Ｂ）との間を移動可能となり得る。具体的には、ラッチ２９０は、係合解除位置と係合位置との間を、旋回軸を中心として旋回可能であってよい。例えば、ラッチ２９０は、ラッチ２９０を係合解除位置から係合位置まで移動させるために旋回軸を中心として第１の方向に、また、ラッチ２９０を係合位置から係合解除位置まで移動させるために旋回軸を中心として第１の方向と反対の第２の方向に、旋回可能であってよい。旋回軸は、第１の電気コネクタ１５２から後方向に離間していてよい。さらに、旋回軸は、第２の電気コネクタ１５４から後方向に離間していてよい。少なくとも１つのフィンガー２９４は、ラッチ２９０が係合位置にあるとき、横断方向Ｔに沿って支持部材２９２から下に延びることができる。
【０１０９】
ラッチ２９０が係合位置にあるとき、第１の機械的干渉がラッチ２９０と相互接続モジュール１０２との間に定められ、これは、ラッチ２９０に対する後方向への相互接続モジュール１０２の後方移動を制限する。第１の機械的干渉は、相互接続モジュール１０２へのラッチ２９０の旋回可能な取り付けによって定められ得る。さらに、ラッチ２９０が係合位置にあるとき、第２の機械的干渉がフィンガー２９４とホストモジュール１０４との間に定められ、これは、ホストモジュール１０４の少なくとも１つの電気コネクタに対するラッチ２９０の後方移動を制限する。第２の機械的干渉は、バックアウト防止ラッチ２９０とホストモジュール１０４との間のアバットメントを含み得る。後方移動が制限されると、相互接続モジュール１０２が、相互接続モジュール１０２をホストモジュール１０４の少なくとも１つの電気コネクタから分離するのに十分であろう距離だけ、ホストモジュール１０４の少なくとも１つの電気コネクタに対して後方向に移動するのを防ぐことができる。例えば、第１および第２の機械的干渉は、バックアウト防止ラッチ２９０に対する相互接続モジュール１０２の後方移動、およびホストモジュール１０４の少なくとも１つの電気コネクタに対するラッチ２９０の後方移動をそれぞれ実質的に防ぐことができる。ラッチ２９０が係合解除位置にあるとき、第２の機械的干渉が除去され、相互接続モジュール１０２は、相互接続モジュール１０２をホストモジュール１０４の少なくとも１つの電気コネクタから分離するように十分な距離だけ、ホストモジュール１０４の少なくとも１つの電気コネクタに対して後方向に移動可能となる。
【０１１０】
支持部材２９２は、モジュールハウジング１４６に旋回可能に取り付けられた第１および第２の旋回部材２９６を含み得る。具体的には、支持部材２９２は、モジュールハウジング１４６に旋回可能に取り付けられた第１および第２の支持壁３００を含み得る。第１および第２の支持壁３００は、横方向Ａに沿って互いから離間し得る。よって、支持壁３００は、支持壁のそれぞれの内側表面が互いの方を向き、モジュールハウジング１４６に旋回可能に取り付けられると、さらにモジュールハウジング１４６の方を向くように、位置づけられ得る。旋回部材２９６は、横方向Ａに沿って支持部材２９２を通って延びるアパーチャとして構成され得る。アパーチャは、支持部材２９２をモジュールハウジング１４６に旋回可能に取り付けるように、モジュールハウジング１４６に取り付けられたそれぞれの旋回ピン２９８を受容するようなサイズである。よって、旋回ピン２９８は旋回軸を定めることができる。旋回部材２９６は旋回ピン２９８を所望のとおりに含み得ることを認識されたい。
【０１１１】
ラッチ２９０は、バックアウト防止ラッチ２７０が係合位置にあるとき、支持部材２９２が旋回軸から前方向に延びるように、モジュールハウジング１４６に装着され得る。さらに、ラッチ２７０が係合位置にあるとき、旋回軸は、少なくとも１つのフィンガー２７４から後方向に離間していてよい。図９Ｃに示すように、支持部材２９２は、支持壁３００間に接続されたクロスビーム３０２をさらに含み得る。よって、クロスビーム３０２は、第１の支持壁３００から第２の支持壁３００まで横方向Ａに沿って延びることができる。支持壁３００は、旋回軸からクロスビーム３０２まで前方向に延びることができる。支持壁３００は側壁と呼ぶこともでき、クロスビーム３０２は、側壁間に接続された端壁と呼ぶことができる。ラッチ２９０は、クロスビーム３０２から延出するハンドル３０４を含み得る。ハンドル３０４は、ラッチを係合位置と係合解除位置との間で移動させる力を受け取るように構成されている。ハンドル３０４は、横断方向Ｔに沿って第１の電気コネクタ１５２（図９Ａおよび図９Ｂ）の上に離間していてよい。
【０１１２】
ラッチ２９０は、支持部材２９２から延びる第１および第２のフィンガー２９４を含み得る。具体的には、第１および第２のフィンガー２９４は、第１および第２の支持壁３００からそれぞれ延びてよい。よって、第１および第２のフィンガー２９４は、横方向Ａに沿って互いから離間し得る。さらに、第１および第２のフィンガー２９４は、横方向Ａに沿って互いと整列され得る。第１および第２のフィンガー２９４は、ラッチ２９０が係合位置にあるとき、旋回軸から前方向に離間していてよい。さらに、クロスビーム３０２は、ラッチ２９０が係合位置にあるとき、第１および第２のフィンガー２９４から前方向に離間していてよい。よって、フィンガー２９４は、ラッチ２９０が係合位置にあるとき、旋回軸とクロスビーム３０２との間に配され得る。支持部材２９２は、旋回軸からフィンガー２９４まで前方向に延びることができる。
【０１１３】
ラッチ２９０は、支持部材２９２から延出する少なくとも１つのクリップ３０６をさらに含み得る。クリップ３０６は、ラッチ２９０を係合位置に解放可能に固定するように構成されている。具体的には、クリップ３０６は、ラッチ２９０が係合位置にあるとき、相互接続モジュール１０２に解放可能に取り付けられるように構成されている。一実施例では、クリップ３０６は、ラッチ２９０が係合位置にあるとき、モジュールハウジング１４６に解放可能に取り付けられるように構成されている。少なくとも１つのクリップ３０６は、第１および第２の支持壁３００のそれぞれから延びる第１および第２のクリップ３０６を含み得る。よって、クリップ３０６は、横方向Ａに沿って互いから離間し得る。さらに、クリップ３０６は、フィンガー２９４から前方向に離間し得る。よって、クリップ３０６は、長さ方向Ｌに関してフィンガー２９４とクロスビーム２８２との間に配され得る。フィンガー２９４は、長さ方向Ｌに関してクリップ３０６と旋回軸との間に配され得る。
【０１１４】
クリップ２８６は、ラッチ２９０が係合位置にあるときに、モジュールハウジング１４６のそれぞれの壁の上で弾性的にカム動作して、壁の下に配された凹部の中に入るように、互いに向かって横方向内側に延びる、突起を画定し得る。クリップ３０６は、これらがモジュールハウジング１４６のそれぞれの壁の下に配されると、クリップ３０６の一部が横断方向Ｔに沿ってそれぞれの壁と整列するように、弾性であってよい。よって、クリップ３０６とそれぞれの壁との間の機械的干渉により、ラッチが係合位置から係合解除位置まで不注意に移動するのを防ぐことができる。クリップ３０６とモジュールハウジング１４６との間の機械的干渉は、係合位置から係合解除位置まで移動するようラッチ２９０を作動させると、克服され得る。したがって、ラッチ２９０が係合位置にあるとき、ラッチ２９０は、係合位置に解放可能に固定されていると言える。
【０１１５】
ラッチ２９０が係合位置にあるとき、フィンガー２９４は、前方向において、第２の電気コネクタ１５４に隣接する、特に第２のコネクタハウジング１５３に隣接する位置まで、延びることができる。さらに、フィンガー２９４は、ラッチ２９０が係合位置にあるとき、長さ方向Ｌに沿って、第２の電気コネクタ１５４と整列され、特に第２のコネクタハウジング１５３と整列され得る。よって、フィンガー２９４と第２の電気コネクタ１５４との間のアバットメントは、ラッチ２９０が係合位置にあるとき、第２の機械的干渉を定めることができる。具体的には、フィンガー２９４はそれぞれ、フィンガー２９４それぞれの遠位端部から延びるアバットメント部材２９７を含み得る。アバットメント部材２９７は、残りのフィンガーから離れる方向に沿ってフィンガー２９４から横方向に延出することができる。アバットメント部材２９７は、後方向を向くアバットメント表面２９９を画定し得る。アバットメント表面２９９は、ラッチ２９０が係合位置にあるとき、第２の電気コネクタ１５４に当接するように構成され、それによって第２の機械的干渉を定めることができる。
【０１１６】
さらに、ラッチ２９０が係合位置にあるとき、フィンガー２９４は、長さ方向Ｌに関して、第２のコネクタハウジング１５３とクリップ３０６との間に配され得る。ラッチ２９０は、少なくとも１つの支持アーム３０８を含み得、これは、支持部材２９２から延び、ラッチ２９０が係合位置にあるとき、モジュールハウジング１４６の上方表面にもたれるように構成されている。例えば、ラッチ２９０は、横方向Ａに沿って支持壁３００のそれぞれから互いに向かって延びる、一対の支持アーム３０８を含み得る。クロスビーム３０２は、ラッチ２９０が係合位置にあるとき、モジュールハウジング１４６に隣接して配され得る。例えば、クロスビーム３０２は、ラッチ２９０が係合位置にあるとき、前方向においてモジュールハウジング１４６の前壁に隣接し得る。
【０１１７】
ラッチ２９０が係合位置から係合解除位置まで旋回すると、フィンガー２９４は、第２の電気コネクタ１５４と長さ方向に整列した状態から動かされ、相互接続モジュール１０２は、第１の電気コネクタ１５２および第２の電気コネクタ１５４から分離され得る。さらに、ラッチ２９０が係合位置から係合解除位置まで旋回するにつれて、クリップ３０６は、モジュールハウジングのそれぞれの壁から係合解除され、モジュールハウジング１４６に沿って進むことができる。
【０１１８】
次に図１０Ａを参照すると、相互接続システム１００は、相互接続モジュール１０２がホストモジュール１０４から不注意に分離されるのを防ぐように設計された、バックアウト防止ラッチ３１０を含み得る。ラッチ３１０は、相互接続モジュール１０２と機械的に連絡させられるように構成された支持部材３１２と、支持部材２７２から延出し、ホストモジュール１０４と機械的に連絡させられるように構成された少なくとも１つの係合部材と、を含み得る。具体的には、少なくとも１つの係合部材は、ラッチが係合位置にあるとき、ホストモジュール１０４に当接して、第２の機械的干渉を定めることができる。よって、少なくとも１つの係合部材は、モジュールハウジング１６４の最も前方の端部から前方向に離間していてよい。さらに、少なくとも１つの係合部材は、モジュール基板１１３の前端部１１９ａにある電気接触パッドから前方向に離間していてよい。バックアウト防止ラッチ３１０は旋回軸から少なくとも１つの係合部材まで前方向に延びることができるとさらに言える。少なくとも１つの係合部材は、支持部材３１２から延出する少なくとも１つの外側に延びるフィンガー３１４として構成され得る。少なくとも１つのフィンガー３１４は、ラッチが係合位置にあるとき、ホストモジュール１０４内に延びて、第２の機械的干渉を定めるように構成され得る。よって、少なくとも１つのフィンガー３１４は、ラッチが係合位置にあるとき、ホストモジュール１４に受容されるように構成される。少なくとも１つのフィンガー３１４は、横方向Ａに沿って互いから離間した一対のフィンガーとして構成され得る。一実施例では、ラッチ３１０は、モジュールハウジング１４６によって旋回可能に支持される。例えば、ラッチ３１０は、モジュールハウジング１４６に旋回可能に取り付けられ得る。具体的には、支持部材３１２は、モジュールハウジング１４６によって旋回可能に支持され、例えば、これに取り付けられ得る。
【０１１９】
相互接続モジュール１０２がホストモジュール１０４の少なくとも１つの電気コネクタと嵌合されると、ラッチ３１０は、係合解除位置と係合位置との間を移動可能となり得る。具体的には、ラッチ３１０は、係合解除位置と係合位置との間を、旋回軸を中心として旋回可能であってよい。例えば、ラッチ３１０は、ラッチ３１０を係合解除位置から係合位置まで移動させるために旋回軸を中心として第１の方向に、また、ラッチ３１０を係合位置から係合解除位置まで移動させるために旋回軸を中心として第１の方向とは反対の第２の方向に、旋回可能であってよい。旋回軸は、第１の電気コネクタ１５２から後方向に離間していてよい。旋回軸は、第２の電気コネクタ１５４から前方向にさらに離間していてよい。少なくとも１つのフィンガー３１４は、ラッチ３１０が係合位置にあるとき、横断方向Ｔに沿って支持部材３１２から下に延びることができる。ラッチ３１０全体が、ホスト基板３１８から上方向に離間していてよい。よって、ラッチ３１０が係合位置にあるとき、およびラッチ３１０が係合解除位置にあるときのいずれにおいても、ラッチ３１０のどの部分もホスト基板３１８内に延びないと言うことができる。さらに、一実施例では、ラッチ３１０のどの部分も、モジュール基板３１８より下の位置まで延びない。
【０１２０】
図１０Ａに示すようにラッチ３１０が係合位置にあるとき、第１の機械的干渉がラッチ３１０と相互接続モジュール１０２との間に定められ、これは、ラッチ３１０に対する後方向への相互接続モジュール１０２の後方移動を制限する。第１の機械的干渉は、相互接続モジュール１０２へのラッチ３１０の旋回可能な取り付けによって定められ得る。さらに、ラッチ３１０が係合位置にあるとき、第２の機械的干渉がフィンガー３１４とホストモジュール１０４との間に定められ、これは、ホストモジュール１０４の少なくとも１つの電気コネクタに対するラッチ３１０の後方移動を制限する。第２の機械的干渉は、バックアウト防止ラッチ３１０とホストモジュール１０４との間のアバットメントを含み得る。後方移動が制限されると、相互接続モジュール１０２が、相互接続モジュール１０２をホストモジュール１０４の少なくとも１つの電気コネクタから分離するのに十分であろう距離だけ、ホストモジュール１０４の少なくとも１つの電気コネクタに対して後方向に移動するのを防ぐことができる。例えば、第１および第２の機械的干渉は、バックアウト防止ラッチ３１０に対する相互接続モジュール１０２の後方移動、およびホストモジュール１０４の少なくとも１つの電気コネクタに対するラッチ３１０の後方移動をそれぞれ実質的に防ぐことができる。ラッチ３１０が係合解除位置にあるとき、第２の機械的干渉は除去され、相互接続モジュール１０２は、相互接続モジュール１０２をホストモジュール１０４の少なくとも１つの電気コネクタから分離するように十分な距離だけ、ホストモジュール１０４の少なくとも１つの電気コネクタに対して後方向に移動可能となる。
【０１２１】
支持部材３１２は、モジュールハウジング１４６に旋回可能に取り付けられた第１および第２の旋回部材３１６を含み得る。具体的には、支持部材３１２は、モジュールハウジング１４６に旋回可能に取り付けられた第１および第２の支持壁３２０を含み得る。第１および第２の支持壁３２０は、モジュールハウジング１４６を越えて前方向にさらに延びることができる。第１および第２の支持壁３２０は、横方向Ａに沿って互いから離間し得る。よって、支持壁３２０は、ラッチ３１０の最も外側の側面を画定することができる。支持壁３２０は、フィンガー３１４をさらに支持し得る。支持壁３２０は、支持壁のそれぞれの内側表面が互いの方を向き、モジュールハウジング１４６に旋回可能に取り付けられるとさらにモジュールハウジング１４６の方を向くように、位置づけられ得る。旋回部材３１６は、横方向Ａに沿って支持部材３１２を通って延びるアパーチャとして構成され得る。アパーチャは、支持部材３１２をモジュールハウジング１４６に旋回可能に取り付けるように、モジュールハウジング１４６に取り付けられたそれぞれの旋回ピン３１８を受容するようなサイズである。よって、旋回ピン３１８は旋回軸を定めることができる。旋回部材３１６が旋回ピン３１８を所望のとおりに含み得ることを認識されたい。
【０１２２】
ラッチ３１０は、バックアウト防止ラッチ３１０が係合位置にあるとき、支持部材３１２が旋回軸から前方向に延びるように、モジュールハウジング１４６に装着され得る。さらに、ラッチ３１０が係合位置にあるとき、旋回軸は、少なくとも１つのフィンガー３１４から後方向に離間していてよい。支持部材３１２は、支持壁３２０間に接続されたクロスビーム３２２をさらに含み得る。よって、クロスビーム３２２は、第１の支持壁３２０から第２の支持壁３２０まで横方向Ａに沿って延びることができる。支持壁３２０は、旋回軸からクロスビーム３２２まで前方向に延びることができる。支持壁３２０は、側壁と呼ぶこともでき、クロスビーム３２２は、側壁間に接続された端壁と呼ぶことができる。クロスビーム３２２は、ラッチを係合位置から係合解除位置まで移動させる力を受け取るように構成されたハンドル３２４を画定し得る。
【０１２３】
ラッチ３１０は、第２の機械的干渉を定めるようにホストモジュールに係合するように構成された係合部材を含み得る。具体的には、係合部材は、支持部材３１２から延びる第１および第２のフィンガー３１４として構成され得る。第１および第２のフィンガー３１４は、第１および第２の支持壁３２０に対して横方向Ａに沿って内側にオフセットしていてよい。よって、第１および第２のフィンガー３１４は、横方向Ａに関して第１の支持壁３２０と第２の支持壁３２０との間に配され得る。さらに、第１および第２のフィンガー３１４は、横方向に沿って第１および第２の支持壁３２０と整列され得る。第１および第２のフィンガー３１４は、クロスビーム３２２から下に延びることができる。あるいは、第１および第２のフィンガー３１４は、第１および第２の支持壁３２０からそれぞれ、またはラッチ３１０の任意の適切な代替的な位置から延びることができる。よって、第１および第２のフィンガー３１４は、横方向Ａに沿って互いから離間し得る。さらに、第１および第２のフィンガー３１４は、横方向Ａに沿って互いと整列され得る。第１および第２のフィンガー３１４は、ラッチ３１０が係合位置にあるとき、旋回軸から前方向に離間していてよい。さらに、クロスビーム３２２は、ラッチ３１０が係合位置にあるとき、旋回軸から前方向に離間していてよい。よって、ラッチ３１０は旋回軸から前方向に第１および第２のフィンガー３１４まで延びると言える。フィンガー３１４は、ハンドル３２４から後方向に離間していてよい。よって、フィンガー３１４は、長さ方向Ｌに関してハンドル３２４と旋回軸との間に配され得る。
【０１２４】
ラッチ３１０は、ラッチ３１０を係合位置に向けて付勢する付勢力を加えるように構成された、少なくとも１つの付勢部材３２７をさらに含み得る。一実施例では、付勢部材３２７は、付勢力を提供するように相互接続モジュール１０２に当接するように構成され得る。例えば、付勢部材３２７は、付勢力を提供するようにモジュールハウジング１４６の下方表面に当接するように構成され得る。付勢部材３２７は、支持部材３１２から延びる弾性ばねアーム３２９によって画定され得る。ばねアーム３２９は、支持部材３１２から延びるにつれて、上方に湾曲し得る。一実施例では、付勢部材３２７は、支持壁３２０のうちの１つからもう一方の壁３２０に向かって延びることができる。付勢部材３２７は、もう一方の支持壁３２０に到達する前に終端し得る。例えば、少なくとも１つの付勢部材３２７は、一対の付勢部材３２７を含み得る。各付勢部材３２７は、支持壁のうちの一方からもう一方の支持壁３２０まで延びることができるが、互いに接触せずに終端し得る。旋回軸は、付勢部材３２７から後方向に離間していてよい。付勢部材３２７は次に、フィンガー３１４から後方向に離間していてよい。したがって、付勢部材３２７は、長さ方向Ｌに関して旋回軸とフィンガー３１４との間に配され得る。よって、付勢部材３２７はそれぞれ、モジュールハウジング１４６の下方表面に当接し、それにより、フィンガー３１４を係合位置まで下方に付勢することができる。モジュールハウジング１４６は、アバットメントペグ３１５を含み得、これは、ラッチ３１０が係合位置にあるとき、ラッチ３１０の下端部に当接するように構成され、それによって、フィンガー３１４が下方に延びる距離を制限する。アバットメントペグ３１５（図１０Ａおよび図１０Ｂ）は、旋回軸から下方に離間した場所において横方向へと外側に延びることができる。アバットメントペグ３１５は、旋回軸から前方向にさらにオフセットしていてよい。モジュールハウジング１４６は、ラッチ３１０の相対する支持壁３２０に当接するように構成された、第１および第２のアバットメントペグ３１５を含み得る。
【０１２５】
以下の説明から認識されるように、ラッチ３１０は、ラッチ３１０を係合位置から係合解除位置まで作動するように、付勢力に対抗して持ち上げられるように構成され得る。例えば、上向きの係合解除力（upward disengagement force）が、旋回軸から前方に離間した位置においてラッチ３１０に加えられ、それによって、ラッチ３１０を係合位置（図１０Ａ）から係合解除位置へと移動させることができる。一実施例では、上向きの力は、ハンドル３２４に加えられ得る。あるいは、上向きの力は、旋回軸から前方向に離間した任意の適切な代替的な位置において、ラッチ３１０に加えられ得る。さらに代わりに、ラッチ３１０は、下向きの力が、旋回軸から後方向に離間した位置においてラッチ３１０に加えられ、それによってラッチ３１０を係合位置から係合解除位置まで移動させるように構成され得る。
【０１２６】
図２Ｄおよび図１０Ｄを関して前述したように、ホストモジュール１０４、よって相互接続システム１００（図１０Ａを参照）は、第１の電気コネクタ１５２をホスト基板１１８（図１０Ａ）にさらに固定するように構成された、固定部材１７２を含み得る。例えば、固定部材１７２は、下にある基板１１８に装着されるように構成された、少なくとも１つの固定本体１７４を含み得る。一実施例では、固定部材１７２は、第１および第２の固定本体１７４を含み得る。固定本体１７４は、横方向Ａに沿って互いから離間し得る。ホストモジュール１０４は、第１の電気コネクタ１５２を少なくとも部分的に取り囲み得るハウジング１７１をさらに含み得る。よって、ハウジング１７１は、第１の電気コネクタ１５２の電気接点１５０も少なくとも部分的に取り囲み得る。例えば、ハウジング１７１は、横断方向Ｔに沿って電気接点１５０に重なる上端部１７１ａを画定し得る。具体的には、上端部１７１ａは、電気接点１５０に対して上方に離間し得る。さらに、ハウジング１７１は、電気接点１５２から前方に離間し得る前端部１７１ｂを画定し得る。
【０１２７】
固定部材１７２は、ハウジング１７１から延びることができる。よって、ハウジング１７１は、下にある基板１１８に装着されるように構成されると言える。一実施例では、固定部材１７２は、ハウジング１７１とモノリシックであってよい。固定本体１７４はそれぞれ、直立壁１７６と、直立壁１７６の下端部から後方向に延びる下方壁１７８と、を有し得る。固定本体１７４は、直立壁１７６の上端部から後方向に延びる上方壁１８０をさらに含み得る。上方壁１８０は、下方壁１７８の反対側にあってよく、それらの間に開口部を画定するように、横断方向Ｔに沿って下方壁１７８から離間され得る。下方壁１７８は、上方壁１８０に対してオフセットした位置まで後方向に延びることができる。直立壁１７６、上方壁１８０、および下方壁１７８はすべて、横断方向Ｔおよび長さ方向Ｌによって定められる平面に沿って、互いと同一平面上にあってよい。さらに、直立壁１７６、上方壁１８０、および下方壁１７８はすべて、その平面に垂直な横方向Ａよりも、その平面で大きい寸法にされていてよい。
【０１２８】
固定部材１７２は、固定本体１７４のそれぞれから下に延びる固定タブ１８２をさらに含み得る。例えば、固定タブ１８２は、下方壁１７８から延びることができる。固定タブ１８２は、下にあるホスト基板１１８（図１０Ａ）のアパーチャ内に固定されるように構成される。例えば、固定タブ１８２は、ホスト基板１１８のアパーチャ内に溶接され得る。固定部材１７２は、固定部材１７２を第１の電気コネクタ１５２に取り付けるように、第１のコネクタハウジング１４８のスロット１７５に受容されるように構成され得る。例えば、直立壁１７６は、スロット１７５に挿入されるように構成され得る。
【０１２９】
固定本体１７４は、固定部材１７２を第１の電気コネクタ１５２に固定するように、第１のコネクタハウジング１４８に係合するよう構成された、保持隆起１８４を含み得る。例えば、保持隆起１８４は、上方壁１８０から延びることができる。一実施例では、保持隆起１８４は、上方壁１８０から下方壁１７８に向かって延びることができる。よって、保持隆起１８４は、固定本体１７４から開口部の中へと延びることができる。固定本体１７４は、直立壁１７６から前方向に延びる少なくとも１つの突出部１８６をさらに含み得る。よって、突出部１８６は、固定部材１７２の開口部から離れる方向へと、直立壁１７６から離れて延びることができる。突出部１８６は、横断方向Ｔおよび長さ方向Ｌによって画定される同じ平面に位置し得る。一実施例では、固定本体１７４は、横断方向に沿って互いから離間した第１および第２の突出部１８６を含み得る。
【０１３０】
固定部材１７２は、前述したように、ホスト基板１１８と第１の電気コネクタ１５２との間に連結されるようにそれぞれが構成された、第１および第２の固定本体１７４を含み得る。例えば、第１および第２の固定本体１７４は、第１のコネクタハウジング１４８の横方向外側端部に取り付けられ得る。一実施例では、第１の複数の電気接点１５０は、第１の固定本体１７４と第２の固定本体１７４との間に配され得る。
【０１３１】
前述したように、ハウジング１７１は、横断方向Ｔに沿って電気接点１５０に重なる上端部１７１ａを画定し得る。具体的には、上端部１７１ａは、電気接点１５０に対して上方に離間し得る。さらに、ハウジング１７１は、電気接点１５２から前方に離間する前端部１７１ｂを画定し得る。例えば、ハウジング１７１は、第１の固定本体１７４と第２の固定本体１７４との間に延びる少なくとも１つのプレートを含み得る。少なくとも１つのプレートは、さらに、第１の固定本体１７４と第２の固定本体１７４との間に接続され得る。少なくとも１つのプレートは、第１および第２の固定本体１７４とモノリシックであってよい。あるいは、少なくとも１つのプレートは、所望のとおりに任意の方法で第１および第２の固定本体１７４から分離され、かつこれらに取り付けられ得る。さらに、固定部材１７２はハウジング１７１とモノリシックであってよいので、固定部材１７２は第１の固定本体１７４と第２の固定本体１７４との間に接続された少なくとも１つのプレートを含むとも言える。
【０１３２】
一実施例では、少なくとも１つのプレートは、第１の固定本体１７４と第２の固定本体１７４との間に接続された上方プレート１７３を含み得る。上方プレート１７３は、例えば第１および第２の固定本体１７４の上方壁１８０間に接続され得る。上方プレート１７３は、固定部材１７２が第１の電気コネクタ１５２に取り付けられると、第１の電気コネクタ１５２から上方にオフセットするように位置づけられ得る。よって、上方プレート１７３は、第１の電気コネクタ１５２の電気接点から上方向に離間し、横断方向に沿って第１の電気コネクタ１５２の電気接点と整列され得る。上方プレート１７３は、固定部材１７２が第１の電気コネクタ１５２に取り付けられると、横断方向Ｔに沿って第１の電気コネクタ１５２と整列され得る。さらに、上方プレート１７３は、固定部材１７２がホスト基板１１８に装着されると、横断方向Ｔに沿って第１の電気コネクタ１５２と整列され得る。上方プレート１７３は、長さ方向Ｌおよび横方向Ａによって定められる平面において向きを定められ得る。上方プレート１７３は、第１および第２の固定本体１７４の上方壁から上方向にオフセットされ得る。上方プレート１７３は、ハウジングの上端部１７１ａを画定し得る。
【０１３３】
少なくとも１つのプレートは、上方プレート１７３から下に延びる前方プレート１７７をさらに含み得る。前方プレート１７７は、横方向Ａおよび横断方向Ｔによって定められる平面内で向きを定められ得る。前方プレート１７７は、横方向Ａに沿って上方プレート１７３と同じ幅を有し得る。あるいは、前方プレート１７７は、横方向Ａに沿って上方プレート１７３とは異なる寸法とされてよい。前方プレート１７７は、上方プレート１７３とモノリシックであってよい。あるいは、前方プレート１７７は、所望のとおりに任意の方法で上方プレート１７３とは別個であり、かつこれに取り付けられ得る。前方プレート１７７は、固定本体１７４から前方向に離間され得る。よって、前方プレート１７７は、固定部材１７２が第１の電気コネクタ１５２に取り付けられると、前方向に第１の電気コネクタ１５２に隣接して配され得る。したがって、前方プレート１７７は、第１の電気コネクタ１５２の電気接点１５０に隣接して配され得る。
【０１３４】
固定部材１７２は、少なくとも１つの前方固定タブ１７９をさらに含み得、これは、前方プレート１７７から下に延び、ホスト基板１１８（図１０Ａ）に固定されるように構成されている。例えば、少なくとも１つの前方固定タブ１７９は、ホスト基板１１８のアパーチャに挿入され得る。一実施例では、少なくとも１つの前方固定タブ１７９は、金属材料でめっきされた貫通孔として構成され得る、ホスト基板１１８のアパーチャ内で溶接され得る。少なくとも１つの前方固定タブ１７９は、横方向Ａに沿って互いから離間した、第１および第２の固定タブ１７９を含み得る。さらに、前方固定タブ１７９は、長さ方向Ｌに沿って固定タブ１８２のそれぞれと整列され得る。前方固定タブ１７９は、固定タブ１８２から前方向に離間され得る。前方プレート１７７は、ハウジングの前端部１７１ｂを画定し得る。
【０１３５】
これから説明するように、「ラッチ３１０は、少なくとも１つの係合部材を含み得、固定部材１７２は、相補的な係合部材を画定し、ラッチ３１０の係合部材は、ラッチ３１０を固定部材１７２に取り付けるように、固定部材１７２の係合部材と嵌合するように構成されている。例えば、ラッチ３１０の係合部材は、ラッチ３１０が係合位置にあるとき、ラッチ３１０を固定部材１７２に取り付けるように、固定部材１７２の係合部材と嵌合するように構成され得る。ラッチ３１０および固定部材１７２は、少なくとも部分的に第２の機械的干渉を定めることができる。図１０Ａ〜図１０Ｄに示すような固定部材１７２は、本明細書に記載するような方法でラッチが係合位置にあるとき、それぞれのラッチフィンガーに係合するように、本明細書に記載される任意の実施形態に組み込まれ得ることを認識されたい」。
【０１３６】
一実施例では、ラッチ３１０の少なくとも１つの係合部材は、少なくとも１つのフィンガー３１４によって画定され得る。少なくとも１つのフィンガー３１４は、第２の機械的干渉を定めるように、固定部材１７２の中に延びるように構成され得る。よって、固定部材１７２の相補的な係合部材は、少なくともその中で、またはその中を通って延び、かつラッチ３１０の係合部材を受容するようなサイズの、少なくとも１つのアパーチャ１８１として構成され得る。一実施例では、アパーチャ１８１は、少なくとも上方プレート１７３内に延びることができる。例えば、少なくとも１つのアパーチャ１８１は、上方プレート１７３を通って延びることができる。一実施例では、固定部材１７２は、横断方向Ｔに沿って上方プレート１７３を通って延びる第１および第２のアパーチャ１８１を含み得る。同様に、少なくとも１つのフィンガー３１４は、第１および第２のフィンガー３１４を含み得る。アパーチャ１８１は、ラッチ３１０が係合位置にあるとき、第１および第２のフィンガー３１４のそれぞれを受容するようなサイズであってよい。よって、フィンガー３１４は、第２の機械的干渉をフィンガー３１４と上方プレート１７３との間に定めるようにアパーチャ１８１を部分的に画定する上方プレート１７３の内側エッジの前方に離間し得る。
【０１３７】
ラッチ３１０が係合位置にあるとき、フィンガー３１４は、少なくともアパーチャ１８１の中に、またはそれを通って延びることができる。フィンガー３１４は、第１の電気コネクタ１５２より上で終端し得る。よって、上方プレート１７３が横断方向Ｔに沿って第１の電気コネクタ１５２と整列され得るので、フィンガー３１４は横断方向Ｔに沿って電気コネクタと整列され得ると結論付けることができる。さらに、ラッチ３１０は、第１の電気コネクタ１５２より上にあり、横断方向Ｔに沿って第１の電気コネクタと整列される位置まで延びることができる。例えば、ラッチ３１０の係合部材は、第１の電気コネクタ１５２より上に配され得、第１の電気コネクタ１５２は、係合部材とホスト基板１１８との間に配され得る。あるいは、フィンガー３１４は、所望のとおりに第１のコネクタハウジング１４８の中に延びることができる。よって、フィンガーは、所望のとおりに第１のコネクタハウジング１４８によって受容され得る。
【０１３８】
フィンガー３１４と固定部材１７２との間のアバットメントは、ラッチ３１０が係合位置にあるとき、第２の機械的干渉を定めることができる。ラッチ３１０の付勢部材は、アパーチャ１８１内でフィンガー３１４を押す付勢力を加えることができる。係合解除力が、フィンガー３１４をアパーチャ１８１から取り外すのに十分なように、付勢力に抵抗してラッチ３１０に加えられ、それにより機械的干渉を除去することができる。係合解除力は、ラッチ３１０の付勢部材を圧迫し得る。ラッチ３１０が係合位置から係合解除位置まで旋回すると、相互接続モジュール１０２は、ラッチ３１０を含め、ホストモジュール１０４に対して後方向に移動可能であり、それによって、相互接続基板１１３を第１の電気コネクタ１５２および第２の電気コネクタ１５４のうちの少なくとも一方または両方から分離する。
【０１３９】
次に図１１Ａを参照すると、相互接続システム１００は、相互接続モジュール１０２がホストモジュール１０４から不注意に分離するのを防ぐように設計された、バックアウト防止ラッチ３５０を含み得る。ラッチ３５０は、相互接続モジュール１０２と機械的に連絡させられるように構成された支持部材３５２と、支持部材３５２から延出し、ホストモジュール１０４と機械的に連絡させられるように構成された少なくとも１つのフィンガー３５４と、を含み得る。少なくとも１つのフィンガー３５４は、ラッチ３５０が係合位置にあるとき、ホストモジュール１０４の中に延びるように構成されて、第２の機械的干渉を定めることができる。一実施例では、ラッチ３５０は、モジュールハウジング１４６によって旋回可能に支持される。例えば、ラッチ３５０は、モジュールハウジング１４６に旋回可能に取り付けられ得る。具体的には、支持部材３５２は、モジュールハウジング１４６によって旋回可能に支持され、例えばこれに取り付けられ得る。図１１Ｄを参照すると、モジュールハウジング１４６は、ホスト基板１１８のそれぞれの凹部１２３（図１１Ａ）内に挿入されるようにサイズ決めされ位置付けられた、複数の下方に延びる脚部１４９を含み得る。
【０１４０】
相互接続モジュール１０２がホストモジュール１０４の少なくとも１つの電気コネクタと嵌合されると、ラッチ３５０は、係合解除位置（図１１Ａ）と係合位置（図１１Ｂ）との間を移動可能となり得る。具体的には、ラッチ３５０は、係合解除位置と係合位置との間を、旋回軸を中心として旋回可能であってよい。旋回軸は、横断方向Ｔに沿って向きを定められ得る。よって、旋回軸は、長さ方向Ｌおよび横方向Ａによって定められる平面に沿って向きを定められたホスト基板１１８に対して垂直に向けられ得る。例えば、ラッチ３５０は、ラッチ３５０を係合解除位置から係合位置まで移動させるために旋回軸を中心として第１の方向に、また、ラッチ３５０を係合位置から係合解除位置まで移動させるために旋回軸を中心として第１の方向とは反対の第２の方向に、旋回可能であってよい。図１１Ａに示すように、旋回軸は、第１の電気コネクタ１５２から後方向に離間していてよい。旋回軸は、第２の電気コネクタ１５４から前方向にさらに離間していてよい。少なくとも１つのフィンガー３５４は、ラッチ３５０が係合位置にあるとき、横方向Ａに沿って支持部材３５２から内側に延びることができる。よって、フィンガー３５４は、長さ方向Ｌおよび横方向Ａを含む平面内に位置する方向に沿って、支持部材３５２から延びることができる。
【０１４１】
ラッチ３５０が係合位置（図１１Ｂ）にあるとき、第１の機械的干渉がラッチ３５０と相互接続モジュール１０２との間に定められ、これは、ラッチ３５０に対する後方向への相互接続モジュール１０２の後方移動を制限する。図１１Ａに示すように、第１の機械的干渉は、相互接続モジュール１０２へのラッチ３５０の旋回可能な取り付けにより定められ得る。さらに、ラッチ３５０が係合位置にあるとき、第２の機械的干渉がフィンガー３５４とホストモジュール１０４との間に定められ、これは、ホストモジュール１０４の少なくとも１つの電気コネクタに対するラッチ３５０の後方移動を制限する。フィンガー３５４は、ラッチ３５０が係合位置にあるとき、横方向Ａおよび横断方向Ｔによって定められる平面に沿って第１の電気コネクタ１５２と整列され得る。第２の機械的干渉は、バックアウト防止ラッチ３５０とホストモジュール１０４との間のアバットメントを含み得る。後方移動が制限されると、相互接続モジュール１０２が、相互接続モジュール１０２をホストモジュール１０４の少なくとも１つの電気コネクタから分離するのに十分であろう距離だけ、ホストモジュール１０４の少なくとも１つの電気コネクタに対して後方向に移動するのを防ぐことができる。例えば、第１および第２の機械的干渉は、バックアウト防止ラッチ３５０に対する相互接続モジュール１０２の後方移動、およびホストモジュール１０４の少なくとも１つの電気コネクタに対するラッチ３５０の後方移動をそれぞれ実質的に防ぐことができる。ラッチ３５０が係合解除位置にあるとき、第２の機械的干渉が除去され、相互接続モジュール１０２は、相互接続モジュール１０２をホストモジュール１０４の少なくとも１つの電気コネクタから分離するように十分な距離だけ、ホストモジュール１０４の少なくとも１つの電気コネクタに対して後方向に移動可能となる。
【０１４２】
支持部材３５２は、モジュールハウジング１４６に旋回可能に取り付けられる旋回部材３５６を含み得る。図１１Ｃに示すように、支持部材３５２は、旋回部材３５６および旋回ピン３５８（図１１Ｂ）を介してモジュールハウジング１４６に旋回可能に取り付けられる支持壁３６０を含み得る。支持壁３６０は、ハンドル部分３６１と、取り付け部分３６３と、を含み得る。フィンガー３５４は、横方向Ａに沿って取り付け部分３６３から内側に延びることができる。取り付け部分３６３は、ラッチ３５０がモジュールハウジング１４６に旋回可能に取り付けられると、ハンドル部分３６１から前方向に離間し得る。旋回部材３５６は、横断方向Ｔに沿って支持部材３５２を通って延びるアパーチャとして構成され得る。アパーチャは、長さ方向Ｌに関してハンドル部分３６１と取り付け部分３６３との間に配され得る。ラッチ３５０は、支持部材３５２の後端部に配されたハンドル３６４をさらに含み得る。アパーチャは、支持部材３５２をモジュールハウジング１４６に旋回可能に取り付けるように、モジュールハウジング１４６に取り付けられたそれぞれの旋回ピン３５８を受容するようなサイズである。よって、旋回ピン３５８は旋回軸を定めることができる。旋回部材３５６が所望のとおりに旋回ピン３５８を含み得ることを認識されたい。さらに、旋回ピン３５８、および本明細書に記載するその他の旋回ピンが、モジュールハウジング１４６のアパーチャに挿入され得るか、または所望のとおりにモジュールハウジング１４６とモノリシックであってよいことを、認識されたい。
【０１４３】
ラッチ３５０は、モジュールハウジング１４６に装着され得、支持部材３５２は、バックアウト防止ラッチ３５０が係合位置にあるとき、旋回軸から前方向および後方向の両方に延びる。具体的には、ハンドル部分３６１は、旋回軸から後方向に延びてよく、取り付け部分３６３は、旋回軸から前方向に延びてよい。よって、旋回軸は、フィンガー３５４から後方向に離間していてよい。ハンドル部分３６１は、ラッチ３５０を係合位置から係合解除位置まで移動させる係合解除力を受け取るように構成され得る。
【０１４４】
ラッチ３５０は、ラッチ３５０を係合位置に向かって付勢する付勢力を加えるように構成された、少なくとも１つの付勢部材３６７をさらに含み得る。一実施例では、付勢部材３６７は、ハンドル部分３６１から延びてよく、付勢力を提供するよう、相互接続モジュール１０２に当接するように構成され得る。具体的には、付勢部材３６７は、ハンドル３６４から内側に、横方向Ａに沿ってモジュールハウジング１４６に向かって延びることができる。付勢部材３６７は、付勢力を提供するようにモジュールハウジング１４６の横方向側面に当接するように構成され得る。付勢部材３６７は、支持部材３５２から延びる弾性ばねアーム３６９によって画定され得る。具体的には、ばねアーム３６９は、ハンドル部分３６１からモジュールハウジング１４６に向かって延びる。ばねアーム３６９は、ラッチ３５０が係合位置にあるときにモジュールハウジング１４６に当接するよう、支持部材３５２から延びるにつれて、横方向Ａに沿って内側に湾曲され得る。旋回軸は、付勢部材３２７から前方向に離間していてよい。フィンガー３５４もまた、付勢部材３２７および旋回軸から前方向に離間していてよい。したがって、旋回軸は、長さ方向Ｌに関してフィンガー３５４と付勢部材３６７との間に配され得る。
【０１４５】
以下の説明から認識されるように、係合解除力は、ラッチ３５０を係合位置から係合解除位置まで作動させるよう、付勢力に対抗してフィンガー３５４をホストモジュール１０４から遠ざからせるように構成されている。例えば、横方向への内向き係合解除力は、旋回軸から後方に離間した位置においてラッチ３５０のハンドル部分３６１に加えられ、それによって、ラッチ３５０を係合位置から係合解除位置まで動かすことができる。係合解除力は、モジュールハウジング１４６に向かって加えられ得る。さらに代わりに、ラッチ３５０は、モジュールハウジング１４６から離れる横方向Ａに沿った外方力が、旋回軸から前方向に離間した位置においてラッチ３５０に加えられ、それによってラッチ３５０を係合位置から係合解除位置まで移動させ得るように、構成され得る。
【０１４６】
図２Ｄを参照して前述したように、ホストモジュール１０４、よって相互接続システム１００は、第１の電気コネクタ１５２をホスト基板１１８にさらに固定するように構成された、固定部材１７２を含み得る。例えば、図１１Ｅに示すように、固定部材１７２は、直立壁１７６と、直立壁１７６の下端部から後方向に延びる下方壁１７８と、を有する固定本体１７４を含み得る。固定本体１７４は、直立壁１７６の上端部から後方向に延びる上方壁１８０をさらに含み得る。上方壁１８０は、下方壁１７８の反対側にあってよく、それらの間に開口部を画定するよう、下方壁１７８から横断方向Ｔに沿って離間していてよい。下方壁１７８は、上方壁１８０に対して後方向にオフセットした位置まで延びることができる。直立壁１７６、上方壁１８０、および下方壁１７８はすべて、横断方向Ｔおよび長さ方向Ｌによって定められる平面に沿って、互いと同一平面上にあってよい。さらに、直立壁１７６、上方壁１８０、および下方壁１７８はすべて、その平面に垂直である横方向Ａよりも、その平面内で大きい寸法であってよい。
【０１４７】
固定部材１７２は、固定本体１７４から下に延びる固定タブ１８２をさらに含み得る。例えば、固定タブ１８２は、下方壁１７８から延びることができる。固定タブ１８２は、下にあるホスト基板１１８（図１１Ａ）のアパーチャに固定されるように構成される。例えば、固定タブ１８２は、ホスト基板１１８のアパーチャ内で溶接され得る。固定部材１７２は、固定部材１７２を第１の電気コネクタ１５２に取り付けるよう、第１のコネクタハウジング１４８のスロット１７５内に受容されるように構成され得る。例えば、直立壁１７６は、スロット１７５内に挿入されるように構成される。
【０１４８】
固定本体１７４は、固定部材１７２を第１の電気コネクタ１５２に固定するよう、第１のコネクタハウジング１４８に係合するように構成された保持隆起１８４を含み得る。例えば、保持隆起１８４は上方壁１８０から延びることができる。一実施例では、保持隆起１８４は、上方壁１８０から下方壁１７８に向かって延びることができる。よって、保持隆起１８４は、固定本体１７４から開口部内に延びることができる。固定本体１７４は、直立壁１７６から前方向に延びる少なくとも１つの突出部１８６をさらに含み得る。よって、突出部１８６は、固定部材１７２の開口部から離れる方向へと、直立壁１７６から離れて延びることができる。突出部１８６は、横断方向Ｔおよび長さ方向Ｌによって定められる同じ平面内に位置し得る。一実施例では、固定本体１７４は、横断方向に沿って互いに離間した、突出部１８６のうちの第１および第２の突出部を含み得る。
【０１４９】
固定部材１７２は、前述したように、ホスト基板１１８と第１の電気コネクタ１５２との間に連結されるようにそれぞれが構成された、第１および第２の固定本体１７４を含み得る。例えば、第１および第２の固定本体１７４は、第１のコネクタハウジング１４８の横方向外側端部に取り付けられ得る。一実施例では、第１の複数の電気接点１５０は、第１の固定本体１７４と第２の固定本体１７４との間に配され得る。
【０１５０】
固定本体１７４はそれぞれ、固定本体１７４のうちのもう一方に向かって横方向Ａに沿って内側に突出する、保持部材１８５をさらに含み得る。前述したように、第１の電気コネクタ１５２は、第１のコネクタハウジング１４８によって支持された第１の複数の電気接点１５０を含む。第１の複数の電気接点１５０は、横方向Ａに沿って延びる列をなして配列され得る。これらの列は、電気接点１５０の外側列１５７と、電気接点１５０の内側列１５９と、を含む。外側列１５７の電気接点１５０の嵌合端部は、内側列１５９の電気接点１５０の嵌合端部より上に配され得る。さらに、外側列１５７の電気接点１５０の装着端部は、内側列１５９の電気接点１５０の装着端部から後方向に離間され得る。外側および内側列それぞれの電気接点１５０は、それぞれの電気絶縁性リードフレームハウジング１６１内に配列され得、リードフレームハウジング１６１は、第１のコネクタハウジング１４８によって支持されている。保持部材１８５は、リードフレームハウジング１６１のうちの１つに寄りかかるように構成されている。例えば、保持部材１８５は、内側列１５９のリードフレームハウジング１６１に寄りかかるように構成され得る。保持部材１８５は、リードフレームハウジング１６１の後端部に寄りかかるように構成された、さかとげのある前端部を画定し得る。
【０１５１】
固定本体１７４はそれぞれ、横方向内側および横方向外側にそれぞれ延びる、第１および第２の保持部材１８５を含み得る。したがって、固定本体１７４は、第１のコネクタハウジング１５２のいずれかの横方向側面に位置づけられ得、保持部材１８５のうちの１つが、前述したように、第１の電気コネクタ１５２に係合するように構成される。
【０１５２】
これから説明するように、ラッチ３５０は、少なくとも１つの係合部材を含み得、固定部材１７２は、相補的な係合部材を画定し、ラッチ３５０の係合部材は、ラッチ３５０を固定部材１７２に取り付けるよう、固定部材１７２の係合部材と嵌合するように構成される。例えば、ラッチ３５０の係合部材は、ラッチ３５０が係合位置にあるとき、ラッチ３５０を固定部材１７２に取り付けるよう、固定部材１７２の係合部材と嵌合するように構成され得る。ラッチ３５０および固定部材１７２は、少なくとも部分的に第２の機械的干渉を定めることができる。本明細書に記載するすべての実施形態では、ラッチおよび固定部材１７２は、ラッチが係合位置にあるときに互いに取り付けられるように構成され得ることを、認識されたい。図１１Ａ〜図１１Ｆに示すような固定部材１７２は、本明細書に記載する方法で、ラッチが係合位置にあるときにそれぞれのラッチフィンガーに係合するよう、本明細書に記載する任意の実施形態に組み込まれ得ることを認識されたい。
【０１５３】
一実施例では、ラッチ３５０の少なくとも１つの係合部材は、少なくとも１つのフィンガー３５４によって画定され得る。少なくとも１つのフィンガー３５４は、第２の機械的干渉を定めるよう、固定部材１７２内に延びるように構成され得る。よって、固定部材１７２の相補的な係合部材は、少なくともその中に、またはそれを通って延び、かつラッチ３５０の係合部材を受容するようなサイズである、少なくとも１つのアパーチャ１８１として構成され得る。一実施例では、アパーチャ１８１は、横方向Ａに沿って少なくとも固定本体１７４の中に延びることができる。例えば、アパーチャ１８１は、もう一方の固定本体１７４から外方を向く少なくとも固定本体１７４の外側横方向表面内に、横方向Ａに沿って内側に延びることができる。アパーチャ１８１は、横方向Ａに沿って固定本体１７４を通って延びることができる。例えば、アパーチャ１８１は、少なくとも上方壁１８０の中に、またはこれを通って延びることができ、またアパーチャ１８１内に延びるラッチ３５０のフィンガー３５４を受容するようなサイズであってよい。よって、フィンガー３１４は、第２の機械的干渉をフィンガー３１４と固定本体１７４、特に上方壁１８０との間に定めるように、アパーチャ１８１を部分的に画定する固定本体１７４の内側エッジの前方に離間していてよい。
【０１５４】
ラッチ３５０が係合位置にあるとき、フィンガー３５４は、少なくともアパーチャ１８１の中に、またはこれを通って延びることができる。フィンガー３５４は、横方向Ａに沿って第１の電気コネクタ１５２から離間した位置において終端し得る。あるいは、フィンガー３５４は、所望のとおりに第１のコネクタハウジング１４８内に延びることができる。よって、フィンガー３５４と固定部材１７２との間のアバットメントは、ラッチ３５０が係合位置にあるとき、第２の機械的干渉を定めることができる。ラッチ３５０の付勢部材３６７は、フィンガー３５４をアパーチャ１８１内に押す付勢力を加えるよう、モジュールハウジング１４６に対して弾性的に圧迫することができる。フィンガー３５４をアパーチャ１８１から取り出すよう、付勢力を克服するのに十分な係合解除力がラッチ３５０に加えられ、それにより機械的干渉を除去することができる。具体的には、係合解除力は、モジュールハウジング１４６に向かって横方向Ａに沿ってハンドル部分３６１に加えられ得る。よって、係合解除力は、付勢部材３６７をモジュールハウジング１４６に対して圧迫する。ラッチ３５０が係合位置から係合解除位置まで旋回すると、相互接続モジュール１０２は、ラッチ３５０を含め、ホストモジュール１０４に対して後方向に移動可能であり、それによって、相互接続基板１１３を第１の電気コネクタ１５２および第２の電気コネクタ１５４のうちの少なくとも一方または両方から分離する。
【０１５５】
相互接続システム１００は、ラッチ３５０のうちの第１および第２のラッチなど、任意の数のラッチ３５０を所望のとおりに含み得ることを認識されたい。ラッチ３５０は、横方向Ａに沿って互いから離間していてよい。具体的には、ラッチ３５０は、それぞれの旋回軸が横方向Ａに沿って互いに整列するように位置づけられ得る。さらに、フィンガー３５４は、互いから離間し、かつ横方向Ａに沿って互いに整列し得る。したがって、フィンガー３５４は、ラッチ３５０が係合解除位置から係合位置まで移動すると、互いに向かって移動し得る。同様に、フィンガー３５４は、ラッチ３５０が係合位置から係合解除位置まで移動するにつれて、互いから離れて、かつそれぞれのアパーチャ１８１から出ることができる。さらになお、付勢部材３６７は、横方向Ａに沿って互いと整列され得る。相互接続システム１００は、ラッチ３５０のうちの第２のラッチを含むラッチシステムを含むと言えることを認識されたい。
【０１５６】
次に図１２Ａ〜図１２Ｇを参照すると、相互接続システム１００は、相互接続モジュール１０２がホストモジュール１０４から不注意に分離するのを防ぐように設計された、バックアウト防止ラッチ４００を含み得る。ラッチ４００は、相互接続モジュール１０２と機械的に連絡させられるように構成された支持部材４０２と、支持部材４０２から延出し、ホストモジュール１０４と機械的に連絡させられるように構成されたフィンガー４０４と、を含み得る。フィンガー４０４は、支持部材４０２と連続していてよく、あるいは、支持部材４０２に対する出っ張り（jog）を画定し得る。フィンガー４０４は、ラッチ４００が係合位置にあるとき、ホストモジュール１０４に固定されるように構成され、第２の機械的干渉を定めることができる。例えば、フィンガー４０４は、ラッチ４００が係合位置にあるとき、モジュールハウジング１４６に固定されるように構成され、第２の機械的干渉を定めることができる。一実施例では、ラッチ４００は、モジュールハウジング１４６によって旋回可能に支持される。例えば、ラッチ４００は、モジュールハウジング１４６に旋回可能に取り付けられる。具体的には、支持部材４０２は、モジュールハウジング１４６によって旋回可能に支持され、例えばこれに取り付けられ得る。
【０１５７】
相互接続モジュール１０２がホストモジュール１０４の少なくとも１つの電気コネクタと嵌合されると、ラッチ４００は、係合解除位置（図１２Ａ、図１２Ｅ、図１２Ｇ）と係合位置（図１２Ｂおよび図１２Ｆ）との間を移動可能となり得る。具体的には、ラッチ４００は、係合解除位置と係合位置との間を、旋回軸を中心として旋回可能であってよい。旋回軸は、横断方向Ｔに沿って向きを定められてよい。よって、旋回軸は、長さ方向Ｌおよび横方向Ａによって定められる平面に沿って向きを定められたホスト基板１１８に垂直に向けられ得る。例えば、ラッチ４００は、ラッチ４００を係合解除位置から係合位置まで移動させるために旋回軸を中心として第１の方向に、またラッチ４００を係合位置から係合解除位置まで移動させるために旋回軸を中心として第１の方向とは反対の第２の方向に、旋回可能であってよい。図１２Ａに示すように、旋回軸は、第１の電気コネクタ１５２から後方向に離間していてよい。旋回軸は、さらに、第２の電気コネクタ１５４から後方向に離間していてよい。少なくとも１つのフィンガー４０４は、ラッチ４００が係合位置にあるとき、横方向Ａに沿って支持部材４０２から内側に延びることができる。よって、フィンガー４０４は、長さ方向Ｌおよび横方向Ａを含む平面内に位置する方向に沿って、支持部材４０２から延びることができる。
【０１５８】
ラッチ４００が係合位置にあるとき、第１の機械的干渉がラッチ４００と相互接続モジュール１０２との間に定められ、これは、ラッチ４００に対する後方向への相互接続モジュール１０２の後方移動を制限する。第１の機械的干渉は、相互接続モジュール１０２へのラッチ４００の旋回可能な取り付けによって定められ得る。例えば、第１の機械的干渉は、ラッチ４００をモジュールハウジング１４６に旋回可能に取り付けることによって定められ得る。
【０１５９】
さらに、ラッチ４００が係合位置にあるとき、第２の機械的干渉がフィンガー４０４とホストモジュール１０４との間に定められ、これは、ホストモジュール１０４の少なくとも１つの電気コネクタに対するラッチ４００の後方移動を制限する。第２の機械的干渉は、バックアウト防止ラッチ４００とホストモジュール１０４との間のアバットメントを含み得る。後方移動が制限されると、相互接続モジュール１０２が、相互接続モジュール１０２をホストモジュール１０４の少なくとも１つの電気コネクタから分離するのに十分であろう距離だけ、ホストモジュール１０４の少なくとも１つの電気コネクタに対して後方向に移動するのを防ぐことができる。例えば、第１および第２の機械的干渉は、バックアウト防止ラッチ４００に対する相互接続モジュール１０２の後方移動、およびホストモジュール１０４の少なくとも１つの電気コネクタに対するラッチ４００の後方移動をそれぞれ実質的に防ぐことができる。ラッチ４００が係合解除位置にあるとき、第２の機械的干渉が除去され、相互接続モジュール１０２は、相互接続モジュール１０２をホストモジュール１０４の少なくとも１つの電気コネクタから分離するように十分な距離だけ、ホストモジュール１０４の少なくとも１つの電気コネクタに対して後方向に移動可能となる。
【０１６０】
支持部材４０２は、相互接続モジュール１０２に旋回可能に取り付けられた旋回部材４０６を含み得る。具体的には、旋回部材４０６は、モジュールハウジング１４６に旋回可能に取り付けられ得る。図１２Ｃに示すように、支持部材４０２は、旋回部材４０６および旋回ピン４０８（図１２Ａ）を介してモジュールハウジング１４６に旋回可能に取り付けられた支持壁４１０を含み得る。ラッチ４００は、横断方向Ｔに沿って旋回部材４０６を通って延び、旋回ピン４０８を受容するようなサイズである、旋回アパーチャ４０７を含み得る。例えば、旋回部材は、旋回ピン４０８に摩擦嵌めされ得る。一実施例では、旋回ピン４０８は、相互接続モジュール１０２に回転可能に固定され得る。例えば、旋回ピン４０８は、モジュールハウジング１４６に回転可能に固定され得る。よって、ラッチ４００は、旋回ピン４０８を中心として旋回可能であってよい。具体的には、支持壁４１０は、旋回ピン４０８を中心として旋回可能であってよい。あるいは、ラッチ４００は、旋回ピン４０８に回転可能に固定され得る。よって、旋回ピン４０８は、その長軸を中心として相互接続モジュール１０２に対して回転可能であってよい。例えば、旋回ピン４０８は、その長軸を中心としてモジュールハウジング１４６に対して回転可能であってよい。一実施例では、ラッチ４００は、旋回ピン４０８とモノリシックであってよい。あるいは、ラッチ４００は、任意の所望の方法で旋回ピン４０８に固定され得る。
【０１６１】
支持壁４１０は、ハンドル部分４０１と、取り付け部分４１３と、を含み得る。フィンガー４０４は、横方向Ａに沿って、取り付け部分４１３から内側に延び得る。取り付け部分４１３は、ラッチ４００がモジュールハウジング１４６に旋回可能に取り付けられると、ハンドル部分４０１から前方向に離間し得る。旋回部材４０６は、横断方向Ｔに沿って支持部材４０２を通って延びるアパーチャとして構成され得る。アパーチャは、長さ方向Ｌに関してハンドル部分４０１と取り付け部分４１３との間に配され得る。ラッチ４００は、支持部材４０２の後端部に配されたハンドル部分４０１をさらに含み得る。アパーチャは、支持部材４０２をモジュールハウジング１４６に旋回可能に取り付けるよう、モジュールハウジング１４６によって支持された旋回ピン４０８のうちのそれぞれを受容するようなサイズであってよい。よって、旋回ピン４０８は、その長軸に沿って旋回軸を定めることができる。旋回部材４０６は旋回ピン４０８を所望のとおりに含み得ることを認識されたい。さらに、旋回ピン４０８、および本明細書に記載するその他の旋回ピンは、モジュールハウジング１４６のアパーチャ内に配され得るか、あるいは、所望のとおりにモジュールハウジング１４６とモノリシックであってよいことを認識されたい。
【０１６２】
ラッチ４００は、バックアウト防止ラッチ４００が係合位置にあるときに支持部材４０２が旋回軸から前方向および後方向の両方に延びるように、モジュールハウジング１４６に装着され得る。具体的には、ハンドル部分４０１は、旋回軸から後方向に延びてよく、取り付け部分４１３は、旋回軸から前方向に延びてよい。よって、旋回軸は、取り付け部分４１３から後方向に離間し得る。ハンドル部分４０１は、ラッチ４００を係合位置から係合解除位置まで移動させる係合解除力を受け取るように構成され得る。
【０１６３】
ラッチ４００は、ラッチ４００を係合位置に向かって付勢する付勢力を加えるように構成された、少なくとも１つの付勢部材４１７をさらに含み得る。一実施例では、付勢部材４１７は、ハンドル部分４０１から延びてよく、付勢力を提供するよう、相互接続モジュール１０２に当接するように構成され得る。具体的には、付勢部材４１７は、ハンドル部分４０１から内側に、横方向Ａに沿ってモジュールハウジング１４６に向かって延びることができる。付勢部材４１７は、付勢力を提供するよう、モジュールハウジング１４６の横方向側面に当接するように構成され得る。付勢部材４１７は、支持部材４０２から延びる弾性ばねアーム４０９によって画定され得る。具体的には、ばねアーム４０９は、横方向Ａに沿って支持部材４０２から離れて延びるにつれて後方向に延びる。よって、ばねアーム４０９は支持部材４０２から長さ方向Ｌに沿ってハンドル部分４０１に向かって延び得ると言える。ばねアーム４１９は平坦であってよい。あるいは、ばねアーム４１９は、支持部材４０２から延びるにつれて、横方向Ａに沿って湾曲される。ばねアーム４１９は、ラッチ４００が係合位置にあるとき、モジュールハウジング１４６に当接するように構成されている。旋回軸は、付勢部材４１７から前方向に離間していてよい。フィンガー４０４もまた、付勢部材４１７および旋回軸から前方向に離間していてよい。したがって、旋回軸は、長さ方向Ｌに関してフィンガー４０４と付勢部材４１７との間に配され得る。
【０１６４】
以下の説明から認識されるように、係合解除力は、ラッチ４００を係合位置から係合解除位置まで作動させるよう、付勢力に対抗してフィンガー４０４をホストモジュール１０４から遠ざけるように構成されている。例えば、横方向への内向きの係合解除力が、旋回軸から後方に離間した位置においてラッチ４００のハンドル部分４０１に加えられ、それによって、ラッチ４００を係合位置から係合解除位置まで移動させることができる。係合解除力は、モジュールハウジング１４６に向かって加えられ得る。さらに代わりに、ラッチ４００は、横方向Ａに沿ってモジュールハウジング１４６から離れる外方力が、旋回軸から前方向に離間した位置においてラッチ４００に加えられ得るように構成され、それによって、ラッチ４００を係合位置から係合解除位置まで移動させ得る。
【０１６５】
相互接続システム１００は、相互接続モジュール１０２の横方向に相対する側面にそれぞれが取り付けられる一対のラッチ４００を含み得る。例えば、一対のラッチ４００はそれぞれ、モジュールハウジング１４６の横方向に相対する側面に取り付けられ得る。よって、ラッチ４００は、互いに向かって押しつぶされて、ラッチ４００をそれらの係合位置から係合解除位置へと作動させることができる。具体的には、ハンドル部分４０１は、互いに向かって押しつぶされて、ラッチ４００をそれらの係合位置から係合解除位置へと作動させることができる。
【０１６６】
図１２Ｄに示すように、また前述したように、相互接続システム１００は、第１の電気コネクタ１５２をホスト基板１１８に固定するように構成された、少なくとも１つの固定部材１８８を含み得る。例えば、相互接続システム１００は、一対の固定部材１８８を含み得、これらは、ホスト基板１１８に装着されるように構成され、第２の電気コネクタ１５４の相対する横方向側面に取り付けられる。各固定部材１８８は、第２の電気コネクタ１５４に取り付けられるように構成された横方向内側端部を有する直立固定本体１８９を含み得る。直立固定本体は、横断方向に沿ってホスト基板１１８から延びる。例えば、横方向内側端部は、第２の電気コネクタ１５４を受容するように構成された溝１９１を画定し得る。固定部材１８８は、所望のとおりに任意の適切な代替的な方法で第２の電気コネクタ１５４に取り付けられるように構成され得る。固定部材１８８はそれぞれ、固定本体１８９から延出する、突出部１９３を含むこともできる。具体的には、突出部１９３は、固定本体１８９の横方向外側端部から延出し得る。横方向外側端部は、横方向Ａに関して横方向内側端部の反対側にある。固定部材１８８は、固定本体１８９および突出部１９３を含め、金属またはプラスチックなど、任意の適切な材料から作ることができる。金属は、固定部材および固定本体１８９および突出部１９３に強度を加えることが望ましい場合がある。あるいは、突出部１９３は、第２の電気コネクタ１５４から、特に第２のコネクタハウジング１５３から延出し得る。
【０１６７】
説明するように、ラッチ４００は、少なくとも１つの係合部材を含み得、突出部１９３は、相補的な係合部材を画定することができ、ラッチ４００の係合部材は、ラッチ４００を第２の電気コネクタ１５４に取り付けるよう、相補的な係合部材と嵌合するように構成される。ラッチ４００の係合部材は、相互接続モジュール１０２をホストモジュール１０４に取り付けるよう、相補的な係合部材と嵌合するように構成されるとさらに言うことができる。ラッチ４００が相補的な係合部材から係合解除されると、相互接続モジュール１０２はホストモジュールから除去され得る。ラッチ４００の係合部材は、ラッチ４００を固定部材１８８に取り付けるよう、相補的な係合部材と嵌合するように構成され得る。一実施例では、突出部１９３は、固定本体１８９から延出する。よって、固定部材１８８は、相補的な係合部材を画定し得る。別の実施例では、突出部１９３は、第２の電気コネクタ１５４から、特に第２のコネクタハウジング１５３から延出し得る。よって、第２の電気コネクタ１５２および第２のコネクタハウジング１５３のうちの一方または両方は、相補的な係合部材を画定すると言える。
【０１６８】
ラッチ４００および突出部１９３は、少なくとも部分的に第２の機械的干渉を定めることができる。本明細書に記載するすべての実施形態では、ラッチ４００および固定部材１８８、あるいは第２の電気コネクタ１５４は、ラッチが係合位置にあるときに、互いに取り付けられるように構成され得ることを認識されたい。図１２Ｄに示すような固定部材１８８は、本明細書に記載する方法で、ラッチが係合位置にあるとき、それぞれのラッチフィンガーに係合するよう、本明細書に記載する任意の実施形態に組み込まれ得ることを認識されたい。
【０１６９】
一実施例では、ラッチ４００の少なくとも１つの係合部材は、少なくとも１つのフィンガー４０４によって画定され得る。少なくとも１つのフィンガー４０４は、第２の機械的干渉を定めるよう、突出部１９３を受容するように構成された受容アパーチャ４０５を画定し得る。一実施例では、受容アパーチャ４０５は、横方向Ａに沿って少なくともフィンガー４０４内に延びることができる。例えば、受容アパーチャ４０５は、横方向Ａに沿ってフィンガー４０４を通って延びることができる。フィンガー４０４は、支持部材４０２に対して横方向内側にオフセットされ得る。ばねアーム４０９はまた、支持部材４０２に対して横方向内側に延びる。受容アパーチャ４０５は、横方向Ａに沿って突出部１９３を受容する。よって、ラッチ４００は、横方向Ａに沿って固定部材１８８と嵌合する。さらに、ラッチ４００は、固定部材１８８の横方向に最も外側の表面と嵌合する。
【０１７０】
よって、固定部材１８８の相補的な係合部材は、受容アパーチャ４０５に受容されるようなサイズの少なくとも１つの突出部１９３として構成され得る。図１２Ｅに示すように、突出部１９３は、その後端部がテーパー状になったテーパー状表面１９５を画定し得る。テーパー状表面１９５は、カム表面を画定することができ、フィンガー４０４は、図１２Ｅに示すように、係合解除位置から係合位置まで移動するにつれて、このカム表面に沿って進むように構成されている。フィンガー４０４は、受容アパーチャ４０５を画定するプレートを画定し得る。プレートは実質的に平坦であってよい。例えば、プレートは、横断方向Ｔおよび長さ方向Ｌによって定められる平面に沿って実質的に平坦であってよい。プレートは、支持部材４０２に対して横方向内側にオフセットされ得る。あるいは、プレートは、支持部材４０２と同一平面上にあってよい。
【０１７１】
ラッチ４００が係合位置にあるとき、突出部１９３は、図１２Ｆに示すように、少なくとも受容アパーチャ４０５の中に、またはこれを通って延びることができる。よって、フィンガー４０４（よってラッチ４００）と突出部との間のアバットメントは、ラッチ４００が係合位置にあるとき第２の機械的干渉を定めることができる。ラッチ４００の付勢部材４１７は、モジュールハウジング１４６に対して弾性的に圧迫し、受容アパーチャが横方向Ａに沿って突出部１９３と整列したときに受容アパーチャ４０５が突出部１９３を受容する位置へとフィンガー４０４を押す付勢力を加えることができる。図１２Ｇに示すように、フィンガー４０４を受容アパーチャ４０５から除去するよう、付勢力を克服するのに十分な係合解除力がラッチ４００に加えられ、それによって第２の機械的干渉を除去することができる。具体的には、係合解除力は、横方向Ａに沿ってモジュールハウジング１４６に向かってハンドル部分４０１に加えられ得る。よって、係合解除力は、付勢部材４１７をモジュールハウジング１４６に対して圧迫し得る。ラッチ４００が係合位置から係合解除位置まで旋回すると、相互接続モジュール１０２は、ラッチ４００を含め、後方向にホストモジュール１０４に対して移動可能であり、これによって、相互接続基板１１３を第１の電気コネクタ１５２および第２の電気コネクタ１５４のうちの少なくとも一方または両方から分離する。相互接続基板１１３は、ノッチ４０３を画定することができ、これは、横断方向Ｔに沿って相互接続基板１１３を通って延び、相互接続モジュール１０２が第１の電気コネクタ１５２および第２の電気コネクタ１５４にそれぞれ取り付けられると固定部材１８８を受容するようなサイズである。
【０１７２】
ラッチ４００が係合解除位置にあるとき、横方向Ａに沿った、ハンドル部分４０１の横方向内側表面間の距離は、受容アパーチャ４０５を画定するプレートのそれぞれの横方向内側表面間の距離より大きい。
【０１７３】
代替的な実施形態では、ラッチ４００は、突出部を画定してよく、固定部材１８８は、ラッチが係合位置にあるときに突出部を受容する受容アパーチャを画定し得る。よって、ラッチ４００および固定部材１８８のうちの一方が受容アパーチャを画定し、ラッチ４００および固定部材１８８のうちのもう一方が、ラッチ４００を第２の電気コネクタ１５４に固定するように受容アパーチャに受容されるサイズである突出部を画定すると言える。
【０１７４】
次に図１２Ｈ〜図１２Ｉを参照すると、相互接続モジュール１０２は、モジュールハウジング１４６に装着および固定されるように構成されたヒートシンク４２０を含み得る。よって、ラッチ４００は、代わりにヒートシンク４２０に旋回可能に取り付けられ得る。ヒートシンク４２０は、基部４２１と、基部４２１から延びる複数の直立フィン４２９と、を含み得る。フィン４２９は、フィン４２９のうちのそれぞれの隣接するものの間に配される複数の凹部４３１を画定するよう、互いから離間し得る。具体的には、フィン４２９は、長さ方向Ｌに沿って互いから離間し得る。ヒートシンク４２０は、任意の方法で所望のとおりにモジュールハウジング１４６に固定され得る。例えば、相互接続モジュール１０２は、１つ以上の固定バンド４２２を含み得、これは、ヒートシンク４２０内に延びる固定凹部４２３に挿入され得、また、モジュールハウジング１４６にさらに固定され得る。固定凹部４２３は、横断方向Ｔに沿ってヒートシンク４２０内に延びることができる。例えば、固定凹部４２３は、横断方向Ｔに沿ってフィン４２９内に延びることができる。固定凹部４２３は、横断方向Ｔに関して基部４２１で終端し得る。固定凹部４２３は、横方向Ａに沿って細長くてよい。固定凹部４２３は、長さ方向Ｌに沿って互いに離間し得る。あるいは、固定凹部４２３は、長さ方向Ｌに沿って細長くてよい。
【０１７５】
固定バンド４２２はそれぞれ、ヒートシンク４２０をモジュールハウジング１４６に固定するように構成され得る。固定バンド４２２はそれぞれ、固定バンド４２２のそれぞれの相対する端部４２５と、相対する端部４２５間に延びる中間セクション４２７と、を画定し得る。中間セクション４２７は、固定凹部４２３のうちのそれぞれに受容されるように構成される。固定バンド４２２は、固定バンド４２２をモジュールハウジング１４６に固定するよう、モジュールハウジング１４６の相補的突出部４２６を受容するように構成された、アパーチャ４２４を画定し得る。突出部４２６は、横方向Ａに沿ってモジュールハウジング１４６から延出し得る。突出部４２６は、モジュールハウジング１４６の相対する横方向外側表面から延出し得る。一対の突出部４２６は、長さ方向Ｌに沿って別の一対の突出部４２６よりも幅が狭くてよい。一対の突出部４２６のうちの１つは、一対の突出部４２６のもう一方から後方向に離間し得る。あるいは、複数対の突出部４２６が互いに同じサイズおよび形状を有してよい。
【０１７６】
アパーチャ４２４は、相対する端部４２５を通って延びることができる。固定バンド４２２のうちの１つの端部４２５は、長さ方向Ｌに沿って固定バンドのうちの別の１つの端部４２５よりも幅が狭くてよい。固定バンド４２２のうちの１つは、固定バンド４２２のうちの別の１つから後方向に離間し得る。あるいは、固定バンド４２２の端部４２４は、互いに同じサイズおよび形状を有し得る。固定バンド４２２がそれぞれの固定凹部４２３に挿入されモジュールハウジング１４６に固定されると、ヒートシンク４２０は、モジュールハウジング１４６に装着されると言える。例えば、ヒートシンク４２０は、モジュールハウジング１４６の上方表面に装着され得る。
【０１７７】
有利には、相互接続モジュール１０２がホストモジュール１０４に取り付けられたとき、および相互接続モジュール１０２がホストモジュール１０４から除去される間のいずれも、ヒートシンク４２０がモジュールハウジング１４６に装着されたままであってよいことを認識されたい。よって、ヒートシンク４２０は、ラッチ４００が相補的な係合部材と係合するとき、およびラッチ４００が相補的な係合部材から係合解除されるときのいずれも、モジュールハウジング１４６に装着されたままであってよい。
【０１７８】
相互接続システム１００は、ラッチ４００のうちの第１および第２のラッチなど、任意の数のラッチ４００を所望のとおりに含み得ることを認識されたい。ラッチ４００は、横方向Ａに沿って互いから離間し得る。具体的には、ラッチ４００は、それぞれの旋回軸が横方向Ａに沿って互いに整列されるように、位置づけられ得る。さらに、フィンガー４０４は、互いから離間し、かつ横方向Ａに沿って互いに整列され得る。したがって、フィンガー４０４は、ラッチ４００が係合解除位置から係合位置まで移動するにつれて、互いに向かって移動し得る。同様に、フィンガー４０４は、ラッチ４００が係合位置から係合解除位置まで移動するにつれて、互いから離れて、またそれぞれの突出部１９３から離れて遠ざかることができる。さらになお、付勢部材４１７は、横方向Ａに沿って互いに整列され得る。相互接続システム１００は、ラッチ４００のうちの第１および第２のラッチと、固定部材１８８のうちの第１および第２の固定部材と、を含むラッチシステムを含むと言えることを認識されたい。
【０１７９】
次に概して図２Ａ〜図１２Ｉを参照して、本開示は、ラッチおよび固定部材を含む、本明細書に記載する構成要素、ならびにそれらを組み込むすべてのモジュールおよびシステムを作製および使用するすべての方法をさらに企図する。
【０１８０】
図面に示す実施形態の例示および論考は、例示目的にすぎず、開示を制限すると解釈すべきではないことに注目されたい。当業者は、本開示がさまざまな実施形態を企図することを認識するであろう。さらに、前述した実施形態で前述した概念は、単独で、または前述したその他の実施形態のいずれかと組み合わせて、使用され得ることを理解されたい。例示された一実施形態に関して前述したさまざまな代替的な実施形態が、別段指示がない限り、本明細書に記載するすべての実施形態に適用され得ることをさらに認識されたい。
【０１８１】
〔実施の態様〕
（１）  相互接続システムにおいて、
ホストモジュールの第１および第２の電気コネクタと嵌合するように構成された相互接続モジュールであって、前記第２の電気コネクタは、前記第１の電気コネクタから後方向に離間し、前記第１の電気コネクタは、前記第２の電気コネクタより速いデータ転送速度で動作するように構成され、前記相互接続モジュールは、モジュール基板、および前記モジュール基板によって支持された光学エンジンと、前記モジュール基板に装着され、前記光学エンジンを少なくとも部分的に取り囲むモジュールハウジングと、を含む、相互接続モジュールと、
バックアウト防止ラッチであって、前記モジュールハウジングに旋回可能に取り付けられるように構成された少なくとも１つの旋回部材を画定し、係合解除位置と係合位置との間を、旋回軸を中心として前記モジュールハウジングに対して旋回可能である、バックアウト防止ラッチと、
を含み、
前記バックアウト防止ラッチが前記係合位置にあるとき、１）前記バックアウト防止ラッチと前記モジュールハウジングとの間の第１の機械的干渉が、前記後方向の前記バックアウト防止ラッチに対する前記後方向への前記相互接続モジュールの移動を制限し、２）前記ラッチと前記ホストモジュールとの間の第２の機械的干渉が、前記第１および第２の電気コネクタに対する前記後方向への前記ラッチの移動を制限し、３）前記後方向への移動が制限されることにより、前記相互接続モジュールが、前記相互接続モジュールを前記第１および第２の電気コネクタから分離するのに十分であろう距離だけ、前記第１および第２の電気コネクタに対して前記後方向に移動するのを防ぎ、
前記バックアウト防止ラッチが前記係合解除位置にあるとき、前記第２の機械的干渉は、除去され、前記相互接続モジュールは、前記相互接続モジュールを前記第１および第２の電気コネクタのうちの少なくとも１つから分離するように十分な距離だけ、前記第１および第２の電気コネクタに対して前記後方向に移動可能となり、
前記バックアウト防止ラッチは、前記ラッチが前記係合位置にあるときに前記ホストモジュールと共に前記第２の機械的干渉を定めるフィンガーを含み、
前記フィンガーは、前記第１の電気コネクタより上に配されている、相互接続システム。
（２）  実施態様１に記載の相互接続システムにおいて、
前記相互接続モジュールは、光学トランシーバーを含む、相互接続システム。
（３）  実施態様１または２に記載の相互接続システムにおいて、
前記モジュール基板は、第１の側面、および前記後方向に垂直な横断方向に沿って前記第１の側面の反対側にある第２の側面を含み、前記第２の側面は、前記第２の電気コネクタのそれぞれの電気接点と嵌合するように構成された導電性ランドを有し、前記旋回軸は、前記後方向および前記横断方向のそれぞれに垂直である横方向に沿って向きを定められている、相互接続システム。
（４）  実施態様１〜３のいずれかに記載の相互接続システムにおいて、
前記ラッチは、前記第１および第２の電気コネクタが装着されるホスト基板に装着された前記ホストモジュールの固定部材と共に前記第２の機械的干渉を定めるように構成されている、相互接続システム。
（５）  実施態様４に記載の相互接続システムにおいて、
前記ラッチは、前記第１の電気コネクタの電気接点から上方にオフセットし、かつ前記横断方向に沿って前記第１の電気コネクタの前記電気接点と整列した、前記固定部材の上方プレートに係合するように構成されている、相互接続システム。
【０１８２】
（６）  実施態様５に記載の相互接続システムにおいて、
前記上方プレートは、前記第２の機械的干渉を定めるよう、前記フィンガーを受容するように構成されている、相互接続システム。
（７）  実施態様４〜６のいずれかに記載の相互接続システムにおいて、
前記固定部材は、前記モジュール基板に装着されるように構成された固定タブを含み、前記固定タブは、前記上方プレートとモノリシックである、相互接続システム。
（８）  実施態様５〜７のいずれかに記載の相互接続システムにおいて、
前記第１の電気コネクタの前記電気接点を少なくとも部分的に取り囲むハウジングをさらに含み、
前記ハウジングは、前記上方プレートを画定する、相互接続システム。
（９）  実施態様１〜８のいずれかに記載の相互接続システムにおいて、
前記旋回軸は、前記第２の電気コネクタから、前記後方向とは反対の前方向に離間し、前記フィンガーは、前記バックアウト防止ラッチが前記係合位置にあるとき前記旋回軸から前記前方向に離間している、相互接続システム。
（１０）  実施態様１〜９のいずれかに記載の相互接続システムにおいて、
前記モジュールハウジングに当接し、前記バックアウト防止ラッチに対する付勢力を提供する、付勢部材をさらに含む、相互接続システム。
（１１）  実施態様１〜１０のいずれかに記載の相互接続システムにおいて、
前記フィンガーは、第１および第２のフィンガーを含む、相互接続システム。
（１２）  実施態様１〜３のいずれかに記載の相互接続システムにおいて、
前記モジュール基板は、前記第２の電気コネクタによって支持され、かつ前記第１および第２の電気コネクタが装着されるホスト基板に装着された固定部材に当接し、それによって、前記相互接続モジュールが前記ホストモジュールに対して、前記後方向とは反対の前方向に移動するのを防ぐように構成されている、相互接続システム。
（１３）  実施態様１〜１２のいずれかに記載の相互接続システムにおいて、
前記ラッチのどの部分も、前記ラッチが前記係合位置にあるとき、および前記ラッチが前記係合解除位置にあるときの両方において、前記第１および第２の電気コネクタが装着されるホスト基板内に延びない、相互接続システム。
（１４）  実施態様１〜１３のいずれかに記載の相互接続システムにおいて、
前記ホストモジュールをさらに含む、相互接続システム。
（１５）  相互接続システムにおいて、
基板、前記基板に装着された光学エンジン、および前記基板に装着され、かつ前記光学エンジンを少なくとも部分的に取り囲む、トランシーバーハウジングを含む、トランシーバーと、
前記トランシーバーハウジングに対して旋回軸を中心として旋回可能となるよう、前記トランシーバーハウジングに旋回可能に取り付けられたバックアウト防止ラッチであって、前記バックアウト防止ラッチは、前記旋回軸から、前記トランシーバーが前方向において嵌合されるように構成された第１の電気コネクタを含むホストモジュールに当接するよう前記トランシーバーハウジングの最も前方の端部から前記前方向に離間した係合部材まで、延びる、バックアウト防止ラッチと、
を含み、
前記バックアウト防止ラッチは、係合位置と係合解除位置との間を、前記旋回軸を中心として旋回可能であり、前記係合位置では、前記係合部材と前記ホストモジュールとの間のアバットメント（abutment）により、前記トランシーバーが前記前方向とは反対の後方向に前記第１の電気コネクタから分離されるのを防ぎ、前記係合解除位置では、前記アバットメントが除去され、前記トランシーバーは、前記トランシーバーを前記第１の電気コネクタから分離するよう十分な距離だけ、前記第１の電気コネクタに対して前記後方向に移動可能となる、相互接続システム。
【０１８３】
（１６）  実施態様１５に記載の相互接続システムにおいて、
前記基板は、前記トランシーバーを前記第１の電気コネクタに嵌合させるよう、前記第１の電気コネクタに受容されるように構成された電気接触パッドを、前記基板の前端部に含み、前記係合部材は、前記電気接触パッドから前記前方向に離間している、相互接続システム。
（１７）  実施態様１６に記載の相互接続システムにおいて、
前記接触パッドは、前記前方向に垂直である横方向に沿って向きを定められた列をなして配列されており、前記係合部材は、前記横方向および前記前方向のそれぞれに垂直である横断方向に沿って前記第１の電気コネクタと整列されるように構成されている、相互接続システム。
（１８）  実施態様１７に記載の相互接続システムにおいて、
前記係合部材は、前記第１の電気コネクタより上に配されるように構成され、前記第１の電気コネクタは、前記係合部材と、前記第１の電気コネクタが装着されるホスト基板との間に配されている、相互接続システム。
（１９）  実施態様１７または１８に記載の相互接続システムにおいて、
前記旋回軸は、前記横方向に沿って向きを定められている、相互接続システム。
（２０）  実施態様１５〜１９のいずれかに記載の相互接続システムにおいて、
前記係合部材は、前記ホストモジュールに係合するように構成されたフィンガーを含む、相互接続システム。
【０１８４】
（２１）  実施態様２０に記載の相互接続システムにおいて、
前記ラッチは、前記トランシーバーハウジングに旋回可能に取り付けられ、かつ前記トランシーバーハウジングを越えて前記前方向に延びる、第１および第２の支持壁を含み、前記フィンガーは、前記第１および第２の支持壁によってそれぞれ支持された第１および第２のフィンガーを含む、相互接続システム。
（２２）  実施態様１５〜２１のいずれかに記載の相互接続システムにおいて、
前記トランシーバーハウジングに当接し、前記バックアウト防止ラッチに対する付勢力を提供する付勢部材をさらに含む、相互接続システム。
（２３）  実施態様１５〜２２のいずれかに記載の相互接続システムにおいて、
前記ラッチのどの部分も、前記ラッチが前記係合位置にあるとき、および前記ラッチが前記係合解除位置にあるときの両方において、前記第１の電気コネクタが装着されるホスト基板内に延びない、相互接続システム。
（２４）  実施態様１４〜１７のいずれかに記載の相互接続システムにおいて、
前記モジュール基板は、前記第２の電気コネクタによって支持され、かつ前記第１および第２の電気コネクタが装着されるホスト基板に装着される、固定部材に当接するように構成され、それによって、前記相互接続モジュールが前記ホストモジュールに対して、前記後方向とは反対の前方向に移動するのを防ぐ、相互接続システム。
（２５）  実施態様２４に記載の相互接続システムにおいて、
前記モジュール基板の一部が、前記固定部材に受容されるように構成され位置づけられている、相互接続システム。
【０１８５】
（２６）  相互接続システムにおいて、
ホストモジュールの第１および第２の電気コネクタと嵌合するように構成された相互接続モジュールであって、前記第１の電気コネクタは、前記第２の電気コネクタから前方向に離間し、前記第１の電気コネクタは、前記第２の電気コネクタより速いデータ転送速度で動作するように構成され、前記相互接続モジュールは、モジュール基板、前記モジュール基板によって支持された光学エンジン、および前記モジュール基板に装着され、前記光学エンジンを少なくとも部分的に取り囲むモジュールハウジング、を含む、相互接続モジュールと、
バックアウト防止ラッチであって、前記モジュールハウジングに旋回可能に取り付けられるように構成された少なくとも１つの旋回部材を画定し、前記バックアウト防止ラッチは、旋回軸を中心として、係合解除位置と係合位置との間を、前記モジュールハウジングに対して旋回可能であり、前記旋回軸は、前記トランシーバーモジュールが前記第１および第２の電気コネクタと嵌合すると、前記第２の電気コネクタから前記前方向に離間するように構成され、前記バックアウト防止ラッチは、前記旋回部材から前記前方向にフィンガーまで延びる、バックアウト防止ラッチと、
を含み、
前記バックアウト防止ラッチが前記係合位置にあるとき、１）前記バックアウト防止ラッチと前記モジュールハウジングとの間の第１の機械的干渉が、後方向の前記バックアウト防止ラッチに対する前記後方向への前記相互接続モジュールの移動を制限し、２）前記フィンガーと前記ホストモジュールとの間の第２の機械的干渉が、前記第１および第２の電気コネクタに対する前記後方向への前記ラッチの移動を制限し、３）前記後方向への移動が制限されることにより、前記相互接続モジュールが、前記相互接続モジュールを前記第１および第２の電気コネクタから分離するのに十分であろう距離だけ、前記第１および第２の電気コネクタに対して前記後方向に移動するのを防ぎ、
前記バックアウト防止ラッチが前記係合解除位置にあるとき、前記第２の機械的干渉は、除去され、前記相互接続モジュールは、前記相互接続モジュールを前記第１および第２の電気コネクタのうちの少なくとも１つから分離するように十分な距離だけ、前記第１および第２の電気コネクタに対して前記後方向に移動可能となる、相互接続システム。
（２７）  実施態様２６に記載の相互接続システムにおいて、
前記フィンガーは、前記ラッチが前記係合位置にあるときに、前記ホストモジュールによって受容されるように構成されている、相互接続システム。
（２８）  実施態様２７に記載の相互接続システムにおいて、
前記モジュール基板は、前記前方向に垂直である横断方向に沿って互いに相対する第１および第２の表面を画定し、前記第２の表面は、前記第２の電気コネクタと嵌合するように構成された接触パッドを画定し、
前記フィンガーは、前記ラッチが前記係合位置にあるときに上方プレートによって受容されるように構成され、
前記上方プレートは、前記第１の電気コネクタの電気接点より上に配され、前記横断方向に沿って前記第１の電気コネクタの前記電気接点とさらに整列されている、相互接続システム。
（２９）  実施態様２８に記載の相互接続システムにおいて、
前記旋回軸は、前記前方向および前記横断方向のそれぞれに垂直である横方向に沿って向きを定められている、相互接続システム。
（３０）  実施態様２９に記載の相互接続システムにおいて、
前記フィンガーは、前記横方向に沿って互いから離間している第１および第２のフィンガーを含む、相互接続システム。
【０１８６】
（３１）  実施態様３０に記載の相互接続システムにおいて、
前記第１および第２のフィンガーは、前記ホストモジュールによって受容されるように構成されている、相互接続システム。
（３２）  実施態様２６〜３１のいずれかに記載の相互接続システムにおいて、
前記ラッチのどの部分も、前記モジュール基板より下の位置まで延びない、相互接続システム。
（３３）  実施態様２６〜３２のいずれかに記載の相互接続システムにおいて、
前記モジュールハウジングに当接し、前記バックアウト防止ラッチが前記係合位置にあるときに前記バックアウト防止ラッチに対して付勢力を提供する、付勢部材をさらに含む、相互接続システム。
（３４）  実施態様２６〜３３のいずれかに記載の相互接続システムにおいて、
前記モジュール基板は、前記ホストモジュールに対する前記前方向への前記相互接続モジュールの移動を防ぐように、前記ホストモジュールに当接するように構成されている、相互接続システム。
（３５）  実施態様３４に記載の相互接続システムにおいて、
前記モジュール基板は、前記第２の電気コネクタによって支持され、かつ前記第１および第２の電気コネクタが装着されるホスト基板に装着される、固定部材に当接するように構成され、それによって、前記相互接続モジュールが前記ホストモジュールに対して、前記後方向とは反対の前方向に移動するのを防ぐ、相互接続システム。
【０１８７】
（３６）  実施態様３５に記載の相互接続システムにおいて、
前記モジュール基板は、前記前方向の方を向くアバットメント表面によって部分的に画定されるノッチを含み、前記アバットメント表面は、前記固定部材に当接するように構成されている、相互接続システム。
（３７）  相互接続システムにおいて、
ホスト基材上に装着されたホストモジュールの第１および第２の電気コネクタと嵌合するように構成された相互接続モジュールであって、前記第１の電気コネクタは、前記第２の電気コネクタから前方向に離間し、前記第１の電気コネクタは、前記第２の電気コネクタより速いデータ転送速度で動作するように構成され、前記相互接続モジュールは、モジュール基板、前記モジュール基板によって支持された光学エンジン、モジュールハウジングを少なくとも部分的に取り囲むモジュールハウジング、を含む、相互接続モジュールと、
バックアウト防止ラッチであって、前記バックアウト防止ラッチに対する前記前方向とは反対の後方向への前記相互接続モジュールの後方移動を制限する、前記バックアウト防止ラッチと前記相互接続モジュールとの間の第１の機械的干渉を定めるよう、前記相互接続モジュールと機械的に連絡させられるように構成され、前記第２の電気コネクタを支持しかつ前記ホスト基材に装着される固定部材の前向き外側支持表面に当接するように構成された、少なくとも１つのフィンガーを含む、バックアウト防止ラッチと、
を含み、
前記バックアウト防止ラッチは、前記相互接続モジュールが前記第１および第２の電気コネクタと嵌合されると、係合位置と係合解除位置との間を移動可能となるように構成され、
前記バックアウト防止ラッチが前記係合位置にあるとき、前記少なくとも１つのフィンガーは、前記相互接続モジュールが、前記相互接続モジュールを前記第１および第２の電気コネクタのうちの少なくとも１つから分離するのに十分であろう距離だけ、前記ホストモジュールに対して前記後方向に移動するのを防ぐよう、前記支持表面と共に第２の機械的干渉を定め、
前記バックアウト防止ラッチが前記係合解除位置にあるとき、少なくとも前記第２の機械的干渉が除去され、前記相互接続モジュールは、前記相互接続モジュールを少なくとも１つの前記電気コネクタから分離するよう十分な距離だけ、前記少なくとも１つの電気コネクタに対して前記後方向に移動可能となる、相互接続システム。
（３８）  実施態様３７に記載の相互接続システムにおいて、
前記バックアウト防止ラッチは、前記第１の機械的干渉を定めるよう、前記相互接続モジュールと機械的に連絡させられるように構成された支持部材を含み、前記少なくとも１つのフィンガーは、前記支持部材から延びる、相互接続システム。
（３９）  実施態様３８に記載の相互接続システムにおいて、
前記少なくとも１つのフィンガーは、前記前方向に垂直である横断方向に沿って前記支持部材に対して延出する、一対のフィンガーを含み、前記フィンガーは、前記第２の電気コネクタを支持しかつそれぞれが前記ホスト基材に装着されている第１および第２の固定部材のそれぞれの前向き外側支持表面に当接するように構成されている、相互接続システム。
（４０）  実施態様３９に記載の相互接続システムにおいて、
前記支持部材は、前記前方向および前記横断方向に対して垂直に向けられた横方向に沿って細長い上方クロスバーを含み、前記フィンガーは、前記横方向に沿って互いから離間した前記支持部材の相対する端部に対して下に延びる、相互接続システム。
【０１８８】
（４１）  実施態様４０に記載の相互接続システムにおいて、
前記少なくとも１つのフィンガーは、前記横断方向に沿って細長い、相互接続システム。
（４２）  実施態様４０または４１に記載の相互接続システムにおいて、
前記ラッチは、前記支持部材の前記相対する端部から延出する第１および第２のアームを含み、前記フィンガーは、前記第１および第２のアームそれぞれから下に延びる、相互接続システム。
（４３）  実施態様４２に記載の相互接続システムにおいて、
前記フィンガーは、それぞれの前記アームに対して揺り動かされる、相互接続システム。
（４４）  実施態様３９〜４３のいずれかに記載の相互接続システムにおいて、
前記モジュール基板および前記フィンガーは、前記前方向および前記後方向のそれぞれに対して前記固定部材それぞれの固定壁を捕捉するように構成されている、相互接続システム。
（４５）  実施態様３９〜４４のいずれかに記載の相互接続システムにおいて、
前記ラッチは、前記係合解除位置と前記係合位置との間を、前記相互接続モジュールに対して前記横断方向に沿って並進運動可能である、相互接続システム。
【０１８９】
（４６）  実施態様４０〜４５のいずれかに記載の相互接続システムにおいて、
前記相互接続モジュールは、前記モジュールハウジングによって支持され、かつ前記横方向に沿って互いから離間した複数のフィンを画定する、ヒートシンクをさらに含み、前記ヒートシンクは、前記ラッチが前記係合位置にあるときに前記ラッチを受容するように構成されたラッチ受容凹部を画定する、相互接続システム。
（４７）  実施態様４６に記載の相互接続システムにおいて、
前記ラッチ受容凹部は、前記横方向Ａに沿って前記フィンのうちの少なくとも１つの中に延び、前記横断方向Ｔに沿って前記フィンの中にさらに延びる、相互接続システム。
（４８）  実施態様４７に記載の相互接続システムにおいて、
前記ラッチ受容凹部は、前記フィンのそれぞれの上方表面の中へと下に延びるノッチを画定し、前記ノッチは、前記ラッチの前記固定部材を受容するように構成されている、相互接続システム。
（４９）  実施態様４８に記載の相互接続システムにおいて、
前記ノッチは、前記横方向に沿って前記フィンを通って延びる、相互接続システム。
（５０）  実施態様４７〜４９のいずれかに記載の相互接続システムにおいて、
前記ラッチ受容凹部は、前記横方向に沿って前記ヒートシンク内へと延びる一対のチャネルを画定し、前記ラッチは、前記ラッチが前記係合位置と前記係合解除位置との間を前記横断方向に沿って並進運動すると、前記チャネル内を進むように構成されている、相互接続システム。
【０１９０】
（５１）  実施態様５０に記載の相互接続システムにおいて、
前記チャネルは、前記横方向に沿って前記フィンのうちの一対の最も外側のフィンのそれぞれの中へと延びる、相互接続システム。
（５２）  実施態様５１に記載の相互接続システムにおいて、
前記チャネルは、前記横方向に沿って前記フィンのうちの前記最も外側のフィンのそれぞれの横方向外側表面の中へと延びる、相互接続システム。
（５３）  実施態様５２に記載の相互接続システムにおいて、
前記チャネルそれぞれの少なくとも一部が、前記横方向に沿って前記フィンのうちの前記最も外側のフィンそれぞれを通って延びない、相互接続システム。
（５４）  実施態様５１〜５３のいずれかに記載の相互接続システムにおいて、
前記チャネルは、前記横断方向に沿って前記フィンのうちの前記最も外側のフィンそれぞれを通って延びる、相互接続システム。
（５５）  実施態様３７〜５４のいずれかに記載の相互接続システムにおいて、
前記ラッチのどの部分も、前記ラッチが前記係合位置にあるときに、前記ホスト基板の中へと延びない、相互接続システム。
【０１９１】
（５６）  実施態様４６〜５５のいずれかに記載の相互接続システムにおいて、
前記ヒートシンクは、前記フィンの中へと延びる少なくとも１つの固定凹部をさらに画定し、前記相互接続システムは、前記ヒートシンクを前記モジュールハウジングに固定するよう、それぞれの前記少なくとも１つの固定凹部内に配され、かつ前記モジュールハウジングに取り付けられるように構成された、少なくとも１つの固定部材をさらに含む、相互接続システム。
（５７）  実施態様５６に記載の相互接続システムにおいて、
前記少なくとも１つの固定凹部はそれぞれ、前記横断方向に沿って前記フィンの上端部の中へと延びる固定ノッチを含む、相互接続システム。
（５８）  実施態様５６に記載の相互接続システムにおいて、
前記固定ノッチはそれぞれ、前記横方向に沿って前記フィンを通ってさらに延びる、相互接続システム。
（５９）  実施態様５７または５８に記載の相互接続システムにおいて、
前記少なくとも１つの固定凹部はそれぞれ、前記横方向に沿って前記ヒートシンクの中へとそれぞれが延びる一対の固定チャネルをさらに含む、相互接続システム。
（６０）  実施態様５９に記載の相互接続システムにおいて、
前記固定チャネルは、前記横方向Ａに沿って前記フィンのうちの前記最も外側のフィンそれぞれの中へと延びる、相互接続システム。
【０１９２】
（６１）  実施態様６０に記載の相互接続システムにおいて、
前記固定チャネルは、前記横方向に沿って前記フィンのうちの前記最も外側のフィンの前記横方向外側表面の中へと延びる、相互接続システム。
（６２）  実施態様６１に記載の相互接続システムにおいて、
前記固定チャネルそれぞれの少なくとも一部は、前記横方向Ａに沿って前記フィンのうちの前記最も外側のフィンそれぞれを通って延びない、相互接続システム。
（６３）  実施態様５９〜６２のいずれかに記載の相互接続システムにおいて、
前記固定チャネルは、前記横断方向に沿って前記フィンのうちの前記最も外側のフィンを通って延びる、相互接続システム。
（６４）  実施態様５９〜６３のいずれかに記載の相互接続システムにおいて、
少なくとも１つの固定バンドはそれぞれ、相対する端部と、前記相対する端部間に延びる中間セクションと、を含み、前記中間セクションは、前記固定ノッチに受容されるように構成され、前記相対する端部は、前記横断方向Ｔに沿って前記固定チャネルをそれぞれ通って延びるように構成されている、相互接続システム。
（６５）  実施態様６４に記載の相互接続システムにおいて、
前記少なくとも１つの固定バンドはそれぞれ、前記固定バンドを前記モジュールハウジングに取り付けるよう、前記モジュールハウジングの相補的な突出部を受容するように構成されたアパーチャを画定する、相互接続システム。
【０１９３】
（６６）  実施態様６５に記載の相互接続システムにおいて、
前記アパーチャは、前記固定バンドの相対する外側端部をそれぞれ通って延びる、相互接続システム。
（６７）  実施態様６５または６６に記載の相互接続システムにおいて、
前記突出部は、前記横方向に沿って前記モジュールハウジングから延出する、相互接続システム。
（６８）  実施態様６７に記載の相互接続システムにおいて、
前記突出部は、前記モジュールハウジングの相対する横方向外側表面から延出する、相互接続システム。
（６９）  実施態様６６〜６８のいずれかに記載の相互接続システムにおいて、
前記少なくとも１つの固定部材は、前記ヒートシンクを前記モジュールハウジングの上方表面に装着するよう、それぞれの前記少なくとも１つの固定凹部に配され、かつ前記モジュールハウジングに取り付けられるように構成されている、相互接続システム。
（７０）  実施態様６９に記載の相互接続システムにおいて、
前記少なくとも１つの固定凹部は、前記前方向および前記後方向のそれぞれを含む長さ方向に沿って互いから離間した複数の固定凹部を含み、
前記少なくとも１つの固定バンドは、前記ヒートシンクを前記モジュールハウジングに固定するよう、前記固定凹部のそれぞれに配され、かつ前記モジュールハウジングに取り付けられるように構成された複数の固定バンドを含む、相互接続システム。
【０１９４】
（７１）  実施態様３７〜７０のいずれかに記載の相互接続システムにおいて、
前記モジュール基板は、前記第２の電気コネクタによって支持され、前記ホスト基板に装着される固定部材に当接するように構成され、それによって、前記相互接続モジュールが前記ホストモジュールに対して、前記後方向とは反対の前方向に移動するのを防ぐ、相互接続システム。
（７２）  実施態様７１に記載の相互接続システムにおいて、
前記モジュール基板は、前記固定部材に受容されるように構成されている、相互接続システム。
（７３）  実施態様３７〜７２のいずれかに記載の相互接続システムにおいて、
前記ホストモジュールをさらに含む、相互接続システム。
（７４）  実施態様３７〜７３のいずれかに記載の相互接続システムにおいて、
前記バックアウト防止ラッチは、前記バックアウト防止ラッチを前記ホストモジュールに対して前記前方向に移動させる付勢力を、前記ホストモジュールの付勢部材から受け取るように構成されている、相互接続システム。
（７５）  実施態様７４に記載の相互接続システムにおいて、
前記バックアウト防止ラッチは、片持ち脚部を含み、前記付勢部材からの前記付勢力により、前記片持ち脚部は、前記バックアウト防止ラッチの残部に対して前方向に偏向する、相互接続システム。
【図面の簡単な説明】
【０１９５】
【図１Ａ】ホストモジュールに嵌合して示されている相互接続モジュールを含む相互接続システムの側面図である。
【図１Ｂ】一実施形態による、図１Ａの相互接続モジュールの斜視図である。
【図１Ｃ】別の実施形態による、図１Ａの相互接続モジュールの斜視図である。
【図２Ａ】相互接続モジュール、ホストモジュール、および係合解除位置で示されたバックアウト防止ラッチを含む、相互接続システムの分解組立斜視図である。
【図２Ｂ】係合位置にあるバックアウト防止ラッチを示す、図２Ａに例示された相互接続システムの一部の拡大斜視図である。
【図２Ｃ】図２Ａに示すバックアウト防止ラッチの斜視図である。
【図２Ｄ】下にある基板に固定されるように構成された固定タブを示す、ホストモジュールの第１の電気コネクタの分解組立斜視図である。
【図２Ｅ】下にある基板に固定されるように構成された固定タブを示す、ホストモジュールの第２の電気コネクタの分解組立斜視図である。
【図３Ａ】相互接続モジュール、ホストモジュール、および係合位置で示された並進運動可能なバックアウト防止ラッチを含む、相互接続システムの斜視図である。
【図３Ｂ】ホストモジュールの電気コネクタの上面図である。
【図３Ｃ】ヒートシンクを含む、図３Ａに示す相互接続システムの分解組立斜視図である。
【図３Ｄ】図３Ｂに示す電気コネクタの固定部材の側面図である。
【図３Ｅ】図３Ａに示す相互接続モジュールのモジュール基板の上面図である。
【図３Ｆ】ホストモジュールと嵌合されるよう整列している、図３Ａに示す相互接続モジュールの一部の斜視図である。
【図３Ｇ】ホストモジュールと嵌合されて整列された相互接続モジュールを示す、図３Ｆに示す相互接続モジュールの部分の斜視図である。
【図３Ｈ】図３Ｇに示す相互接続モジュールの部分の分解組立斜視図である。
【図３Ｉ】係合解除位置にあるラッチ部材を示す、図３Ｇに示す相互接続モジュールの斜視図である。
【図３Ｊ】係合解除位置にあるラッチ部材を示す、図３Ｆに示す相互接続モジュールの斜視図である。
【図３Ｋ】一実施形態に従って構成された付勢部材の概略側面図である。
【図３Ｌ】代替的な実施形態に従って構成された付勢部材の概略側面図である。
【図４Ａ】相互接続モジュール、ホストモジュール、および係合解除位置で示される別の実施形態に従って構成されたバックアウト防止ラッチを含む、相互接続システムの分解組立斜視図である。
【図４Ｂ】係合位置にあるバックアウト防止ラッチを示す、図４Ａに示された相互接続システムの一部の拡大斜視図である。
【図４Ｃ】図４Ａに示すバックアウト防止ラッチの斜視図である。
【図５Ａ】相互接続モジュール、ホストモジュール、および係合解除位置で示される別の実施形態に従って構成されたバックアウト防止ラッチを含む、相互接続システムの分解組立斜視図である。
【図５Ｂ】係合位置にあるバックアウト防止ラッチを示す、図５Ａに示された相互接続システムの一部の拡大斜視図である。
【図５Ｃ】図５Ａに示すバックアウト防止ラッチの斜視図である。
【図５Ｄ】図５Ｂに示す相互接続システムの一部の断面側面図である。
【図６Ａ】相互接続モジュール、ホストモジュール、および係合解除位置で示される別の実施形態に従って構成されたバックアウト防止ラッチを含む、相互接続システムの分解組立斜視図である。
【図６Ｂ】係合位置にあるバックアウト防止ラッチを示す、図６Ａに示された相互接続システムの一部の拡大斜視図である。
【図６Ｃ】図６Ａに示すバックアウト防止ラッチの斜視図である。
【図７Ａ】相互接続モジュール、ホストモジュール、および係合解除位置で示される別の実施形態に従って構成されたバックアウト防止ラッチを含む、相互接続システムの分解組立斜視図である。
【図７Ｂ】係合位置にあるバックアウト防止ラッチを示す、図７Ａに示された相互接続システムの一部の拡大斜視図である。
【図７Ｃ】図６Ａに示すバックアウト防止ラッチの斜視図である。
【図８Ａ】相互接続モジュール、ホストモジュール、および係合解除位置で示される別の実施形態に従って構成されたバックアウト防止ラッチを含む、相互接続システムの分解組立斜視図である。
【図８Ｂ】係合位置にあるバックアウト防止ラッチを示す、図８Ａに示された相互接続システムの一部の拡大斜視図である。
【図８Ｃ】図７Ａに示すバックアウト防止ラッチの斜視図である。
【図９Ａ】相互接続モジュール、ホストモジュール、および係合解除位置で示される別の実施形態に従って構成されたバックアウト防止ラッチを含む、相互接続システムの分解組立斜視図である。
【図９Ｂ】係合位置にあるバックアウト防止ラッチを示す、図９Ａに示された相互接続システムの一部の拡大斜視図である。
【図９Ｃ】図９Ａに示すバックアウト防止ラッチの斜視図である。
【図１０Ａ】相互接続モジュール、ホストモジュール、および係合解除位置で示される別の実施形態に従って構成されたバックアウト防止ラッチを含む、相互接続システムの分解組立斜視図である。
【図１０Ｂ】係合位置にあるバックアウト防止ラッチを示す、図１０Ａに示された相互接続システムの一部の拡大斜視図である。
【図１０Ｃ】図１Ａに示すバックアウト防止ラッチの斜視図である。
【図１０Ｄ】下にある基板に固定されるように構成された固定タブを示す、ホストモジュールの第１の電気コネクタの分解組立斜視図である。
【図１１Ａ】相互接続モジュール、ホストモジュールを含む、相互接続システムの分解組立斜視図であり、係合解除位置で示される別の実施形態に従って構成されたバックアウト防止ラッチを示すため一部が隠されている。
【図１１Ｂ】係合位置にあるバックアウト防止ラッチを示す、図１１Ａに示された相互接続システムの一部の拡大斜視図である。
【図１１Ｃ】図１１Ａに示すバックアウト防止ラッチの斜視図である。
【図１１Ｄ】相互接続モジュールの分解組立斜視図である。
【図１１Ｅ】下にある基板に固定されるように構成された固定タブを示す、ホストモジュールの第１の電気コネクタの分解組立斜視図である。
【図１１Ｆ】相互接続システムの別の斜視図である。
【図１２Ａ】相互接続モジュール、ホストモジュールを含む、相互接続システムの分解組立斜視図であり、係合解除位置で示される別の実施形態に従って構成されたバックアウト防止ラッチを示すため一部が隠されている。
【図１２Ｂ】係合位置にあるバックアウト防止ラッチを示す、図１２Ａに示された相互接続システムの一部の拡大斜視図である。
【図１２Ｃ】図１２Ａに示すバックアウト防止ラッチの斜視図である。
【図１２Ｄ】図１２Ａに示す相互接続システムの一部の分解組立斜視図である。
【図１２Ｅ】図１２Ａに示す相互接続システムの一部の拡大斜視図であり、係合解除位置にあり、係合位置に向かって移動されているラッチを示す。
【図１２Ｆ】図１２Ｂに示す相互接続システムの一部の拡大斜視図であり、係合解除位置にあるラッチを示す。
【図１２Ｇ】図１２Ａに示す相互接続システムの一部の拡大斜視図であり、係合位置から係合解除位置へと移動されたラッチを示す。
【図１２Ｈ】図１２Ａに示す相互接続システムの分解組立斜視図であり、ヒートシンクを含む相互接続モジュールを示す。
【図１２Ｉ】図１１Ｈに示す相互接続システムの分解組立斜視図であり、相互接続モジュールのモジュールハウジングに装着されたヒートシンクを示す。
【図１Ａ】
2019525429.tif 000003
【図１Ｂ】
2019525429.tif 000004
【図１Ｃ】
2019525429.tif 000005
【図２Ａ】
2019525429.tif 000006
【図２Ｂ】
2019525429.tif 000007
【図２Ｃ】
2019525429.tif 000008
【図２Ｄ】
2019525429.tif 000009
【図２Ｅ】
2019525429.tif 000010
【図３Ａ】
2019525429.tif 000011
【図３Ｂ】
2019525429.tif 000012
【図３Ｃ】
2019525429.tif 000013
【図３Ｄ】
2019525429.tif 000014
【図３Ｅ】
2019525429.tif 000015
【図３Ｆ】
2019525429.tif 000016
【図３Ｇ】
2019525429.tif 000017
【図３Ｈ】
2019525429.tif 000018
【図３Ｉ】
2019525429.tif 000019
【図３Ｊ】
2019525429.tif 000020
【図３Ｋ】
2019525429.tif 000021
【図３Ｌ】
2019525429.tif 000022
【図４Ａ】
2019525429.tif 000023
【図４Ｂ】
2019525429.tif 000024
【図４Ｃ】
2019525429.tif 000025
【図５Ａ】
2019525429.tif 000026
【図５Ｂ】
2019525429.tif 000027
【図５Ｃ】
2019525429.tif 000028
【図５Ｄ】
2019525429.tif 000029
【図６Ａ】
2019525429.tif 000030
【図６Ｂ】
2019525429.tif 000031
【図６Ｃ】
2019525429.tif 000032
【図７Ａ】
2019525429.tif 000033
【図７Ｂ】
2019525429.tif 000034
【図７Ｃ】
2019525429.tif 000035
【図８Ａ】
2019525429.tif 000036
【図８Ｂ】
2019525429.tif 000037
【図８Ｃ】
2019525429.tif 000038
【図９Ａ】
2019525429.tif 000039
【図９Ｂ】
2019525429.tif 000040
【図９Ｃ】
2019525429.tif 000041
【図１０Ａ】
2019525429.tif 000042
【図１０Ｂ】
2019525429.tif 000043
【図１０Ｃ】
2019525429.tif 000044
【図１０Ｄ】
2019525429.tif 000045
【図１１Ａ】
2019525429.tif 000046
【図１１Ｂ】
2019525429.tif 000047
【図１１Ｃ】
2019525429.tif 000048
【図１１Ｄ】
2019525429.tif 000049
【図１１Ｅ】
2019525429.tif 000050
【図１１Ｆ】
2019525429.tif 000051
【図１２Ａ】
2019525429.tif 000052
【図１２Ｂ】
2019525429.tif 000053
【図１２Ｃ】
2019525429.tif 000054
【図１２Ｄ】
2019525429.tif 000055
【図１２Ｅ】
2019525429.tif 000056
【図１２Ｆ】
2019525429.tif 000057
【図１２Ｇ】
2019525429.tif 000058
【図１２Ｈ】
2019525429.tif 000059
【図１２Ｉ】
2019525429.tif 000060
【国際調査報告】
2019525429.tif 000061
2019525429.tif 000062
2019525429.tif 000063
2019525429.tif 000064